(57)【要約】      （修正有）【課題】患者の関節用の整形外科インプラントの位置合わせのための位置合わせ情報データを提供するコンピュータ実行方法、コンピュータ装置、およびコンピュータ読み取り可能な記録媒体を提供する。【解決手段】コンピュータ実行方法は、１つまたはそれ以上の動的特徴を示す、患者データを得るための患者固有情報データに応答する工程３１０、３２０，３３０と、整形外科インプラントのための位置合わせ情報データを提供する患者データに応答する工程３４０，３５０，３６０とを含む。【選択図】図３
2020058820.tif 000002
【特許請求の範囲】
【請求項１】
患者の関節用の整形外科インプラントの位置合わせをモデル化するために、各工程がコンピュータによって実行される方法であって、
患者固有情報データを受信する工程を含んでおり、
上記患者固有情報データは、上記患者の関節の骨格の外形の、少なくとも１つの映像データを含んでおり、
上記映像データは、上記患者の関節の上記骨格の外形の、２Ｄ、３Ｄ、および４Ｄ映像データの内から選択されており、
上記方法は、上記患者固有情報データの少なくとも一部から解剖学的目印を特定するとともに、患者固有の解剖学的目印を示す患者固有解剖学的目印データを生成する工程を含んでおり、
上記患者固有の解剖学的目印は、骨の隆起、目印を結んだ線、ならびに靭帯および腱の差し込みおよび付着などであり、
上記方法は、仮想予測を生成する工程を含んでおり、
上記仮想予測は、関節運動学データ、関節負荷データ、特定の動作に対応する関節咬交挙動データ、患者固有の負荷、モーメントアーム、接触ストレス、外的負荷、および筋力を含んでおり、
上記仮想予測は、他の患者から得られた利用可能な予め定められた理想的シミュレーションモデルのライブラリに由来する、少なくとも１つのモデルに基づいており
上記方法は、上記映像データおよび上記患者固有解剖学的目印データを用いて上記患者の関節のグラフィカル図を形成するために、上記関節の３Ｄモデルデータを提供する工程を含んでおり、
上記３Ｄモデルデータは、
上記関節に仮想的に差し込まれた上記整形外科インプラントを示し、かつ、
上記仮想予測に基づく位置合わせ形態に関連するデータを提供する、コンピュータによって実行される方法。
【請求項２】
上記仮想予測は、関節運動学データ、関節負荷データ、および、所望の移植後活動間の関節咬交挙動データのうちの１つ以上に基づいている、請求項１に記載のコンピュータによって実行される方法。
【請求項３】
上記仮想予測は、コンピュータモデル予測を備えている、請求項２に記載のコンピュータによって実行される方法。
【請求項４】
患者の関節用の整形外科インプラントの位置合わせをモデル化するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、上記データインタフェースを介して、患者固有情報データを受信するように、上記コンピュータプログラムコードによって制御されており、
上記患者固有情報データは、上記患者の関節の骨格の外形の、少なくとも１つの映像データを含んでおり、
上記映像データは、上記患者の関節の上記骨格の外形の、２Ｄ、３Ｄ、および４Ｄ映像データの内から選択されており、
上記プロセッサは、上記患者固有情報データの少なくとも一部から解剖学的目印を特定するとともに、患者固有の解剖学的目印を示す患者固有解剖学的目印データを生成するように、上記コンピュータプログラムコードによって制御されており、
上記患者固有の解剖学的目印は、骨の隆起、目印を結んだ線、ならびに靭帯および腱の差し込みおよび付着などであり、
上記プロセッサは、仮想予測を生成するように、上記コンピュータプログラムコードによって制御されており、
上記仮想予測は、関節運動学データ、関節負荷データ、特定の動作に対応する関節咬交挙動データ、患者固有の負荷、モーメントアーム、接触ストレス、外的負荷、および筋力を含んでおり、
上記仮想予測は、他の患者から得られた利用可能な予め定められた理想的シミュレーションモデルのライブラリに由来する、少なくとも１つのモデルに基づいており、
上記プロセッサは、上記映像データおよび上記患者固有解剖学的目印データを用いて上記患者の関節のグラフィカル図を形成するために、上記関節の３Ｄモデルデータを提供するように、上記コンピュータプログラムコードによって制御されており、
上記３Ｄモデルデータは、
上記関節に仮想的に差し込まれた上記整形外科インプラントを示し、かつ、
上記仮想予測に基づく位置合わせ形態に関連するデータを提供する、コンピュータ装置。
【発明の詳細な説明】
【技術分野】
【０００１】
本発明は、患者の関節用の整形外科インプラントの位置合わせのための位置合わせ情報データを提供するコンピュータ実行方法、コンピュータ装置、およびコンピュータ読み取り可能な記録媒体に関する。
【０００２】
上記発明は、主に、患者の膝または臀部の関節用の整形外科インプラントの位置合わせのための位置合わせ情報データを提供することと、患者の膝または臀部の関節への整形外科インプラントの位置合わせの手助けするためのツールを提供することとの用途のために開発されており、本明細書を参照してここに記述される。しかしながら、上記発明はこの特定の用途分野に制限されないことが理解される。
【背景技術】
【０００３】
長年、怪我または変成のために関節を整形外科インプラントで置換することが、一般的になっている。より年配の世代が、より健康的な容姿および活発なライフスタイルを追求することによって、より若い年代の頃から関節の変成または怪我を引き起こす頻度が増加している。
【０００４】
それゆえ、膝および臀部の関節などの関節は、手術によって修復されるか、またはいくつかの場合には完全に置換されなければならない。関節を置換する現在の方法は、典型的に、整形外科インプラントを配置するための、関節の機能軸の位置合わせを含む。これは、患者の一次機能体重負荷軸に対して整形外科インプラントを位置合わせするための数多くの定位置での物理測定を含む。たとえば、膝関節のために、これは臀部の中心、肘の中心、およびかかとの中心に交わる機能体重負荷軸に基づく整形外科インプラントの位置合わせを含む。
【０００５】
現在の標準的な手術の実践では、インプラントを参照点に位置合わせする器具（機械的およびコンピュータ駆動）を用いる。膝における機能軸、および、類似する幾何学的基準系が用いられる（例えば、４５度カップ傾斜、１５から２０度カップ前捻、中性大腿骨軸位置）。
【０００６】
インプラントの位置を変えることによって関節の可動範囲を調整する試みもまた知られている。これは、術者の卓越した取り扱いまたは感覚を通じて、あるいは、可動範囲の中央軸のコンピュータによる同定を通じて、いずれも手動で行われる。
【０００７】
商業的に入手可能なコンピュータナビゲーションシステムが、現在、機械的位置合わせに関する情報および当該情報からインプラント位置をカスタマイズする能力を提供することもまた、注目される。
【０００８】
機能軸位置合わせを用いて位置合わせされる全関節置換は、存続性および長寿命の対しては望ましい結果を示すにも関わらず、機能的患者結果の観点から測定されるときには、しばしば失望的である。すなわち、関節は、人が行うことを望むだろう活動に合致しておらず、それゆえ、人に対して痛みおよび不快感を与える。いくつかの場合、そのような活動によってインプラントが取れてしまいかねない。
【０００９】
全関節置換された人が、関節炎のない同類の人に等しいライフスタイルを達成することは、滅多にない。すなわち、全関節置換後の患者機能および生活の質における改善を示す技術が欠けている。
【００１０】
上述した問題は、「既製品」の整形外科インプラント設計によって提案される患者の特有さが欠如していることに起因しうる。全ての患者は、年齢、性別、活動レベル、および体型にかかわらず、同じ位置に同じインプラント設計が適用される。しかしながら、すべての患者は同じではない。
【００１１】
最近、患者の多様性は、整形外科の技術資料の範囲内では、大きな興味を引いている。話題の例は、男性および女性の膝の大きさの違いである。これによって、全部膝置換（ＴＫＲ）製造者は、男性および女性のインプラント用に、別々のサイズ範囲を採用するようになっている。
【００１２】
これは、今日の実践の場で整形外科術者が出くわす多様性に対処するための、ある程度の方法に過ぎない。多くの出版された研究は、サンプル化された患者の母集団に存在するもっと多くの形態的相違に焦点を当てている。
【００１３】
関連する例は、患者の脛骨プラトーの傾きである。男性は、女性において測定された後部傾きとは平均して顕著に異なる後部傾きを有することが測定されている。さらには、顕著なインターセックス変動が観察されている。しかし製造者は、全ての「標準の」推奨された人工関節位置合わせに合致する１つの大きさに脛骨部品を位置合わせするように、膝代用品を移植する術者に推奨する。この位置合わせ推奨は、あなたかが男性または女性であるのなら、あなたがひどい脛骨傾きまたは穏やかな脛骨傾きを持つかに関わらず、あなたが長身か短身かに関わらず、あるいはあなたが高い要求のライフスタイルまたは低い要求のライフスタイルを持つかに関わらず、変わらない。
【００１４】
これは、脛骨部品の位置合わせの場合に限ったことではない。術者に一般的に推奨される全ての位置合わせパラメータは、すべての一般化に合致する１つの大きさである。ＴＫＲ手術に対するこの１つのサイズに合致させるアプローチによって、実用本位の成果が比較的貧しいものになってしまう。
【００１５】
同様の一般化は、臀部置換領域にも見いだされうる。すべての患者のための至適基準「臼蓋位置」は、４５度の傾きと、前骨盤平面に対する２４度の前傾である。骨盤傾斜、骨盤移動、または骨盤こわばりなどの骨盤解剖学的な変化が患者にある場合には、この標準的な位置合わせは不適当になる。
【００１６】
映像データおよび高速試作品製造技術を用いた全関節置換手術における機能軸位置合わせを達成するための方法の例は、数ある中でも、Prophecy（登録商標）（Wright MedicalTechnology, Inc.）、Trumatch（登録商標）（DePuy Orthopaedics, Inc. a Johnson & Johnson Company）、Signature（登録商標） Personalized Total Knee Replacement (Biomet, Inc.)、MyKnee（登録商標）（Medacta, International SA）、Zimmer（登録商標）Patient Specific Instruments（Zimmer, Inc.）、Otis Knee（登録商標）（OtisMed, Corp.）、およびVisionaire（登録商標）（Smith & Nephew, Inc.）を含む。
【００１７】
コンピュータナビゲーションソフトウェアを用いた全関節置換手術における機能軸位置合わせを達成するための方法の例は、eNact Knee Navigation System（登録商標）（Stryker）およびBrainLab（登録商標）Knee Navigation（BrainLab, Inc.）を含む。
【００１８】
ロボット工学システムを用いた全関節置換手術における機能軸位置合わせを達成するための方法の例は、MAKOplasty（登録商標）Partial Knee Resurfacing（Mako Surgical Corp.）を含む。
【００１９】
しかしながら、既知の位置合わせプロセスについては、特定の位置合わせに対して患者が以下に反応するに究極的に影響する、数ある中でも年齢、性別、活動レベル、または体型の、プロセスへの考慮（factoring）がない。
【００２０】
本発明は、従来技術の少なくともいくつかの欠点を克服または実質的に改良するか、または、代替物を少なくとも提供する、患者の関節用の整形外科インプラントの位置合わせのための位置合わせ情報データを提供するコンピュータ実行方法、コンピュータ装置、およびコンピュータ読み取り可能な記録媒体を提供しようとする。
【００２１】
どなどの従来技術情報がここに参照されていようとも、そのような参照は、上記情報がオーストラリアまたはいかなる他の国において当業界における共通の一般知識の一部を形成することを認めることではないことが、理解される。
【発明の概要】
【００２２】
本発明の他の局面によれば、患者の関節用の整形外科インプラントの位置合わせのための位置合わせ情報データを提供するコンピュータ実行方法であって、
患者データを得るための、１つまたはそれ以上の動的特徴を示す患者固有情報データに応答する工程と、
上記整形外科インプラントのための上記位置合わせ情報データを提供する上記患者データに応答する工程とを含むコンピュータ実行方法が提供される。
【００２３】
有利には、上記整形外科インプラントは、上記患者に固有の位置合わせ情報データに基づき、患者の関節に合致するように正確に位置合わせされうる。
【００２４】
好ましくは、上記位置合わせ情報データは、上記関節の実際の３Ｄモデルデータを備えている。
【００２５】
有利には、３Ｄモデルデータを備えている上記位置合わせ情報データによって、上記関節に合致するための上記整形外科インプラントの正確な位置合わせが保証される。
【００２６】
好ましくは、上記位置合わせ情報データは、１つまたはそれ以上の、上記整形外科インプラントのための位置情報データ、および、上記整形外科インプラントのための回転情報データを備えている。
【００２７】
有利には、上記整形外科インプラントのための位置情報データおよび回転情報データを備えている位置合わせ情報データによって、患者の関節に対して整形外科インプラントが正確に配置および回転されることが保証される。
【００２８】
好ましくは、上記患者固有情報データは、１つまたはそれ以上の所望の移植後活動を示す患者取得データを備えている。
【００２９】
有利には、上記整形外科インプラントは、１つまたはそれ以上の所望の移植後活動を行うことできるように、上記患者の上記関節に合致するように正確に位置合わせされる。
【００３０】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【００３１】
有利には、上記整形外科インプラントは、上記関節運動学データ、関節負荷データ、および、関節咬交挙動データの上記仮想予測によって、上記患者の上記関節に合致するように正確に位置合わせされることができ、これにより、対応する上記１つまたはそれ以上の所望の移植後活動を上記患者が行うことを可能にする。
【００３２】
好ましくは、上記仮想予測は、コンピュータモデル予測を備えている。
【００３３】
有利には、上記関節運動学データ、関節負荷データ、および、関節咬交挙動データの上記仮想予測は、上記一つまたはそれ以上の所望の移植後活動を行うための整形外科インプラントの性能を予測するためのコンピュータモデル予測として提供される。
【００３４】
好ましくは、上記患者固有情報データは、１つまたはそれ以上の静的特徴を示す。
【００３５】
有利には、上記整形外科インプラントは、上記患者の関節の一つまたはそれ以上の静的特徴を考慮した上記患者の固有の位置合わせ情報データを取得することによって、上記患者の上記関節に合致するように正確に位置合わせされうる。
【００３６】
好ましくは、上記１つまたはそれ以上の静的特徴は、１つまたはそれ以上の、生体機械基準系の耐荷重性軸である。
【００３７】
有利には、上記整形外科インプラントは、上記患者の関節の生体機械基準系の耐荷重性軸を考慮した上記患者の固有の位置合わせ情報データを取得することによって、上記患者の上記関節に合致するように正確に位置合わせされうる。
【００３８】
好ましくは、上記生体機械基準系の耐荷重性は、一次耐荷重性軸を備えている。
【００３９】
有利には、上記整形外科インプラントは、上記患者の関節の上記一次耐荷重性軸を考慮した上記患者の固有の位置合わせ情報データを取得することによって、上記患者の上記関節に合致するように正確に位置合わせされうる。
【００４０】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【００４１】
好ましくは、上記患者固有情報データは、２Ｄ映像データを備えている。
【００４２】
有利には、上記整形外科インプラントは、上記患者の関節の２Ｄ映像データを考慮した位置合わせ情報データを取得することによって、上記患者の上記関節に合致するように正確に位置合わせされうる。
【００４３】
好ましくは、上記２Ｄ映像データは、１つまたはそれ以上の、Ｘ線データおよび視覚的透視撮影データを備えている。
【００４４】
好ましくは、上記患者固有情報データは、３Ｄ映像データを備えている。
【００４５】
有利には、上記整形外科インプラントは、上記患者の関節の３Ｄ映像データを考慮した位置合わせ情報データを取得することによって、上記患者の上記関節に合致するように正確に位置合わせされうる。
【００４６】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【００４７】
好ましくは、上記患者固有情報データは、４Ｄ映像データを備えている。
【００４８】
有利には、上記整形外科インプラントは、上記患者の関節の４Ｄ映像データを考慮した位置合わせ情報データを取得することによって、上記患者の上記関節に合致するように正確に位置合わせされうる。
【００４９】
好ましくは、上記４Ｄ映像データは、モーションキャプチャーデータを備えている。
【００５０】
好ましくは、上記患者固有情報データは、２Ｄおよび３Ｄ映像データを備えている。
【００５１】
有利には、上記整形外科インプラントは、上記患者の関節の２Ｄおよび３Ｄ映像データを考慮した位置合わせ情報データを取得することによって、上記患者の上記関節に合致するように正確に位置合わせされうる。
【００５２】
好ましくは、上記患者固有情報データは、上記患者の１つまたはそれ以上の身体特徴を示すデータを備えている。
【００５３】
有利には、上記整形外科インプラントは、上記患者の１つまたはそれ以上の身体特徴を考慮した位置合わせ情報データを取得することによって、上記患者の上記関節に合致するように正確に位置合わせされうる。
【００５４】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【００５５】
好ましくは、上記コンピュータ実行方法は、
上記患者データと、１つまたはそれ以上の所望の移植後活動を示し、かつ、移植後活動嗜好データを備えている患者取得データとに基づき、一組の位置合わせ情報データ候補を決定する工程と、
上記移植後活動嗜好データに基づき、上記一組の位置合わせ情報データ候補から上記位置合わせ情報データを選択する工程とをさらに含んでいる。
【００５６】
有利には、上記整形外科インプラントは、上記一つまたはそれ以上の所望の移植後活動を行うことに対する患者の嗜好を考慮した位置合わせ情報データを取得することによって、上記患者の上記関節に合致するように正確に位置合わせされうる。
【００５７】
好ましくは、上記移植後活動嗜好データは、上記１つまたはそれ以上の所望の移植後活動への相対的な患者の嗜好を示す嗜好比率である。
【００５８】
有利には、上記整形外科インプラントは、上記一つまたはそれ以上の所望の移植後活動を行うことに対する上記患者の相対的な嗜好を考慮した位置合わせ情報データを取得することによって、上記患者の上記関節に合致するように正確に位置合わせされうる。
【００５９】
好ましくは、上記コンピュータ実行方法は、ライブラリ位置合わせ情報データのデータベースにアクセスする工程をさらに含んでおり、上記位置合わせ情報データは、上記ライブラリ位置合わせ情報データに基づきさらに選択される。
【００６０】
有利には、上記整形外科インプラントは、上記一つまたはそれ以上の所望の移植後活動を行うためのライブラリ位置合わせ情報データを考慮した位置合わせ情報データを取得することによって、上記患者の上記関節に合致するように正確に位置合わせされうる。
【００６１】
好ましくは、上記ライブラリ位置合わせ情報データは、上記１つまたはそれ以上の所望の移植後活動のうち少なくとも１つを実行するための利用可能な一群の整形外科インプラントに関するデータを備えている。
【００６２】
有利には、上記整形外科インプラントは、上記１つまたはそれ以上の所望の移植後活動のうち少なくとも１つを実行するための利用可能な一群の整形外科インプラントに関するライブラリ位置合わせ情報データを考慮した位置合わせ情報データを取得することによって、上記患者の上記関節に合致するように正確に位置合わせされうる。
【００６３】
好ましくは、上記ライブラリ位置合わせ情報データは、上記１つまたはそれ以上の所望の移植後活動を行うための整形外科インプラントが取り付けられた一群の患者に関するデータを備えている。
【００６４】
有利には、上記整形外科インプラントは、上記１つまたはそれ以上の所望の移植後活動を行うための整形外科インプラントが取り付けられた一群の患者に関するライブラリ位置合わせ情報データを考慮した位置合わせ情報データを取得することによって、上記患者の上記関節に合致するように正確に位置合わせされうる。
【００６５】
本発明の他の局面によれば、上述したいずれかの段落に定義されたコンピュータ実行方法によって生成された位置合わせ情報データに基づき整形外科インプラントを位置合わせする位置合わせシステムを制御する方法が提供される。
【００６６】
有利には、上記整形外科インプラントは、上述のように取得された位置合わせ情報データに基づく位置合わせシステムを用いて、上記患者の上記関節に合致するように正確に位置合わせされうる。
【００６７】
好ましくは、上記位置合わせシステムは、ロボット位置合わせシステム、ハプティックフィードバック位置合わせシステム、およびコンピュータ補助位置合わせシステムを備えている一群の位置合わせシステムから選択される。
【００６８】
有利には、上記整形外科インプラントは、上述のように取得された位置合わせ情報データに基づくロボット位置合わせシステム、ハプティックフィードバック位置合わせシステム、およびコンピュータ補助位置合わせシステムを用いて、上記患者の上記関節に合致するように正確に位置合わせされうる。
【００６９】
本発明の他の局面によれば、患者の関節用の整形外科インプラントの位置合わせのための位置合わせ情報データを提供するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
上記データインタフェースを介して、１つまたはそれ以上の動的特徴を示す患者固有情報データを受信し、
上記患者固有情報データに基づき、患者データを算出し、かつ、
上記患者データに基づき、上記整形外科インプラントのための上記位置合わせ情報データを算出するように、上記コンピュータプログラムによって制御されるコンピュータ装置が提供される。
【００７０】
好ましくは、上記位置合わせ情報データは、上記関節の実際の３Ｄモデルデータを備えている。
【００７１】
好ましくは、上記位置合わせ情報データは、１つまたはそれ以上の、上記整形外科インプラントのための位置情報データ、および、上記整形外科インプラントのための回転情報データを備えている。
【００７２】
好ましくは、上記患者固有情報データは、１つまたはそれ以上の所望の移植後活動を示す患者取得データを備えている。
【００７３】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【００７４】
好ましくは、上記仮想予測は、コンピュータモデル予測を備えている。
【００７５】
好ましくは、上記患者固有情報データは、１つまたはそれ以上の静的特徴を示す。
【００７６】
好ましくは、上記１つまたはそれ以上の静的特徴は、１つまたはそれ以上の、生体機械基準系の耐荷重性軸である。
【００７７】
好ましくは、上記生体機械基準系の耐荷重性は、一次耐荷重性軸を備えている。
【００７８】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【００７９】
好ましくは、上記患者固有情報データは、２Ｄ映像データである。
【００８０】
好ましくは、上記２Ｄ映像データは、１つまたはそれ以上の、Ｘ線データおよび視覚的透視撮影データを備えている。
【００８１】
好ましくは、上記患者固有情報データは、３Ｄ映像データを備えている。
【００８２】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【００８３】
好ましくは、上記患者固有情報データは、４Ｄ映像データを備えている。
【００８４】
好ましくは、上記４Ｄ映像データは、モーションキャプチャーデータを備えている。
【００８５】
好ましくは、上記患者固有情報データは、２Ｄおよび３Ｄ映像データを備えている。
【００８６】
好ましくは、上記患者固有情報データは、上記患者の１つまたはそれ以上の身体特徴を示すデータを備えている。
【００８７】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【００８８】
好ましくは、上記プロセッサは、
１つまたはそれ以上の所望の移植後活動を示し、かつ、移植後活動嗜好データを備えている患者取得データを、上記データインタフェースを介して受信し、
上記患者データおよび上記患者取得データに基づき、一組の位置合わせ情報データ候補を決定し、
上記移植後活動嗜好データに基づき、上記一組の位置合わせ情報データ候補から上記位置合わせ情報データを選択するように、上記コンピュータプログラムによってさらに制御される。
【００８９】
好ましくは、上記移植後活動嗜好データは、上記１つまたはそれ以上の所望の移植後活動への相対的な患者の嗜好を示す嗜好比率である。
【００９０】
好ましくは、ライブラリ位置合わせ情報データを含んでいるデジタルデータを格納するための、上記プロセッサに接続されているデータベースをさらに備えており、
上記プロセッサは、上記データベースから上記ライブラリ位置合わせ情報データを読み出すように、上記コンピュータプログラムによってさらに制御され、
上記位置合わせ情報データは、上記ライブラリ位置合わせ情報データに基づきさらに選択される。
【００９１】
好ましくは、上記ライブラリ位置合わせ情報データは、上記１つまたはそれ以上の所望の移植後活動のうち少なくとも１つを実行するための利用可能な一群の整形外科インプラントに関するデータを備えている。
【００９２】
好ましくは、上記ライブラリ位置合わせ情報データは、上記１つまたはそれ以上の所望の移植後活動を行うための整形外科インプラントが取り付けられた一群の患者に関するデータを備えている。
【００９３】
本発明の他の局面によれば、データインタフェースを介して、１つまたはそれ以上の動的特徴を示す患者固有情報データを受信し、
上記患者固有情報データに基づき、患者データを算出し、かつ、
上記患者データに基づき、上記整形外科インプラントのための上記位置合わせ情報データを算出するための、コンピュータによって実行されることが可能なコンピュータプログラムコード指令を備えているコンピュータ読み取り可能な記録媒体が提供される。
【００９４】
好ましくは、上記位置合わせ情報データは、上記関節の実際の３Ｄモデルデータを備えている。
【００９５】
好ましくは、上記位置合わせ情報データは、１つまたはそれ以上の、上記整形外科インプラントのための位置情報データ、および、上記整形外科インプラントのための回転情報データを備えている。
【００９６】
好ましくは、上記患者固有情報データは、１つまたはそれ以上の所望の移植後活動を示す患者取得データを備えている。
【００９７】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【００９８】
好ましくは、上記仮想予測は、コンピュータモデル予測を備えている。
【００９９】
好ましくは、上記患者固有情報データは、１つまたはそれ以上の静的特徴を示す。
【０１００】
好ましくは、上記１つまたはそれ以上の静的特徴は、１つまたはそれ以上の、生体機械基準系の耐荷重性軸である。
【０１０１】
好ましくは、上記生体機械基準系の耐荷重性は、一次耐荷重性軸を備えている。
【０１０２】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０１０３】
好ましくは、上記患者固有情報データは、２Ｄ映像データである。
【０１０４】
好ましくは、上記２Ｄ映像データは、１つまたはそれ以上の、Ｘ線データおよび視覚的透視撮影データ。
【０１０５】
好ましくは、上記患者固有情報データは、３Ｄ映像データを備えている。
【０１０６】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０１０７】
好ましくは、上記患者固有情報データは、４Ｄ映像データを備えている。
【０１０８】
好ましくは、上記４Ｄ映像データは、モーションキャプチャーデータを備えている。
【０１０９】
好ましくは、上記患者固有情報データは、２Ｄおよび３Ｄ映像データを備えている。
【０１１０】
好ましくは、上記患者固有情報データは、上記患者の１つまたはそれ以上の身体特徴を示すデータを備えている。
【０１１１】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０１１２】
好ましくは、１つまたはそれ以上の所望の移植後活動を示し、かつ、移植後活動嗜好データを備えている患者取得データを、上記データインタフェースを介して受信し、
上記患者データおよび上記患者取得データに基づき、一組の位置合わせ情報データ候補を決定し、
上記移植後活動嗜好データに基づき、上記一組の位置合わせ情報データ候補から上記位置合わせ情報データを選択するための指令をさらに備えている。
【０１１３】
好ましくは、上記移植後活動嗜好データは、上記１つまたはそれ以上の所望の移植後活動への相対的な患者の嗜好を示す嗜好比率である。
【０１１４】
好ましくは、データベースから、ライブラリ位置合わせ情報データを読み出すための指令をさらに備えており、上記位置合わせ情報データは、上記ライブラリ位置合わせ情報データに基づきさらに選択される。
【０１１５】
好ましくは、上記ライブラリ位置合わせ情報データは、上記１つまたはそれ以上の所望の移植後活動のうち少なくとも１つを実行するための利用可能な一群の整形外科インプラントに関するデータを備えている。
【０１１６】
好ましくは、上記ライブラリ位置合わせ情報データは、上記１つまたはそれ以上の所望の移植後活動を行うための整形外科インプラントが取り付けられた一群の患者に関するデータを備えている。
【０１１７】
本発明の他の局面によれば、上述したいずれかの段落に定義されたコンピュータ装置にデータリンクを介して接続され、かつデジタルデータを送受信するためのインタフェースを備えており、上記インタフェースは、上述したいずれかの段落において言及されたデジタルデータを送受信するように適合されているクライアントコンピュータ装置が提供される。
【０１１８】
本発明の他の局面によれば、利用可能な一群の整形外科インプラントから、患者の関節用の整形外科インプラントを選択するコンピュータ実行方法であって、
上述したいずれかの段落に定義されたコンピュータ実行方法に基づき、患者のための位置合わせ情報データを取得する工程と、
上記利用可能な一群の整形外科インプラントから上記整形外科インプラントを選択するために、上記位置合わせ情報データに応答する工程とを含むコンピュータ実行方法が提供される。
【０１１９】
好ましくは、上記コンピュータ実行方法は、ライブラリ位置合わせ情報データデータベースを上記位置合わせ情報データで更新するために、選択された上記整形外科インプラントに対して応答する工程をさらに含んでいる。
【０１２０】
有利には、上記ライブラリ情報データベースは、上記固有の位置合わせ情報データに基づき上記患者の関節に合致することに適した整形外科インプラントが上記一群の整形外科インプラントからいったん選択されると、上記患者の関節に関連づけられる上記位置合わせ情報データで更新されうる。
【０１２１】
本発明の他の局面によれば、利用可能な一群の整形外科インプラントから、患者の関節用の整形外科インプラントを選択するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
上述したいずれかの段落に定義されたコンピュータ実行方法に基づき、患者のための位置合わせ情報データを取得し、
上記利用可能な一群の整形外科インプラントから上記整形外科インプラントを選択するために、上記位置合わせ情報データに応答するように、上記コンピュータプログラムによって制御されるコンピュータ装置が提供される。
【０１２２】
好ましくは、ライブラリ位置合わせ情報データを含んでいるデジタルデータを格納するための、上記プロセッサに接続されているデータベースをさらに備えており、
上記プロセッサは、選択された上記整形外科インプラントに基づき上記データベースを上記位置合わせ情報データで更新するように、上記コンピュータプログラムコードによってさらに制御される。
【０１２３】
本発明の他の局面によれば、上述したいずれかの段落に定義されたコンピュータ実行方法に基づき、患者のための位置合わせ情報データを受信し、かつ、
上記利用可能な一群の整形外科インプラントから上記整形外科インプラントを選択するために、上記位置合わせ情報データに応答するための、コンピュータによって実行されることが可能なコンピュータプログラムコード指令、を備えているコンピュータ読み取り可能な記録媒体が提供される。
【０１２４】
好ましくは、選択された上記整形外科インプラントに基づき、データベースを上記位置合わせ情報データで更新するための指令をさらに備えている。
【０１２５】
本発明の他の局面によれば、上述したいずれかの段落に定義されたコンピュータ装置にデータリンクを介して接続されている、デジタルデータを送受信するためのインタフェースを備えており、上記インタフェースは、上述したいずれかの段落において言及されたデジタルデータを送受信するように適合されているクライアントコンピュータ装置が提供される。
【０１２６】
本発明の他の局面によれば、患者の関節に整形外科インプラントを位置合わせするコンピュータ実行方法であって、
上述したいずれかの段落に定義されたコンピュータ実行方法に基づき、患者のための位置合わせ情報データを取得する工程と、
上記整形外科インプラントが上記患者の上記関節に対して位置合わせされるように、上記位置合わせ情報データに応答する工程とを含むコンピュータ実行方法が提供される。
【０１２７】
有利には、上記整形外科インプラントは、上記患者に固有の上記取得された位置合わせ情報データに基づき、上記患者の関節に対して正確に位置合わせされうる。
【０１２８】
好ましくは、上記整形外科インプラントは、上記位置合わせ情報データを受信する位置合わせシステムによって位置合わせされる。
【０１２９】
有利には、上記整形外科インプラントは、上述のように取得された位置合わせ情報データに基づく位置合わせシステムを用いて、上記患者の上記関節に合致するように正確に位置合わせされうる。
【０１３０】
好ましくは、上記位置合わせシステムは、ロボット位置合わせシステム、ハプティックフィードバック位置合わせシステム、およびコンピュータ補助位置合わせシステムを備えている一群の位置合わせシステムから選択される。
【０１３１】
有利には、上記整形外科インプラントは、上述のように取得された位置合わせ情報データに基づくロボット位置合わせシステム、ハプティックフィードバック位置合わせシステム、およびコンピュータ補助位置合わせシステムを用いて、上記患者の上記関節に合致するように正確に位置合わせされうる。
【０１３２】
好ましくは、上記コンピュータ実行方法は、ライブラリ位置合わせ情報データデータベースを上記位置合わせ情報データで更新するために、位置合わせされた上記整形外科インプラントに対して応答する工程をさらに含んでいる。
【０１３３】
有利には、上記ライブラリ情報データベースは、上記固有の位置合わせ情報データに基づき、上記整形外科インプラントが上記患者の関節に合致するようにいったん位置合わせされると、上記患者の関節に関連づけられる上記位置合わせ情報データで更新されうる。
【０１３４】
本発明の他の局面によれば、患者の関節に整形外科インプラントを位置合わせするコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
上述したいずれかの段落に定義されたコンピュータ実行方法に基づく、患者のための位置合わせ情報データを、データインタフェースを介して受信し、かつ、
上記整形外科インプラントを上記患者の上記関節に対して位置合わせする位置合わせシステムに、上記データインタフェースを介して上記位置合わせ情報データを送信するように、上記コンピュータプログラムによって制御されるコンピュータ装置が提供される。
【０１３５】
好ましくは、上記位置合わせシステムは、ロボット位置合わせシステム、ハプティックフィードバック位置合わせシステム、およびコンピュータ補助位置合わせシステムを備えている一群の位置合わせシステムから選択される。
【０１３６】
好ましくは、ライブラリ位置合わせ情報データを含んでいるデジタルデータを格納するための、上記プロセッサに接続されているデータベースをさらに備えており、
上記プロセッサは、選択された上記整形外科インプラントに基づき上記データベースを上記位置合わせ情報データで更新するように、上記コンピュータプログラムコードによってさらに制御される。
【０１３７】
本発明の他の局面によれば、上述したいずれかの段落に定義されたコンピュータ実行方法に基づく患者のための位置合わせ情報データを、データインタフェースを介して受信し、かつ、
上記整形外科インプラントを上記患者の上記関節に対して位置合わせする位置合わせシステムに、上記データインタフェースを介して上記位置合わせ情報データを送信するように、コンピュータによって実行されることが可能なコンピュータプログラムコード指令を備えているコンピュータ読み取り可能な記録媒体が提供される。
【０１３８】
本発明の他の局面によれば、上記位置合わせシステムは、ロボット位置合わせシステム、ハプティックフィードバック位置合わせシステム、およびコンピュータ補助位置合わせシステムを備えている一群の位置合わせシステムから選択される請求項９０にコンピュータ読み取り可能な記録媒体が提供される。
【０１３９】
好ましくは、位置合わせされた上記整形外科インプラントに基づき、データベースを上記位置合わせ情報データで更新するための指令をさらに備えている。
【０１４０】
本発明の他の局面によれば、上述したいずれかの段落に定義されたコンピュータ装置にデータリンクを介して接続され、かつデジタルデータを送受信するためのインタフェースを備えており、上記インタフェースは、上述したいずれかの段落において言及されたデジタルデータを送受信するように適合されているクライアントコンピュータ装置が提供される。
【０１４１】
本発明の他の局面によれば、患者の関節用の整形外科インプラントの位置合わせをモデル化するコンピュータ実行方法であって、
１つまたはそれ以上の動的特徴を示す、患者データを得るための患者固有情報データに応答する工程と、
上記患者固有情報データに基づき上記整形外科インプラントを位置合わせ形態において示すような上記関節の３Ｄモデルデータを提供する上記患者データに応答する工程とを含むコンピュータ実行方法が提供される。
【０１４２】
有利には、上記整形外科インプラントの上記位置合わせ形態は、上記患者固有情報データによって、上記整形外科インプラントを上記患者の関節に対して合致させるために正確にモデル化される。
【０１４３】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０１４４】
有利には、上記整形外科インプラントの上記位置合わせ形態は、上記関節運動学データ、関節負荷データ、および関節咬交挙動データに基づく仮想予測によって、上記整形外科インプラントを上記患者の関節に対して合致させるために正確にモデル化される。
【０１４５】
好ましくは、上記仮想予測は、コンピュータモデル予測を備えている。
【０１４６】
有利には、上記関節運動学データ、関節負荷データ、および関節咬交挙動データに基づく仮想予測は、上記整形外科インプラントを上記患者の関節に合致させるための上記整形外科インプラントの位置合わせ形態を予測するためのコンピュータモデル予測として提供される。
【０１４７】
好ましくは、上記患者固有情報データは、１つまたはそれ以上の静的特徴を示す。
【０１４８】
有利には、上記整形外科インプラントの上記位置合わせ形態は、上記患者の関節の１つまたはそれ以上の静的特徴を考慮した、上記患者の関節に関連づけられた上記患者固有情報データによって、上記整形外科インプラントを上記患者の関節に対して合致させるために正確にモデル化される。
【０１４９】
好ましくは、上記１つまたはそれ以上の静的特徴は、１つまたはそれ以上の、生体機械基準系の耐荷重性軸である。
【０１５０】
有利には、上記整形外科インプラントの上記位置合わせ形態は、上記患者の関節の上記生体機械基準系の１つまたはそれ以上の耐荷重性軸を考慮した、上記患者の関節に関連づけられた上記患者固有情報データによって、上記整形外科インプラントを上記患者の関節に対して合致させるために正確にモデル化される。
【０１５１】
好ましくは、上記生体機械基準系の耐荷重性は、一次耐荷重性軸を備えている。
【０１５２】
有利には、上記整形外科インプラントの上記位置合わせ形態は、上記患者の関節の上記一次耐荷重性軸を考慮した、上記患者の関節に関連づけられた上記患者固有情報データによって、上記整形外科インプラントを上記患者の関節に対して合致させるために正確にモデル化される。
【０１５３】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０１５４】
好ましくは、上記患者固有情報データは、２Ｄ映像データを備えている。
【０１５５】
有利には、上記整形外科インプラントの上記位置合わせ形態は、上記患者の関節の上記２Ｄ映像データを考慮した、上記患者の関節に関連づけられた上記患者固有情報データによって、上記整形外科インプラントを上記患者の関節に対して合致させるために正確にモデル化される。
【０１５６】
好ましくは、上記２Ｄ映像データは、１つまたはそれ以上の、Ｘ線データおよび視覚的透視撮影データを備えている。
【０１５７】
好ましくは、上記患者固有情報データは、３Ｄ映像データを備えている。
【０１５８】
有利には、上記整形外科インプラントの上記位置合わせ形態は、上記患者の関節の上記３Ｄ映像データを考慮した、上記患者の関節に関連づけられた上記患者固有情報データによって、上記整形外科インプラントを上記患者の関節に対して合致させるために正確にモデル化される。
【０１５９】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０１６０】
好ましくは、上記患者固有情報データは、４Ｄ映像データを備えている。
【０１６１】
有利には、上記整形外科インプラントの上記位置合わせ形態は、上記患者の関節の上記４Ｄ映像データを考慮した、上記患者の関節に関連づけられた上記患者固有情報データによって、上記整形外科インプラントを上記患者の関節に対して合致させるために正確にモデル化される。
【０１６２】
好ましくは、上記４Ｄ映像データは、モーションキャプチャーデータを備えている。
【０１６３】
好ましくは、上記患者固有情報データは、２Ｄおよび３Ｄ映像データを備えている。
【０１６４】
有利には、上記整形外科インプラントの上記位置合わせ形態は、上記患者の関節の上記２Ｄおよび３Ｄ映像データを考慮した、上記患者の関節に関連づけられた上記患者固有情報データによって、上記整形外科インプラントを上記患者の関節に対して合致させるために正確にモデル化される。
【０１６５】
好ましくは、上記患者固有情報データは、上記患者の１つまたはそれ以上の身体特徴を示すデータを備えている。
【０１６６】
有利には、上記整形外科インプラントの上記位置合わせ形態は、上記患者の１つまたはそれ以上の身体特徴を考慮した、上記患者の関節に関連づけられた上記患者固有情報データによって、上記整形外科インプラントを上記患者の関節に対して合致させるために正確にモデル化される。
【０１６７】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０１６８】
好ましくは、上記コンピュータ実行方法は、上記患者データと、１つまたはそれ以上の所望の移植後活動を示し、かつ、移植後活動嗜好データを備えている患者取得データとに基づき、一組の位置合わせ形態候補を決定する工程と、
上記移植後活動嗜好データに基づき、上記一組の位置合わせ形態候補から上記位置合わせ形態を選択する工程とをさらに含んでいる。
【０１６９】
有利には、上記整形外科インプラントの上記位置合わせ形態は、１つまたはそれ以上の所望の移植後活動を行うことへの上記患者の嗜好を考慮した、上記患者の関節に関連づけられた上記患者固有情報データによって、上記整形外科インプラントを上記患者の関節に対して合致させるために選択される。
【０１７０】
好ましくは、上記移植後活動嗜好データは、上記１つまたはそれ以上の所望の移植後活動への相対的な患者の嗜好を示す嗜好比率である。
【０１７１】
有利には、上記整形外科インプラントの上記位置合わせ形態は、上記１つまたはそれ以上の所望の移植後活動を行うことへの相対的な上記患者の嗜好を考慮した、上記患者の関節に関連づけられた上記患者固有情報データによって、上記整形外科インプラントを上記患者の関節に対して合致させるために選択される。
【０１７２】
好ましくは、上記コンピュータ実行方法は、ライブラリ位置合わせ形態データのデータベースにアクセスする工程をさらに含んでおり、上記位置合わせ形態は、上記ライブラリ位置合わせ形態データに基づきさらに選択される。
【０１７３】
有利には、上記整形外科インプラントの上記位置合わせ形態は、上記１つまたはそれ以上の所望の移植後活動を行うことに適したライブラリ位置合わせ形態を考慮した、上記患者の関節に関連づけられた上記患者固有情報データによって、上記整形外科インプラントを上記患者の関節に対して合致させるために選択される。
【０１７４】
好ましくは、上記ライブラリ位置合わせ形態データは、上記１つまたはそれ以上の所望の移植後活動のうち少なくとも１つを実行するための利用可能な一群の整形外科インプラントに関するデータを備えている。
【０１７５】
有利には、上記整形外科インプラントの上記位置合わせ形態は、１つまたはそれ以上の所望の移植後活動のうち少なくとも１つを実行するために以前に他の患者によって選択された利用可能な一群の整形外科インプラントに関連するライブラリ位置合わせ形態を考慮した、上記患者の関節に関連づけられた上記患者固有情報データによって、上記整形外科インプラントを上記患者の関節に対して合致させるために選択される。
【０１７６】
好ましくは、上記ライブラリ位置合わせ情報データは、上記１つまたはそれ以上の所望の移植後活動を行うための整形外科インプラントが取り付けられた一群の患者に関するデータを備えている。
【０１７７】
有利には、上記整形外科インプラントの上記位置合わせ形態は、上記１つまたはそれ以上の所望の移植後活動を行うための整形外科インプラントが以前に取り付けられた一群の患者に関連するライブラリ位置合わせ形態を考慮した、上記患者の関節に関連づけられた上記患者固有情報データによって、上記整形外科インプラントを上記患者の関節に対して合致させるために選択される。
【０１７８】
本発明の他の局面によれば、患者の関節用の整形外科インプラントの位置合わせをモデル化するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
上記データインタフェースを介して、１つまたはそれ以上の動的特徴を示す患者固有情報データを受信し、
上記患者固有情報データに基づき、患者データを算出し、かつ、
上記患者固有情報データに基づき上記整形外科インプラントを位置合わせ形態において示すような上記関節の３Ｄモデルデータを上記患者データに基づき算出するように、上記コンピュータプログラムによって制御されるコンピュータ装置が提供される。
【０１７９】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０１８０】
好ましくは、上記仮想予測は、コンピュータモデル予測を備えている。
【０１８１】
好ましくは、上記患者固有情報データは、１つまたはそれ以上の静的特徴を示す。
【０１８２】
好ましくは、上記１つまたはそれ以上の静的特徴は、１つまたはそれ以上の、生体機械基準系の耐荷重性軸である。
【０１８３】
好ましくは、上記生体機械基準系の耐荷重性は、一次耐荷重性軸を備えている。
【０１８４】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０１８５】
好ましくは、上記患者固有情報データは、２Ｄ映像データを備えている。
【０１８６】
好ましくは、上記２Ｄ映像データは、１つまたはそれ以上の、Ｘ線データおよび視覚的透視撮影データを備えている。
【０１８７】
好ましくは、上記患者固有情報データは、３Ｄ映像データを備えている。
【０１８８】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０１８９】
好ましくは、上記患者固有情報データは、４Ｄ映像データを備えている。
【０１９０】
好ましくは、上記４Ｄ映像データは、モーションキャプチャーデータを備えている。
【０１９１】
好ましくは、上記患者固有情報データは、２Ｄおよび３Ｄ映像データを備えている。
【０１９２】
好ましくは、上記患者固有情報データは、上記患者の１つまたはそれ以上の身体特徴を示すデータを備えている。
【０１９３】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０１９４】
本発明の他の局面によれば、上記プロセッサは、
１つまたはそれ以上の所望の移植後活動を示し、かつ、移植後活動嗜好データを備えている患者取得データを、上記データインタフェースを介して受信し、
上記患者データおよび上記患者取得データに基づき、一組の位置合わせ形態候補を算出し、かつ、
上記移植後活動嗜好データに基づき上記一組の位置合わせ形態候補から上記位置合わせ形態を選択するように、上記コンピュータプログラムによってさらに制御される請求項ｈ１１５に定義されたコンピュータ装置が提供される。
【０１９５】
好ましくは、上記移植後活動嗜好データは、上記１つまたはそれ以上の所望の移植後活動への相対的な患者の嗜好を示す嗜好比率である。
【０１９６】
好ましくは、ライブラリ位置合わせ形態データを含んでいるデジタルデータを格納するための、上記プロセッサに接続されているデータベースをさらに備えており、
上記プロセッサは、上記データベースから、上記ライブラリ位置合わせ形態データを読み出すように、上記コンピュータプログラムによってさらに制御され、
上記位置合わせ形態は、上記ライブラリ位置合わせ形態データに基づきさらに選択される。
【０１９７】
好ましくは、上記ライブラリ位置合わせ形態データは、上記１つまたはそれ以上の所望の移植後活動のうち少なくとも１つを実行するための利用可能な一群の整形外科インプラントに関するデータを備えている。
【０１９８】
好ましくは、上記ライブラリ位置合わせ形態データは、上記１つまたはそれ以上の所望の移植後活動を行うための整形外科インプラントが取り付けられた一群の患者に関するデータを備えている。
【０１９９】
本発明の他の局面によれば、データインタフェースを介して、１つまたはそれ以上の動的特徴を示す患者固有情報データを受信し、
上記患者固有情報データに基づき、患者データを算出し、かつ、
上記患者固有情報データに基づき上記整形外科インプラントを位置合わせ形態において示すような上記関節の３Ｄモデルデータを上記患者データに基づき算出するように、コンピュータによって実行されることが可能な、コンピュータプログラムコード指令を備えているコンピュータ読み取り可能な記録媒体が提供される。
【０２００】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０２０１】
好ましくは、上記仮想予測は、コンピュータモデル予測を備えている。
【０２０２】
好ましくは、上記患者固有情報データは、１つまたはそれ以上の静的特徴を示す。
【０２０３】
好ましくは、上記１つまたはそれ以上の静的特徴は、１つまたはそれ以上の、生体機械基準系の耐荷重性軸を備えている。
【０２０４】
好ましくは、上記生体機械基準系の耐荷重性は、一次耐荷重性軸を備えている。
【０２０５】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０２０６】
好ましくは、上記患者固有情報データは、２Ｄ映像データを備えている。
【０２０７】
好ましくは、上記２Ｄ映像データは、１つまたはそれ以上の、Ｘ線データおよび視覚的透視撮影データを備えている。
【０２０８】
好ましくは、上記患者固有情報データは、３Ｄ映像データを備えている。
【０２０９】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０２１０】
好ましくは、上記患者固有情報データは、４Ｄ映像データを備えている。
【０２１１】
好ましくは、上記４Ｄ映像データは、モーションキャプチャーデータを備えている。
【０２１２】
好ましくは、上記患者固有情報データは、２Ｄおよび３Ｄ映像データを備えている。
【０２１３】
好ましくは、上記患者固有情報データは、上記患者の１つまたはそれ以上の身体特徴を示すデータを備えている。
【０２１４】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０２１５】
好ましくは、１つまたはそれ以上の所望の移植後活動を示し、かつ、移植後活動嗜好データを備えている患者取得データを、上記データインタフェースを介して受信し、
上記患者データおよび上記患者取得データに基づき、一組の位置合わせ形態候補を算出し、かつ、
上記移植後活動嗜好データに基づき、上記一組の位置合わせ形態候補から上記位置合わせ形態を選択するための指令をさらに備えている。
【０２１６】
好ましくは、上記移植後活動嗜好データは、上記１つまたはそれ以上の所望の移植後活動への相対的な患者の嗜好を示す嗜好比率である。
【０２１７】
好ましくは、データベースから、ライブラリ位置合わせ形態データを読み出すための指令をさらに備えており、上記位置合わせ形態は、上記ライブラリ位置合わせ形態データに基づきさらに選択される。
【０２１８】
好ましくは、上記ライブラリ位置合わせ形態データは、上記１つまたはそれ以上の所望の移植後活動のうち少なくとも１つを実行するための利用可能な一群の整形外科インプラントに関するデータを備えている。
【０２１９】
好ましくは、上記ライブラリ位置合わせ形態データは、上記１つまたはそれ以上の所望の移植後活動を行うための整形外科インプラントが取り付けられた一群の患者に関するデータを備えている。
【０２２０】
本発明の他の局面によれば、上述したいずれかの段落に定義されたコンピュータ装置にデータリンクを介して接続され、かつデジタルデータを送受信するためのインタフェースを備えており、上記インタフェースは、上述したいずれかの段落において言及されたデジタルデータを送受信するように適合されているクライアントコンピュータ装置が提供される。
【０２２１】
本発明の他の局面によれば、一群の整形外科インプラントから、患者の関節用の整形外科インプラントを選択するコンピュータ実行方法であって、
１つまたはそれ以上の動的特徴を示す、患者データを得るための患者固有情報データに応答する工程と、
実際の３Ｄモデルデータを提供するための上記患者データに応答する工程と、
上記関節の好ましい３Ｄモデルデータを提供するための上記患者データに応答する工程と、
上記一群の整形外科インプラントから上記整形外科インプラントを選択するために、上記実際の３Ｄモデルデータおよび上記好ましい３Ｄモデルデータを用いる工程とを含むコンピュータ実行方法が提供される。
【０２２２】
有利には、上記整形外科インプラントは、上記１つまたはそれ以上の動的特徴に基づき上記関節の上記実際の３Ｄモデルと好ましい３Ｄモデルとを比較することによって、上記患者の関節に取り付けるための上記一群の整形外科インプラントから選択されうる。
【０２２３】
好ましくは、上記コンピュータ実行方法は、１つまたはそれ以上の所望の移植後活動を示し、かつ、移植後活動嗜好データを備えている患者取得データを受信する工程と、
上記関節の上記好ましい３Ｄモデルデータをさらに最適化するための上記移植後活動嗜好データに応答する工程とをさらに含んでいる。
【０２２４】
有利には、上記整形外科インプラントは、上記関節の上記実際の３Ｄモデルと、移植後活動嗜好データを考慮した好ましい３Ｄモデルとを比較することによって、上記患者の関節に取り付けるための上記一群の整形外科インプラントから選択されうる。
【０２２５】
好ましくは、上記移植後活動嗜好データは、上記１つまたはそれ以上の所望の移植後活動への相対的な患者の嗜好を示す嗜好比率である。
【０２２６】
有利には、上記整形外科インプラントは、上記関節の上記実際の３Ｄモデルと、上記１つまたはそれ以上の所望の移植後活動を行うことへの相対的な上記患者の嗜好を考慮した好ましい３Ｄモデルとを比較することによって、上記患者の関節に取り付けるための上記一群の整形外科インプラントから選択されうる。
【０２２７】
好ましくは、上記コンピュータ実行方法は、ライブラリ位置合わせ形態データのデータベースにアクセスする工程をさらに含んでおり、上記関節の上記好ましい３Ｄモデルデータは、上記ライブラリ位置合わせ形態データに基づく上記実際の３Ｄモデルデータの最適化によってさらに提供される。
【０２２８】
有利には、上記整形外科インプラントは、上記関節の上記実際の３Ｄモデルと、ライブラリ位置合わせ形態データを考慮した好ましい３Ｄモデルとを比較することによって、上記患者の関節に取り付けるための上記一群の整形外科インプラントから選択されうる。
【０２２９】
好ましくは、上記ライブラリ位置合わせ形態データは、上記１つまたはそれ以上の所望の移植後活動のうち少なくとも１つを実行するための利用可能な一群の整形外科インプラントに関するデータを備えている。
【０２３０】
有利には、上記整形外科インプラントは、上記関節の上記実際の３Ｄモデルと、１つまたはそれ以上の所望の移植後活動のうち少なくとも１つを実行するために以前に他の患者によって選択された利用可能な一群の整形外科インプラントに関連するライブラリ位置合わせ形態データを考慮した好ましい３Ｄモデルとを比較することによって、上記患者の関節に取り付けるための上記一群の整形外科インプラントから選択されうる。
【０２３１】
好ましくは、上記ライブラリ位置合わせ形態データは、上記１つまたはそれ以上の所望の移植後活動を行うための整形外科インプラントが取り付けられた一群の患者に関するデータを備えている。
【０２３２】
有利には、上記整形外科インプラントは、上記関節の上記実際の３Ｄモデルと、上記１つまたはそれ以上の所望の移植後活動を行うための整形外科インプラントが以前に取り付けられた一群の患者に関連するライブラリ位置合わせ形態データを考慮した好ましい３Ｄモデルとを比較することによって、上記患者の関節に取り付けるための上記一群の整形外科インプラントから選択されうる。
【０２３３】
好ましくは、上記コンピュータ実行方法は、上記関節の上記好ましい３Ｄモデルデータを少なくとも備えているグラフィカルユーザインターフェースを表示する工程をさらに含んでいる。
【０２３４】
有利には、上記整形外科インプラントは、上記関節の上記実際の３Ｄモデルと、上記グラフィカルユーザインターフェースに表示された好ましい３Ｄモデルとを視覚的に比較することによって、上記患者の関節に取り付けるための上記一群の整形外科インプラントから選択されうる。
【０２３５】
本発明の他の局面によれば、一群の整形外科インプラントから、患者の関節用の整形外科インプラントを選択するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
１つまたはそれ以上の動的特徴を示す、患者データを得るための患者固有情報データを受信し、
上記患者データに基づき、実際の３Ｄモデルデータを算出し、
上記患者データに基づき、上記関節の好ましい３Ｄモデルデータを算出し、かつ、
上記実際の３Ｄモデルデータおよび上記好ましい３Ｄモデルデータに基づき、上記一群の整形外科インプラントから上記整形外科インプラントを選択するように、上記コンピュータプログラムによって制御されるコンピュータ装置が提供される。
【０２３６】
好ましくは、上記プロセッサは、
１つまたはそれ以上の所望の移植後活動を示し、かつ、移植後活動嗜好データを備えている患者取得データを受信し、かつ、
上記移植後活動嗜好データに基づき、上記関節の上記好ましい３Ｄモデルデータを算出するように、上記コンピュータプログラムによって制御される。
【０２３７】
好ましくは、上記移植後活動嗜好データは、上記１つまたはそれ以上の所望の移植後活動への相対的な患者の嗜好を示す嗜好比率である。
【０２３８】
好ましくは、ライブラリ位置合わせ形態データを含んでいるデジタルデータを格納するための、上記プロセッサに接続されているデータベースをさらに備えており、
上記プロセッサは、上記データベースから上記ライブラリ位置合わせ形態データを読み出すように、上記コンピュータプログラムによって制御され、
上記関節の上記好ましい３Ｄモデルデータは、上記ライブラリ位置合わせ形態データに基づく上記実際の３Ｄモデルデータの最適化によってさらに算出される。
【０２３９】
好ましくは、上記ライブラリ位置合わせ形態データは、上記１つまたはそれ以上の所望の移植後活動のうち少なくとも１つを実行するための利用可能な一群の整形外科インプラントに関するデータを備えている。
【０２４０】
好ましくは、上記ライブラリ位置合わせ情報データは、上記１つまたはそれ以上の所望の移植後活動を行うための整形外科インプラントが取り付けられた一群の患者に関するデータを備えている。
【０２４１】
好ましくは、上記プロセッサに接続されている表示装置をさらに備え、
上記表示装置は、上記関節の上記好ましい３Ｄモデルデータを少なくとも備えているグラフィカルユーザインターフェースを表示するように、上記コンピュータプログラムコードによって制御され、
上記データインタフェースは、少なくとも上記好ましい３Ｄモデルデータを受信するように、上記コンピュータプログラムコードによって制御される。
【０２４２】
本発明の他の局面によれば、データインタフェースを介して、１つまたはそれ以上の動的特徴を示す患者固有情報データを受信し、
上記患者データに基づき、上記関節の実際の３Ｄモデルデータを算出し、
上記患者データに基づき、上記関節の好ましい３Ｄモデルデータを算出し、かつ、
上記実際の３Ｄモデルデータおよび上記好ましい３Ｄモデルデータに基づき、上記一群の整形外科インプラントから上記整形外科インプラントを選択するように、コンピュータによって実行されることが可能な、コンピュータプログラムコード指令を備えているコンピュータ読み取り可能な記録媒体が提供される。
【０２４３】
好ましくは、１つまたはそれ以上の所望の移植後活動を示し、かつ、移植後活動嗜好データを備えている患者取得データを、上記データインタフェースを介して受信し、かつ、
上記移植後活動嗜好データに基づき、上記関節の上記好ましい３Ｄモデルデータを算出するための指令をさらに備えている。
【０２４４】
好ましくは、上記移植後活動嗜好データは、上記１つまたはそれ以上の所望の移植後活動への相対的な患者の嗜好を示す嗜好比率である。
【０２４５】
好ましくは、データベースからライブラリ位置合わせ形態データを読み出すための指令をさらに備え、
上記関節の上記好ましい３Ｄモデルデータは、上記ライブラリ位置合わせ形態データに基づく上記実際の３Ｄモデルデータの最適化によってさらに算出される。
【０２４６】
好ましくは、上記ライブラリ位置合わせ形態データは、上記１つまたはそれ以上の所望の移植後活動のうち少なくとも１つを実行するための利用可能な一群の整形外科インプラントに関するデータを備えている。
【０２４７】
好ましくは、上記ライブラリ位置合わせ形態データは、上記１つまたはそれ以上の所望の移植後活動を行うための整形外科インプラントが取り付けられた一群の患者に関するデータを備えている。
【０２４８】
好ましくは、上記関節の上記好ましい３Ｄモデルデータを少なくとも備えているグラフィカルユーザインターフェースを表示するための指令をさらに備えている。
【０２４９】
本発明の他の局面によれば、上述したいずれかの段落に定義されたコンピュータ装置にデータリンクを介して接続され、かつデジタルデータを送受信するためのインタフェースを備えており、上記インタフェースは、上述したいずれかの段落において言及されたデジタルデータを送受信するように適合されているクライアントコンピュータ装置が提供される。
【０２５０】
本発明の他の局面によれば、整形外科インプラント咬交表面を有する、患者の関節用の整形外科インプラントを製造するための製造パラメータを生成するコンピュータ実行方法であって、
１つまたはそれ以上の動的特徴を示す、患者データを得るための患者固有情報データに応答する工程と、
上記整形外科インプラントのためのデザインデータを算出するために、上記患者データに応答する工程と、
上記デザインデータに基づき、上記整形外科インプラントを製造するための上記製造パラメータを生成する工程とを含むコンピュータ実行方法が提供される。
【０２５１】
有利には、所望の関節表面を有する、患者の関節用の整形外科インプラントを製造するための製造パラメータは、上記整形外科インプラントのためのデザインデータを算出するための１つまたはそれ以上の動的特性を示す患者固有情報データを考慮することによって、生成されうる。
【０２５２】
好ましくは、上記患者固有情報データは、２Ｄ映像データを備えている。
【０２５３】
有利には、所望の関節表面を有する、患者の関節用の整形外科インプラントを製造するための製造パラメータは、上記患者の関節の２Ｄ映像データを考慮することによって、生成されうる。
【０２５４】
好ましくは、上記２Ｄ映像データは、１つまたはそれ以上の、Ｘ線データおよび視覚的透視撮影データを備えている。
【０２５５】
好ましくは、上記患者固有情報データは、３Ｄ映像データを備えている。
【０２５６】
有利には、所望の関節表面を有する、患者の関節用の整形外科インプラントを製造するための製造パラメータは、上記患者の関節の３Ｄ映像データを考慮することによって、生成されうる。
【０２５７】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０２５８】
好ましくは、上記患者固有情報データは、４Ｄ映像データを備えている。
【０２５９】
有利には、所望の関節表面を有する、患者の関節用の整形外科インプラントを製造するための製造パラメータは、上記患者の関節の４Ｄ映像データを考慮することによって、生成されうる。
【０２６０】
好ましくは、上記４Ｄ映像データは、モーションキャプチャーデータを備えている。
【０２６１】
好ましくは、上記患者固有情報データは、２Ｄおよび３Ｄ映像データを備えている。
【０２６２】
有利には、所望の関節表面を有する、患者の関節用の整形外科インプラントを製造するための製造パラメータは、上記患者の関節の２Ｄおよび３Ｄ映像データを考慮することによって、生成されうる。
【０２６３】
好ましくは、上記患者固有情報データは、１つまたはそれ以上の所望の移植後活動を示す患者取得データを備えている。
【０２６４】
有利には、所望の関節表面を有する、患者の関節用の整形外科インプラントを製造するための製造パラメータは、１つまたはそれ以上の所望の移植後活動を考慮することによって、生成されうる。
【０２６５】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０２６６】
有利には、所望の関節表面を有する、患者の関節用の整形外科インプラントを製造するための製造パラメータは、上記関節運動学データ、関節負荷データ、および関節咬交挙動データに基づく仮想予測を考慮することによって、生成されうる。
【０２６７】
好ましくは、上記仮想予測は、コンピュータモデル予測を備えている。
【０２６８】
有利には、所望の関節表面を有する、患者の関節用の整形外科インプラントを製造するための製造パラメータは、コンピュータモデル予測として提供される、関節運動学データ、関節負荷データ、および関節咬交挙動データに基づく上記仮想予測を考慮することによって、生成されうる。
【０２６９】
好ましくは、上記患者固有情報データは、１つまたはそれ以上の静的特徴を示す。
【０２７０】
有利には、所望の関節表面を有する、患者の関節用の整形外科インプラントを製造するための製造パラメータは、上記患者の関節の１つまたはそれ以上の静的特徴を考慮することによって、生成されうる。
【０２７１】
好ましくは、上記１つまたはそれ以上の静的特徴は、１つまたはそれ以上の、生体機械基準系の耐荷重性軸である。
【０２７２】
有利には、所望の関節表面を有する、患者の関節用の整形外科インプラントを製造するための製造パラメータは、上記患者の関節の生体機械基準系の１つまたはそれ以上の耐荷重性軸を考慮することによって、生成されうる。
【０２７３】
好ましくは、上記生体機械基準系の耐荷重性は、一次耐荷重性軸を備えている。
【０２７４】
有利には、所望の関節表面を有する、患者の関節用の整形外科インプラントを製造するための製造パラメータは、上記患者の関節の上記一次耐荷重性軸を考慮することによって、生成されうる。
【０２７５】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０２７６】
好ましくは、上記患者固有情報データは、上記患者の１つまたはそれ以上の身体特徴を示すデータを備えている。
【０２７７】
有利には、所望の関節表面を有する、患者の関節用の整形外科インプラントを製造するための製造パラメータは、上記患者の１つまたはそれ以上の身体特徴を考慮することによって、生成されうる。
【０２７８】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０２７９】
好ましくは、上記コンピュータ実行方法は、１つまたはそれ以上の所望の移植後活動を示し、かつ、移植後活動嗜好データを備えている患者取得データを受信する工程と、
上記整形外科インプラントのための移植後デザインデータを算出するために、上記移植後活動嗜好データに応答する工程と、
上記移植後デザインデータにさらに基づき、上記整形外科インプラントを製造するための上記製造パラメータを生成する工程とをさらに含んでいる。
【０２８０】
有利には、所望の関節表面を有する、患者の関節用の整形外科インプラントを製造するための製造パラメータは、１つまたはそれ以上の所望の移植後活動を行うことへの上記患者の嗜好を考慮することによって、生成されうる。
【０２８１】
好ましくは、上記移植後活動嗜好データは、上記１つまたはそれ以上の所望の移植後活動への相対的な患者の嗜好を示す嗜好比率である。
【０２８２】
有利には、所望の関節表面を有する、患者の関節用の整形外科インプラントを製造するための製造パラメータは、上記１つまたはそれ以上の所望の移植後活動を行うことへの相対的な上記患者の嗜好を考慮することによって、生成されうる。
【０２８３】
好ましくは、上記コンピュータ実行方法は、ライブラリデザインデータのデータベースにアクセスする工程をさらに含んでおり、上記整形外科インプラントを製造するための上記製造パラメータは、上記ライブラリ位置合わせ情報データに基づきさらに生成されうる。
【０２８４】
好ましくは、上記ライブラリデザインデータは、上記１つまたはそれ以上の所望の移植後活動のうち少なくとも１つを実行するための利用可能な一群の整形外科インプラントに関するデータを備えている。
【０２８５】
有利には、所望の関節表面を有する、患者の関節用の整形外科インプラントを製造するための製造パラメータは、上記１つまたはそれ以上の所望の移植後活動のうち少なくとも１つを実行するための利用可能な一群の整形外科インプラントに関するライブラリデザインデータを考慮することによって、生成されうる。
【０２８６】
好ましくは、上記ライブラリデザインデータは、上記１つまたはそれ以上の所望の移植後活動を行うための整形外科インプラントが取り付けられた一群の患者に関するデータを備えている。
【０２８７】
有利には、所望の関節表面を有する、患者の関節用の整形外科インプラントを製造するための製造パラメータは、上記１つまたはそれ以上の所望の移植後活動を行うための整形外科インプラントが取り付けられた一群の患者に関するライブラリデザインデータを考慮することによって、生成されうる。
【０２８８】
本発明の他の局面によれば、整形外科インプラント咬交表面を有する、患者の関節用の整形外科インプラントを製造する方法であって、
上述したいずれかの段落に定義されたコンピュータ実行方法を用いて、製造パラメータを生成する工程と、
上記製造パラメータに基づき、上記整形外科インプラントを製造する工程とを含む方法が提供される。
【０２８９】
有利には、所望の関節表面を有する整形外科インプラントは、上述のように生成される製造パラメータを考慮することによって、製造されうる。
【０２９０】
好ましくは、上記整形外科インプラントは、付加製造法および減製造法のうち１つまたは両方を備えている製造法を用いて製造される。
【０２９１】
有利には、所望の関節表面を有する整形外科インプラントは、付加製造法および減製造法のうちいずれかに基づき製造されうる。
【０２９２】
好ましくは、上記付加製造法は、１つまたはそれ以上の、ステレオリソグラフィー（ＳＬＡ）、選択的レーザ焼結（ＳＬＳ）、直接金属レーザ焼結（ＤＭＬＳ）、電子ビーム融解（ＥＢＭ）、および３Ｄ印刷（３ＤＰ）を備えている。
【０２９３】
好ましくは、上記減製造法は、１つまたはそれ以上の、バイオマシニング、砥粒流動加工、アブレイシブジェット加工、ミリング、レーザ切断、および水ジェット切断を備えている。
【０２９４】
本発明の他の局面によれば、上述したいずれかの段落に定義された方法を用いて製造される、整形外科インプラント咬交表面を有する、患者の関節用の整形外科インプラントが提供される。
【０２９５】
本発明の他の局面によれば、整形外科インプラント咬交表面を有する、患者の関節用の整形外科インプラントを製造するための製造パラメータを生成するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
上記データインタフェースを介して、１つまたはそれ以上の動的特徴を示す患者固有情報データを受信し、
上記患者固有情報データに基づき、患者データを算出し、
上記患者データに基づき、上記整形外科インプラントのためのデザインデータを算出し、かつ、
上記デザインデータに基づき、上記整形外科インプラントを製造するための上記製造パラメータを算出するように、上記コンピュータプログラムによって制御されるコンピュータ装置が提供される。
【０２９６】
好ましくは、上記患者固有情報データは、２Ｄ映像データを備えている。
【０２９７】
好ましくは、上記２Ｄ映像データは、１つまたはそれ以上の、Ｘ線データおよび視覚的透視撮影データを備えている。
【０２９８】
好ましくは、上記患者固有情報データは、３Ｄ映像データを備えている。
【０２９９】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０３００】
好ましくは、上記患者固有情報データは、４Ｄ映像データを備えている。
【０３０１】
好ましくは、上記４Ｄ映像データは、モーションキャプチャーデータを備えている。
【０３０２】
好ましくは、上記患者固有情報データは、２Ｄおよび３Ｄ映像データを備えている。
【０３０３】
好ましくは、上記患者固有情報データは、１つまたはそれ以上の所望の移植後活動を示す患者取得データを備えている。
【０３０４】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０３０５】
好ましくは、上記仮想予測は、コンピュータモデル予測を備えている。
【０３０６】
好ましくは、上記患者固有情報データは、１つまたはそれ以上の静的特徴を示す。
【０３０７】
好ましくは、上記１つまたはそれ以上の静的特徴は、１つまたはそれ以上の、生体機械基準系の耐荷重性軸である。
【０３０８】
好ましくは、上記生体機械基準系の耐荷重性は、一次耐荷重性軸を備えている。
【０３０９】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０３１０】
好ましくは、上記患者固有情報データは、上記患者の１つまたはそれ以上の身体特徴を示す。
【０３１１】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０３１２】
好ましくは、上記プロセッサは、
１つまたはそれ以上の所望の移植後活動を示し、かつ、移植後活動嗜好データを備えている患者取得データを、上記データインタフェースを介して受信し、
上記移植後活動嗜好データに基づき、上記整形外科インプラントのための移植後デザインデータを算出し、
上記移植後デザインデータに基づき、上記整形外科インプラントを製造するための上記製造パラメータを算出するように、上記コンピュータプログラムによってさらに制御される。
【０３１３】
好ましくは、上記移植後活動嗜好データは、上記１つまたはそれ以上の所望の移植後活動への相対的な患者の嗜好を示す嗜好比率である。
【０３１４】
好ましくは、ライブラリデザインデータを含んでいるデジタルデータを格納するための、上記プロセッサに接続されているデータベースをさらに備えており、
上記プロセッサは、上記データベースから、上記ライブラリデザインデータを読み出すように、上記コンピュータプログラムによってさらに制御され、
上記整形外科インプラントを製造するための上記製造パラメータは、上記ライブラリデザインデータに基づきさらに算出される。
【０３１５】
好ましくは、上記ライブラリデザインデータは、上記１つまたはそれ以上の所望の移植後活動のうち少なくとも１つを実行するための利用可能な一群の整形外科インプラントに関するデータを備えている。
【０３１６】
好ましくは、上記ライブラリデザインデータは、上記１つまたはそれ以上の所望の移植後活動を行うための整形外科インプラントが取り付けられた一群の患者に関するデータを備えている。
【０３１７】
本発明の他の局面によれば、患者データを取得するための、１つまたはそれ以上の動的特徴を示す患者固有情報データを、データインタフェースを介して受信し、
上記患者固有情報データに基づき、患者データを算出し、
上記患者データに基づき、整形外科インプラントのためのデザインデータを算出し、かつ、
上記整形外科インプラントを製造するための製造パラメータを算出するように、コンピュータによって実行されることが可能な、コンピュータプログラムコード指令を備えているコンピュータ読み取り可能な記録媒体が提供される。
【０３１８】
好ましくは、上記患者固有情報データは、２Ｄ映像データを備えている。
【０３１９】
好ましくは、上記２Ｄ映像データは、１つまたはそれ以上の、Ｘ線データおよび視覚的透視撮影データを備えている。
【０３２０】
好ましくは、上記患者固有情報データは、３Ｄ映像データを備えている。
【０３２１】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０３２２】
好ましくは、上記患者固有情報データは、４Ｄ映像データを備えている。
【０３２３】
好ましくは、上記４Ｄ映像データは、モーションキャプチャーデータを備えている。
【０３２４】
好ましくは、上記患者固有情報データは、２Ｄおよび３Ｄ映像データを備えている。
【０３２５】
好ましくは、上記患者固有情報データは、１つまたはそれ以上の所望の移植後活動を示す患者取得データを備えている。
【０３２６】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０３２７】
好ましくは、上記仮想予測は、コンピュータモデル予測を備えている。
【０３２８】
好ましくは、上記患者固有情報データは、１つまたはそれ以上の静的特徴を示す。
【０３２９】
好ましくは、上記１つまたはそれ以上の静的特徴は、１つまたはそれ以上の、生体機械基準系の耐荷重性軸である。
【０３３０】
好ましくは、上記生体機械基準系の耐荷重性は、一次耐荷重性軸を備えている。
【０３３１】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０３３２】
好ましくは、上記患者固有情報データは、上記患者の１つまたはそれ以上の身体特徴を示す。
【０３３３】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０３３４】
好ましくは、１つまたはそれ以上の所望の移植後活動を示し、かつ、移植後活動嗜好データを備えている患者取得データを、上記データインタフェースを介して受信し、
上記移植後活動嗜好データに基づき、上記整形外科インプラントのための移植後デザインデータを算出し、かつ、
上記移植後デザインデータに基づき、上記整形外科インプラントを製造するための上記製造パラメータを算出するための指令をさらに備えている。
【０３３５】
好ましくは、上記移植後活動嗜好データは、上記１つまたはそれ以上の所望の移植後活動への相対的な患者の嗜好を示す嗜好比率である。
【０３３６】
好ましくは、上記ライブラリデザインデータをデータベース読み出すための指令をさらに備えており、
上記整形外科インプラントを製造するための上記製造パラメータは、上記ライブラリデザインデータに基づきさらに算出される。
【０３３７】
好ましくは、上記ライブラリデザインデータは、上記１つまたはそれ以上の所望の移植後活動のうち少なくとも１つを実行するための利用可能な一群の整形外科インプラントに関するデータを備えている。
【０３３８】
好ましくは、上記ライブラリデザインデータは、上記１つまたはそれ以上の所望の移植後活動を行うための整形外科インプラントが取り付けられた一群の患者に関するデータを備えている。
【０３３９】
本発明の他の局面によれば、整形外科インプラントへのアタッチメントのためのカスタム咬交を製造するための製造パラメータを生成するコンピュータ実行方法であって、
上述したいずれかの段落に定義されたコンピュータ実行方法に基づき、デザインデータを受信する工程と、
上記デザインデータに基づき、上記カスタム咬交を製造するための上記製造パラメータを生成する工程とを含むコンピュータ実行方法が提供される。
【０３４０】
有利には、整形外科インプラントへのアタッチメントのためのカスタム咬交を製造するための製造パラメータは、上記整形外科インプラントのための上記製造パラメータを生成するために算出される上記デザインデータを考慮することによって、生成されうる。
【０３４１】
好ましくは、上記コンピュータ実行方法は、上述したいずれかの段落に定義されたコンピュータ実行方法に基づき、移植後デザインデータを受信する工程と、
上記移植後デザインデータに基づき、上記カスタム咬交を製造するための上記製造パラメータを生成する工程とをさらに含んでいる。
【０３４２】
有利には、整形外科インプラントへのアタッチメントのためのカスタム咬交を製造するための製造パラメータは、１つまたはそれ以上の所望の移植後活動を行うことへの上記患者の嗜好に対応する上記移植後デザインデータを考慮することによって、さらに生成されうる。
【０３４３】
好ましくは、上記コンピュータ実行方法は、ライブラリデザインデータのデータベースにアクセスする工程をさらに含み、
上記カスタム咬交を製造するための上記製造パラメータは、上記ライブラリデザインデータに基づきさらに生成されうる。
【０３４４】
有利には、整形外科インプラントへのアタッチメントのためのカスタム咬交を製造するための製造パラメータは、１つまたはそれ以上の所望の移植後活動を行うことに適した上記ライブラリデザインデータを考慮することによって、さらに生成されうる。
【０３４５】
好ましくは、上記ライブラリデザインデータは、上記１つまたはそれ以上の所望の移植後活動のうち少なくとも１つを実行するための利用可能な一群の整形外科インプラントに関するデータを備えている。
【０３４６】
有利には、整形外科インプラントへのアタッチメントのためのカスタム咬交を製造するための製造パラメータは、１つまたはそれ以上の所望の移植後活動のうち少なくとも１つを実行するために以前に他の患者によって選択された利用可能な一群の整形外科インプラントに関連するライブラリデザインデータを考慮することによって、さらに生成されうる。
【０３４７】
好ましくは、上記ライブラリデザインデータは、上記１つまたはそれ以上の所望の移植後活動を行うための整形外科インプラントが取り付けられた一群の患者に関するデータを備えている。
【０３４８】
有利には、整形外科インプラントへのアタッチメントのためのカスタム咬交を製造するための製造パラメータは、上記１つまたはそれ以上の所望の移植後活動を行うための整形外科インプラントが以前に取り付けられた一群の患者に関連するライブラリデザインデータを考慮することによって、さらに生成されうる。
【０３４９】
本発明の他の局面によれば、整形外科インプラントへのアタッチメントのためのカスタム咬交を製造するコンピュータ実行方法であって、
上述したいずれかの段落に定義されたコンピュータ実行方法を用いて、製造パラメータを生成する工程と、
上記製造パラメータに基づき、上記カスタム咬交を製造する工程とを含む方法が提供される。
【０３５０】
有利には、カスタム咬交は、上述のように生成される上記製造パラメータを考慮することによって、製造されうる。
【０３５１】
好ましくは、上記カスタム咬交は、付加製造法および減製造法のうち１つまたは両方を備えている製造法を用いて製造される。
【０３５２】
有利には、カスタム咬交は、付加製造法または減製造法のいずれかによって製造されうる。
【０３５３】
好ましくは、上記付加製造法は、１つまたはそれ以上の、ステレオリソグラフィー（ＳＬＡ）、選択的レーザ焼結（ＳＬＳ）、直接金属レーザ焼結（ＤＭＬＳ）、電子ビーム融解（ＥＢＭ）、および３Ｄ印刷（３ＤＰ）を備えている。
【０３５４】
好ましくは、上記減製造法は、１つまたはそれ以上の、バイオマシニング、砥粒流動加工、アブレイシブジェット加工、ミリング、レーザ切断、および水ジェット切断を備えている。
【０３５５】
本発明の他の局面によれば、上述したいずれかの段落に定義された方法を用いて製造される、整形外科インプラントへのアタッチメントのためのカスタム咬交が提供される。
【０３５６】
本発明の他の局面によれば、整形外科インプラントへのアタッチメントのためのカスタム咬交を製造するための製造パラメータを生成するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
上述したいずれかの段落に定義されたコンピュータ実行方法に基づき、デザインデータを受信し、かつ、
上記デザインデータに基づき、上記カスタム咬交を製造するための上記製造パラメータを生成するように、上記コンピュータプログラムによって制御されるコンピュータ装置が提供される。
【０３５７】
好ましくは、上記プロセッサは、
上述したいずれかの段落に定義されたコンピュータ実行方法に基づき、上記データインタフェースを介して、移植後デザインデータを受信し、かつ、
上記移植後デザインデータに基づき、上記カスタム咬交を製造するための上記製造パラメータを生成するように、上記コンピュータプログラムによってさらに制御される。
【０３５８】
好ましくは、ライブラリデザインデータを含んでいるデジタルデータを格納するための、上記プロセッサに接続されているデータベースをさらに備えており、
上記プロセッサは、上記データベースから上記ライブラリデザインデータを読み出すように、上記コンピュータプログラムによってさらに制御され、
上記カスタム咬交を製造するための上記製造パラメータは、上記ライブラリデザインデータに基づきさらに算出される。
【０３５９】
好ましくは、上記ライブラリデザインデータは、上記１つまたはそれ以上の所望の移植後活動のうち少なくとも１つを実行するための利用可能な一群の整形外科インプラントに関するデータを備えている。
【０３６０】
好ましくは、上記ライブラリデザインデータは、上記１つまたはそれ以上の所望の移植後活動を行うための整形外科インプラントが取り付けられた一群の患者に関するデータを備えている。
【０３６１】
本発明の他の局面によれば、上述したいずれかの段落に定義されたコンピュータ実行方法に基づき定義されたデザインデータを、データインタフェースを通じて受信し、かつ、
上記デザインデータに基づき、カスタム咬交を製造するための製造パラメータを生成するようにコンピュータによって実行されることが可能な、コンピュータプログラムコード指令を備えているコンピュータ読み取り可能な記録媒体が提供される。
【０３６２】
好ましくは、上述したいずれかの段落に定義されたコンピュータ実行方法に基づく移植後デザインデータを、上記データインタフェースを通じて受信し、かつ、
上記移植後デザインデータに基づき、上記カスタム咬交を製造するための上記製造パラメータを生成するための指令をさらに備えている。
【０３６３】
好ましくは、データベースから、ライブラリデザインデータを読み出すための指令をさらに備え、
上記カスタム咬交を製造するための上記製造パラメータは、上記ライブラリデザインデータに基づきさらに算出される。
【０３６４】
好ましくは、上記ライブラリデザインデータは、上記１つまたはそれ以上の所望の移植後活動のうち少なくとも１つを実行するための利用可能な一群の整形外科インプラントに関するデータを備えている。
【０３６５】
好ましくは、上記ライブラリデザインデータは、上記１つまたはそれ以上の所望の移植後活動を行うための整形外科インプラントが取り付けられた一群の患者に関するデータを備えている。
【０３６６】
本発明の他の局面によれば、患者の関節に整形外科インプラントを位置合わせするための患者固有の治具を製造するための製造パラメータを生成するコンピュータ実行方法であって、
１つまたはそれ以上の動的特徴を示す、患者データを得るための患者固有情報データに応答する工程と、
上記患者固有の治具のための治具デザインデータを算出するための上記患者データに応答する工程と、
上記デザインデータに基づき、上記患者固有の治具を製造するための上記製造パラメータを生成する工程とを含むコンピュータ実行方法が提供される。
【０３６７】
有利には、患者固有の治具を製造するための製造パラメータは、上記患者固有の治具を上記患者の上記関節に取り付けることを可能にする治具デザインデータを算出するための患者固有情報データを考慮することによって、生成されうる。
【０３６８】
好ましくは、上記患者固有情報データは、１つまたはそれ以上の所望の移植後活動を示す患者取得データを備えている。
【０３６９】
有利には、患者固有の治具を製造するための製造パラメータは、１つまたはそれ以上の所望の移植後活動を考慮することによって、生成されうる。
【０３７０】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０３７１】
好ましくは、上記仮想予測は、コンピュータモデル予測を備えている。
【０３７２】
有利には、患者固有の治具を製造するための製造パラメータは、上記関節運動学データ、関節負荷データ、および関節咬交挙動データに基づく仮想予測を考慮することによって、生成されうる。
【０３７３】
好ましくは、上記患者固有情報データは、１つまたはそれ以上の静的特徴を示す。
【０３７４】
有利には、患者固有の治具を製造するための製造パラメータは、上記患者の関節の１つまたはそれ以上の静的特徴を考慮した患者固有情報データことによって、生成されうる。
【０３７５】
好ましくは、上記１つまたはそれ以上の静的特徴は、１つまたはそれ以上の、生体機械基準系の耐荷重性軸である。
【０３７６】
有利には、患者固有の治具を製造するための製造パラメータは、上記患者の関節の上記生体機械基準系の１つまたはそれ以上の耐荷重性軸を考慮した患者固有情報データを取得することによって、生成されうる。
【０３７７】
好ましくは、上記生体機械基準系の耐荷重性は、一次耐荷重性軸を備えている。
【０３７８】
有利には、患者固有の治具を製造するための製造パラメータは、上記患者の関節の上記一次耐荷重性軸を考慮した患者固有情報データを取得することによって、生成されうる。
【０３７９】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０３８０】
好ましくは、上記患者固有情報データは、２Ｄ映像データを備えている。
【０３８１】
有利には、患者固有の治具を製造するための製造パラメータは、上記患者の関節の２Ｄ映像データを考慮した患者固有情報データを取得することによって、生成されうる。
【０３８２】
好ましくは、上記２Ｄ映像データは、１つまたはそれ以上の、Ｘ線データおよび視覚的透視撮影データを備えている。
【０３８３】
好ましくは、上記患者固有情報データは、３Ｄ映像データを備えている。
【０３８４】
有利には、患者固有の治具を製造するための製造パラメータは、上記患者の関節の３Ｄ映像データを考慮した患者固有情報データを取得することによって、生成されうる。
【０３８５】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０３８６】
好ましくは、上記患者固有情報データは、４Ｄ映像データを備えている。
【０３８７】
有利には、患者固有の治具を製造するための製造パラメータは、上記患者の関節の４Ｄ映像データを考慮した患者固有情報データを取得することによって、生成されうる。
【０３８８】
好ましくは、上記４Ｄ映像データは、モーションキャプチャーデータを備えている。
【０３８９】
好ましくは、上記患者固有情報データは、２Ｄおよび３Ｄ映像データを備えている。
【０３９０】
有利には、患者固有の治具を製造するための製造パラメータは、上記患者の関節の２Ｄおよび３Ｄ映像データを考慮した患者固有情報データを取得することによって、生成されうる。
【０３９１】
好ましくは、上記患者固有情報データは、上記患者の１つまたはそれ以上の身体特徴を示す。
【０３９２】
有利には、患者固有の治具を製造するための製造パラメータは、上記患者の関節の１つまたはそれ以上の静的特徴を考慮した患者固有情報データを取得することによって、生成されうる。
【０３９３】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０３９４】
本発明の他の局面によれば、患者の関節に整形外科インプラントを位置合わせするための患者固有の治具を製造する方法であって、
上述したいずれかの段落に定義されたコンピュータ実行方法を用いて、製造パラメータを生成する工程と、
上記製造パラメータに基づき、上記患者固有の治具を製造する工程とを含む方法が提供される。
【０３９５】
好ましくは、上記患者固有の治具は、付加製造法および減製造法のうち１つまたは両方を備えている製造法を用いて製造される。
【０３９６】
好ましくは、上記付加製造法は、１つまたはそれ以上の、ステレオリソグラフィー（ＳＬＡ）、選択的レーザ焼結（ＳＬＳ）、直接金属レーザ焼結（ＤＭＬＳ）、電子ビーム融解（ＥＢＭ）、および３Ｄ印刷（３ＤＰ）を備えている。
【０３９７】
好ましくは、上記減製造法は、１つまたはそれ以上の、バイオマシニング、砥粒流動加工、アブレイシブジェット加工、ミリング、レーザ切断、および水ジェット切断を備えている。
【０３９８】
本発明の他の局面によれば、上述したいずれかの段落に定義された方法を用いて製造される、整形外科インプラントを患者の関節に位置合わせするための患者固有の治具が提供される。
【０３９９】
本発明の他の局面によれば、整形外科インプラントを患者の関節に位置合わせするための患者固有の治具を製造するための製造パラメータを生成するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
１つまたはそれ以上の動的特徴を示す、患者データを得るための患者固有情報データに受信し、
上記患者固有情報データに基づき、患者データを算出し、
上記患者データに基づき、上記患者固有の治具のための治具デザインデータを算出し、かつ、
上記治具デザインデータに基づき、上記患者固有の治具を製造するための上記製造パラメータを算出するように上記コンピュータプログラムによって制御されるコンピュータ装置が提供される。
【０４００】
好ましくは、上記患者固有情報データは、１つまたはそれ以上の所望の移植後活動を示す患者取得データを備えている。
【０４０１】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０４０２】
好ましくは、上記仮想予測は、コンピュータモデル予測を備えている。
【０４０３】
好ましくは、上記患者固有情報データは、１つまたはそれ以上の静的特徴を示す。
【０４０４】
好ましくは、上記１つまたはそれ以上の静的特徴は、１つまたはそれ以上の、生体機械基準系の耐荷重性軸である。
【０４０５】
好ましくは、上記生体機械基準系の耐荷重性は、一次耐荷重性軸を備えている。
【０４０６】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０４０７】
好ましくは、上記患者固有情報データは、２Ｄ映像データを備えている。
【０４０８】
好ましくは、上記２Ｄ映像データは、１つまたはそれ以上の、Ｘ線データおよび視覚的透視撮影データを備えている。
【０４０９】
好ましくは、上記患者固有情報データは、３Ｄ映像データを備えている。
【０４１０】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０４１１】
好ましくは、上記患者固有情報データは、４Ｄ映像データを備えている。
【０４１２】
好ましくは、上記４Ｄ映像データは、モーションキャプチャーデータを備えている。
【０４１３】
好ましくは、上記患者固有情報データは、２Ｄおよび３Ｄ映像データを備えている。
【０４１４】
好ましくは、上記患者固有情報データは、上記患者の１つまたはそれ以上の身体特徴を示すデータ。
【０４１５】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０４１６】
本発明の他の局面によれば、１つまたはそれ以上の動的特徴を示す、患者データを得るための患者固有情報データを、データインタフェースを介して受信し、
上記患者固有情報データに基づき、患者データを算出し、
上記患者データに基づき、上記患者固有の治具のための治具デザインデータを算出し、かつ、
上記治具デザインデータに基づき、上記患者固有の治具を製造するための上記製造パラメータを算出するように、コンピュータによって実行されることが可能な、コンピュータプログラムコード指令を備えているコンピュータ読み取り可能な記録媒体が提供される。
【０４１７】
好ましくは、上記患者固有情報データは、１つまたはそれ以上の所望の移植後活動を示す患者取得データを備えている。
【０４１８】
好ましくは、上記１つまたはそれ以上の動的特徴は、１つまたはそれ以上の、関節運動学データ、関節負荷データ、および、所望の移植後活動間の関節咬交挙動データ、に基づく仮想予測を備えている。
【０４１９】
好ましくは、上記仮想予測は、コンピュータモデル予測を備えている。
【０４２０】
好ましくは、上記患者固有情報データは、１つまたはそれ以上の静的特徴を示す。
【０４２１】
好ましくは、上記１つまたはそれ以上の静的特徴は、１つまたはそれ以上の、生体機械基準系の耐荷重性軸である。
【０４２２】
好ましくは、上記生体機械基準系の耐荷重性は、一次耐荷重性軸を備えている。
【０４２３】
好ましくは、上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている。
【０４２４】
好ましくは、上記患者固有情報データは、２Ｄ映像データを備えている。
【０４２５】
好ましくは、上記２Ｄ映像データは、１つまたはそれ以上の、Ｘ線データおよび視覚的透視撮影データを備えている。
【０４２６】
好ましくは、上記患者固有情報データは、３Ｄ映像データを備えている。
【０４２７】
好ましくは、上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている。
【０４２８】
好ましくは、上記患者固有情報データは、４Ｄ映像データを備えている。
【０４２９】
好ましくは、上記４Ｄ映像データは、モーションキャプチャーデータを備えている。
【０４３０】
好ましくは、上記患者固有情報データは、２Ｄおよび３Ｄ映像データを備えている。
【０４３１】
好ましくは、上記患者固有情報データは、上記患者の１つまたはそれ以上の身体特徴を示す。
【０４３２】
好ましくは、上記１つまたはそれ以上の身体特徴は、１つまたはそれ以上の、年齢データ、性別データ、身長データ、体重データ、活動レベルデータ、ＢＭＩデータ、体調データ、および体型データを備えている。
【０４３３】
本発明の他の局面によれば、一群の整形外科インプラントのためのインプラントデザインデータを算出するコンピュータ実行方法であって、
患者ライブラリデータを受信する工程と、
インプラント範囲データを受信する工程と、
上記患者ライブラリデータおよび上記インプラント範囲データに基づき、上記一群の整形外科インプラントのためのインプラントデザインデータを算出する工程とを含むコンピュータ実行方法が提供される。
【０４３４】
有利には、インプラントデザインデータは、患者ライブラリデータおよびインプラント範囲データを考慮することによって、一群の整形外科インプラントのために算出されうる。
【０４３５】
好ましくは、上記患者ライブラリデータは、上述したいずれかの段落に定義されたコンピュータ実行方法によって提供される複数の患者の複数の整形外科インプラントの位置合わせ情報データを備えている。
【０４３６】
有利には、インプラントデザインデータは、複数の患者の複数の整形外科インプラントの位置合わせ情報データを考慮することによって、一群の整形外科インプラントのために算出されうる。
【０４３７】
好ましくは、上記インプラント範囲データは、ユーザ入力要求に基づき選択される上記患者ライブラリデータの、１つまたはそれ以上のサブセットを示す。
【０４３８】
有利には、インプラントデザインデータは、上記患者ライブラリデータの１つまたはそれ以上のサブセットを選択することによって、一群の整形外科インプラントのために算出されうる。
【０４３９】
好ましくは、上記１つまたはそれ以上のサブセットの少なくとも１つは、１つまたはそれ以上の移植後活動を実行するための整形外科インプラントが取り付けられた一群の患者から選択される満足した患者の数に関する患者満足データを備えている。
【０４４０】
好ましくは、上記１つまたはそれ以上のサブセットの少なくとも１つは、１つまたはそれ以上の移植後活動のための一群の整形外科インプラントから選択される整形外科インプラントの数に関するインプラント活動データを備えている。
【０４４１】
好ましくは、上記１つまたはそれ以上のサブセットの少なくとも１つは、１つまたはそれ以上の移植後活動のための一群の整形外科インプラントから選択される整形外科インプラントの特定のサイズ範囲に関するインプラントサイズデータを備えている。
【０４４２】
好ましくは、上記インプラント範囲データに基づく上記患者ライブラリデータの篩い分けに基づき、改定された患者ライブラリデータが算出される。
【０４４３】
有利には、インプラントデザインデータは、インプラント範囲データに基づき篩い分けされる上記患者ライブラリデータを考慮することによって、一群の整形外科インプラントのために算出されうる。
【０４４４】
好ましくは、上記インプラントデザインデータは、上記改定された患者ライブラリデータの統計的分析に基づき算出される。
【０４４５】
有利には、インプラントデザインデータは、上記インプラント範囲データに基づき改訂された上記患者ライブラリデータの統計的分析によって、一群の整形外科インプラントのために算出される。
【０４４６】
好ましくは、上記統計的分析は、回帰分析および最小二乗分析を備えている一群の統計的分析から選択される。
【０４４７】
本発明の他の局面によれば、一群の整形外科インプラントのためのインプラントデザインデータを算出するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
データインタフェースを介して、患者ライブラリデータを受信し、
上記データインタフェースを介して、インプラント範囲データを受信し、かつ、
上記患者ライブラリデータおよび上記インプラント範囲データに基づき、一群の整形外科インプラントのためのインプラントデザインデータを算出するように、上記コンピュータプログラムによって制御されるコンピュータ装置が提供される。
【０４４８】
好ましくは、上記患者ライブラリデータは、上述したいずれかの段落に定義されたコンピュータ実行方法によって提供される複数の患者の複数の整形外科インプラントの位置合わせ情報データを備えている。
【０４４９】
好ましくは、上記インプラント範囲データは、ユーザ入力要求に基づき選択される上記患者ライブラリデータの、１つまたはそれ以上のサブセットを示す。
【０４５０】
好ましくは、上記１つまたはそれ以上のサブセットの少なくとも１つは、１つまたはそれ以上の移植後活動を実行するための整形外科インプラントが取り付けられた一群の患者から選択される満足した患者の数に関する。
【０４５１】
好ましくは、上記１つまたはそれ以上のサブセットの少なくとも１つは、１つまたはそれ以上の移植後活動のための一群の整形外科インプラントから選択される整形外科インプラントの数に関するインプラント活動データを備えている。
【０４５２】
好ましくは、上記１つまたはそれ以上のサブセットの少なくとも１つは、１つまたはそれ以上の移植後活動のための一群の整形外科インプラントから選択される整形外科インプラントの特定のサイズ範囲に関するインプラントサイズデータを備えている。
【０４５３】
好ましくは、上記インプラント範囲データに基づく上記患者ライブラリデータの篩い分けに基づき、改定された患者ライブラリデータが算出される。
【０４５４】
好ましくは、上記インプラントデザインデータは、上記改定された患者ライブラリデータの統計的分析に基づき算出される。
【０４５５】
好ましくは、上記統計的分析は、回帰分析および最小二乗分析を備えている一群の統計的分析から選択される。
【０４５６】
本発明の他の局面によれば、データインタフェースを介して、患者ライブラリデータを受信し、
上記データインタフェースを介して、インプラント範囲データを受信し、かつ、
上記患者ライブラリデータおよび上記インプラント範囲データに基づき、一群の整形外科インプラントのためのインプラントデザインデータを算出するように、コンピュータによって実行されることが可能な、コンピュータプログラムコード指令を備えているコンピュータ読み取り可能な記録媒体が提供される。
【０４５７】
好ましくは、上記患者ライブラリデータは、上述したいずれかの段落に定義されたコンピュータ実行方法によって提供される複数の患者の複数の整形外科インプラントの位置合わせ情報データを備えている。
【０４５８】
好ましくは、上記インプラント範囲データは、ユーザ入力要求に基づき選択される上記患者ライブラリデータの、１つまたはそれ以上のサブセットを示す。
【０４５９】
好ましくは、上記１つまたはそれ以上のサブセットの少なくとも１つは、１つまたはそれ以上の移植後活動を実行するための整形外科インプラントが取り付けられた一群の患者から選択される満足した患者の数に関する。
【０４６０】
好ましくは、上記１つまたはそれ以上のサブセットの少なくとも１つは、１つまたはそれ以上の移植後活動のための一群の整形外科インプラントから選択される整形外科インプラントの数に関するインプラント活動データを備えている。
【０４６１】
好ましくは、上記１つまたはそれ以上のサブセットの少なくとも１つは、１つまたはそれ以上の移植後活動のための一群の整形外科インプラントから選択される整形外科インプラントの特定のサイズ範囲に関するインプラントサイズデータを備えている。
【０４６２】
好ましくは、上記インプラント範囲データに基づく上記患者ライブラリデータの篩い分けに基づき、改定された患者ライブラリデータが算出される。
【０４６３】
好ましくは、上記インプラントデザインデータは、上記改定された患者ライブラリデータの統計的分析に基づき算出される。
【０４６４】
好ましくは、上記統計的分析は、回帰分析および最小二乗分析を備えている一群の統計的分析から選択される。
【０４６５】
本発明の他の局面によれば、上述したいずれかの段落に定義されたコンピュータ装置にデータリンクを介して接続され、かつデジタルデータを送受信するためのインタフェースを備えており、上記インタフェースは、上述したいずれかの段落において言及されたデジタルデータを送受信するように適合されているクライアントコンピュータ装置が提供される。
【発明を実施するための形態】
【０４６６】
以下の説明において、それぞれの実施形態で類似または同一の部材番号は、同じまたは類似の特徴を示すことに留意されたい。
【０４６７】
図１は、ここで説明する種々の実施形態が備え得るコンピュータ装置１００を示している。コンピュータプログラムコード指令は、ダイナミックリンクライブラリ（dynamic link libraries, ＤＬＬ）のように、１つ以上のコンピュータプログラムコード指令ライブラリに分割されていてよく、それぞれのライブラリはメソッドにおいて１つ以上の工程を実行する。加えて、上記１つ以上のサブセットのライブラリの一部は、上記メソッドの上記工程に関連するグラフィカルユーザインタフェース（ＧＵＩ）のタスクを実行する。
【０４６８】
コンピュータ装置１００は、ランダムアクセスメモリ（ＲＡＭ）またはリードオンリーメモリ（ＲＯＭ）などの揮発性メモリで構成された、半導体メモリ１１０を備えている。メモリ１００は、ＲＡＭか、ＲＯＭか、ＲＡＭとＲＯＭとの組み合わせかのいずれかで構成される。
【０４６９】
コンピュータ装置１００は、コンピュータプログラムコード指令をコンピュータプログラムコード記憶媒体１２０から読み出す、コンピュータプログラムコード記憶媒体リーダ１３０を備えている。記憶媒体１２０は、ＣＤ−ＲＯＭディスクなどの光学媒体、フロッピーディスクおよびテープカセットなどの磁気媒体、および、ＵＳＢメモリスティックなどのフラッシュメディアであってもよい。
【０４７０】
コンピュータ装置１００はさらに、１つ以上の周辺装置と通信するＩ／Ｏインタフェース１４０を備える。Ｉ／Ｏインタフェース１４０は、シリアルインタフェースとパラレルインタフェースとの両方で接続可能であってよい。例えば、Ｉ／Ｏインタフェース１４０は、スモールコンピュータシステムインタフェース（ Small Computer System Interface, ＳＣＳＩ）、ユニバーサルシリアルバス（ Universal Serial Bus, ＵＳＢ）、または類似のＩ／Ｏインタフェースを、記憶媒体リーダ１３０と接続するために含んでいてもよい。Ｉ／Ｏインタフェース１４０はまた、キーボードやポインティングデバイス、ジョイスティック等などの、１つ以上のヒューマンインプットデバイス（ human input device ＨＩＤ）１６０と通信してもよい。Ｉ／Ｏインタフェース１４０はまた、Recommended Standard 232（ＲＳ−２３２）インタフェースなどのコンピュータ−コンピュータ間のインタフェースを含んでいてもよい。Ｉ／Ｏインタフェース１４０はまた、スピーカまたはブザーなどの、１つ以上のオーディオデバイス１０５０に音声信号を伝達するために、オーディオインタフェースを含んでいてもよい。
【０４７１】
コンピュータ装置１００はまた、１つ以上のコンピュータネットワーク１８０と通信するためのネットワークインタフェース１７０を備えている。上記ネットワーク１８０は、有線イーサネット（登録商標）ネットワークなどの有線ネットワークであってもよく、Ｂｌｕｅｔｏｏｔｈ（登録商標）ネットワークやＩＥＥＥ８０２．１１ネットワークなどの無線ネットワークであってもよい。上記ネットワーク１８０は、自宅または社用コンピュータのネットワークなどのローカルエリアネットワーク（ＬＡＮ）であってもよいし、インターネット２３０やプライベートＷＡＮなどの広域ネットワーク（ＷＡＮ）であってもよい。
【０４７２】
コンピュータ装置１００は、コンピュータプログラムコード指令を実行する演算論理ユニットまたはプロセッサ１０００を備えている。プロセッサ１０００は、reduced instruction set computer（ＲＩＳＣ）またはcomplex instruction set computer（ＣＩＳＣ）プロセッサ等であってもよい。コンピュータ装置１００はさらに、磁気ディスクハードドライブ、またはソリッドステートディスクドライブなどの記憶媒体１０３０を備えている。
【０４７３】
コンピュータプログラムコード指令は、記憶媒体リーダ１３０によって記憶媒体１２０から記憶媒体１０３０へと読み込まれてもよいし、ネットワークインタフェース１７０によってネットワーク１８０から読み込まれてもよい。ブートストラップフェイズの間、制御システムおよび１つ以上のソフトウェアアプリケーションは記憶媒体１０３０からメモリ１１０へとロードされる。フェッチデコードサイクルの間、プロセッサ１０００はメモリ１１０からコンピュータプログラムコード指令をフェッチし、当該指令を機械言語にデコードし、当該指令を実行し、そして１つ以上の中間結果をメモリ１００へと記憶する。
【０４７４】
コンピュータ装置１００はまた、映像信号を、液晶ディスプレイ（ＬＣＤ）やブラウン管（cathode- ray tube, ＣＲＴ）、または類似の表示装置などの表示装置１０２０へと伝達するビデオインタフェース１０１０を備えている。
【０４７５】
コンピュータ装置１００はまた、上述した種々の装置を内部接続するコミュニケーションバスサブシステム１５０を備えている。上記バスサブシステム１５０は、ＩＳＡ（Industry Standard Architecture）、従来のＰＣＩ（Peripheral Component Interconnect）
等またはＰＣＩｅ（PCI Express）のように直列接続性のもの、シリアルＡＴＡ（Serial Advanced Technology Attachment, Ｓｅｒｉａｌ  ＡＴＡ）のように並行接続性を提供するものであってよい。
【０４７６】
図２は、本明細書に示した種々の実施形態が備え得る、コンピュータ装置１００のネットワーク２００を示している。ネットワーク２００は、インターネットを介して１つ以上のクライアントコンピュータ装置２２０にウェブページを提供する、ウェブサーバ２１０を備えている。
【０４７７】
ウェブサーバ２１０は、ウェブサーバアプリケーション２４０を提供する。ウェブサーバアプリケーション２４０は、ハイパーテキストトランスファープロトコル（Hypertext Transfer Protocol、ＨＴＴＰ）リクエストおよびファイルトランスファープロトコル（File Transfer Protocol、ＦＴＰ）リクエストなどのリクエストを受信し、当該リクエス
トに応じて、ハイパーテキストウェブページまたはファイルを提供する。ウェブサーバアプリケーション２４０は、例えばＡｐａｃｈｅ（登録商標）またはＭｉｃｒｏｓｏｆｔ（登録商標）ＩＩＳ  ＨＴＴＰサーバであってもよい。
【０４７８】
ウェブサーバ２１０はまた、ハイパーテキストプリプロセッサ２５０を提供する。ハイパーテキストプリプロセッサ２５０は、ハイパーテキストウェブページを生成するために、１つ以上のウェブページテンプレート２６０、および、1つ以上のデータベース２７０からのデータを処理する。ハイパーテキストプリプロセッサは、例えば、ＰＨＰすなわちハイパーテキストプリプロセッサ（ＰＨＰ）、またはＭｉｃｒｏｓｏｆｔ  Ａｓｐ（登録商標）ハイパーテキストプリプロセッサであってもよい。ウェブサーバ２１０はまた、1つ以上のＰＨＰまたはＡＳＰファイルなどのウェブページテンプレート２６０を提供する。
【０４７９】
ハイパーテキストプリプロセッサ２５０は、ウェブサーバアプリケーション２４０からリクエストを受信すると、ハイパーテキストウェブページを構築するため、ウェブページテンプレートをウェブページテンプレート２６０から引き出し、当該テンプレートに含まれる、１つ以上のデータベース２７０からのアップデート情報またはローディング情報を含むあらゆる動的内容を実行する。構築されたハイパーテキストウェブページは、Ｊａｖａスクリプト、ドキュメントオブジェクトモデル（Document Object Model、ＤＯＭ）処理、非同時性のＨＴＴＰリクエスト等などのクライアント側のコードを含む。
【０４８０】
クライアントコンピュータ装置２２０は、Ｍｏｚｉｌｌａ  Ｆｉｒｅｆｏｘ（登録商標）ブラウザアプリケーション、またはＭｉｃｒｏｓｏｆｔ  Ｉｎｔｅｒｎｅｔ  Ｅｘｐｌｏｒｅｒ（登録商標）ブラウザアプリケーションなどのブラウザアプリケーション２８０を供する。ブラウザアプリケーション２８０は、ウェブサーバ２１０を介してハイパーテキストウェブページをリクエストするとともに、当該ハイパーテキストウェブページを表示装置１０２０に描画する。
【０４８１】
コンピュータ装置１００は、遠隔地にいるユーザとの小型軽量クライアント通信（thinclient communication）を可能にする。しかしながら、他の実施形態においては、遠隔地のユーザは、コンピュータ装置１００と通信するために、クライアントコンピュータ装置２２０に関連する特定のソフトウェアをインストールする必要がある。
【０４８２】
〔位置合わせ情報データの提供〕
図３は、本発明の一実施形態における、患者の関節の整形外科インプラントを位置合わせするための位置合わせ情報データを供するコンピュータ実行方法３００を示す図である。コンピュータ実行方法３００は、１つ以上のコンピュータ装置１００においての実行に適しており、特に、図２で要点を示すように、１つ以上のコンピュータ装置１００がネットワーク２００を介して通信することに適している。
【０４８３】
特に、このようなコンピュータ装置１００は、プロセッサ１０００と、メモリデバイス１１０と、データインタフェース（１８０および１４０）と、格納装置とを備える。プロセッサ１０００はデジタルデータを処理する。記憶装置１１０はコンピュータプログラムコードを含むデジタルデータを格納し、プロセッサ１０００と通信バス１５０を介して対になっている。データインタフェース（１８０および１４０）は、デジタルデータを送受信し、プロセッサ１０００と上記バス１５０を介して対になっている。格納装置は、データベース１０３０などの、位置合わせ情報データを含むデジタルデータ、およびライブラリデータを格納し、プロセッサ１０００と上記バス１５０を介して対になっている。
【０４８４】
〔ライブラリデータ〕
ライブラリデータは、ライブラリ位置合わせ情報データ、ライブラリ位置合わせ形態データ、およびライブラリデザインデータを含むデータベース１０３０に格納される。ライブラリデザインデータは、一般化および理想化された関節が、それぞれ規定のインプラント後に活動する間の動きについて規定されたシミュレーションモデルのうち、利用可能なシミュレーションモデルの１組を示す。各シミュレーションモデルは、特定の予め定められた活動のための動きを行うようなテスト項目のサンプルについて様々な測定を行うことにより、生成される。これらの測定は、理想的なシミュレーションモデルを供するために照合および処理される。各実施形態においては、理想的なシミュレーションモデルは移植後活動だけで区別されるのではなく、性別データ、年齢データ、身長データ、体重データ、活動レベルデータ、ＢＩＭデータ、体調データ、体型データ、病歴、職業、および人種など他の要因によっても区別される。
【０４８５】
ライブラリデータはまた、移植後活動を行うための利用可能な整形外科インプラントの一群に係るライブラリ位置合わせ形態データを含む。また、ライブラリ位置合わせ形態データは、移植後活動を行うための整形外科インプラントを装着した患者に関係する。整形外科インプラントは、市販で入手可能な整形外科インプラントであってもよいし、従来の患者のために特にあつらえた整形外科インプラントであってもよい。
【０４８６】
ライブラリデータはまた、整形外科インプラントの構造的パラメータから由来し得る、利用可能な整形外科インプラントの一群のライブラリデザインデータを含む。ライブラリデザインデータを含む。ライブラリデザインデータは例えばＣＡＤファイルなどの形式で供されてもよい。
【０４８７】
ライブラリデータはまた、先だって患者に装着されている整形外科インプラントの耐久性および消耗（度合い）に係るデータを含む。そのようなデータは、例えば核磁気共鳴画像法（ＭＲＩ）データ、コンピュータ断層撮影（ＣＴ）データ、超音波データ、および放射線学データなどの２Ｄおよび３Ｄ映像技術を使用することにより得られ、様々な時間間隔で記録される。そのようにして得られた、整形外科インプラントに関した耐久性および消耗スコアのデータは、外科医などのオペレータを補助するため、当該インプラント施術に先だって現時点で装着済みの整形外科インプラントと同じ構造的パラメータを持つ整形外科インプラントが、他の患者においてどの程度良い性能を示すかについて予測する際に使用され得る。
【０４８８】
ライブラリデータはまた、インプラント施術後に、関節および整形外科インプラントが実際はどの程度の性能を示すのかを定量的な観点から知るため、移植後の関節における生物力学的性能についての、患者自身の見立てに係る主観的測定基準を含んでいてもよいし、外科医などの施術者が患者を診断した客観的な測定基準を含んでいてもよい。
【０４８９】
コンピュータ実行方法３００は、工程３１０から開始する。工程３１０では、プロセッサ１０００が、データインタフェース（１８０、１４０）を介して、整形外科インプラントを装着する患者を特定する情報で、１つ以上の動的特徴を示す情報である患者固有情報データを受信するために、コンピュータプログラムコードにより制御される。患者固有情報データは、コンピュータ装置１００によってデータベース１０３０に格納するための電気的形式である患者ファイル７としてバッファおよびコンパイルされる。工程３２０において、プロセッサ１０００はさらに、コンピュータプログラムコードによって、患者ファイル７を含む患者固有情報データに応じて患者データを計算するよう制御される。この工程において、コンピュータ装置１００はバス１５０を介して、データベース１０３０から患者ファイル７を受信し、患者データ７からあらゆる不要なデータを分割または篩い分けて除くことにより、患者データの少なくとも一部分を得る。そのような不要なデータは、例えば筋肉、脂肪、および皮膚などの中で、関節において必須でない組織を示す種々の情報を含んでいてもよい。これにより関連するデータの単離が可能になり、当該関連するデータのみについて更に能率化された分析を行うことが可能になる。このような不要なデータの篩い分けは、概して手操作入力が要求される本実施形態以外においては、部分的に自動化することも可能である。
【０４９０】
〔患者固有情報データ〕
患者固有情報データは、関節の骨格の外形の２Ｄおよび３Ｄ映像データにより構成される。２Ｄ映像データは、Ｘ線および視覚的蛍光透視撮影法（visual fluoroscopy）などの技術を使用することにより得られるデータを含み、３Ｄ映像データは、核磁気共鳴画像法（ＭＲＩ）データ、コンピュータ断層撮影（ＣＴ）データ、超音波データ、および放射線データなどの技術を使用することにより得られるデータを含む。患者固有情報データはまた、モーションキャプチャなどの技術を使用することにより得られる４Ｄ映像データを含んでいてもよい。そのような４Ｄ映像は、関節に応じて、当該関節と関連する骨の上での種々の位置に位置マーカ（図示せず）を伴い、当該マーカの動きを、所望の活動において患者が従事する動きとして追跡してもよい。
【０４９１】
患者固有情報データはまた、年齢データ、性別データ、身長データ、体重データ、活動レベルデータ、ＢＩＭデータ、体調データ、人種、および体型データなどのように、患者の身体特徴を１つ以上示すデータを含んでいてもよい。他の患者固有情報データは、患者に現れている、または将来患者に現れ得る、あらゆる遺伝的欠陥を特定するために患者の病歴、および患者以外の家族の病歴を示すデータを含んでいても良い。
【０４９２】
患者ファイル７が一度篩い分けられると、関節の関連解剖学的目印は手動で特定され、特定指示はデータインタフェース（１８０、１４０）を介して実行される。コンピュータ装置１００は、上記特定指示に反応し、少なくとも、ハイライトしている特定目印と、患者データの他の部分との境界を明確にする。関節はそれぞれ、考慮すべき固有の解剖学的特徴を有している。そのような目印の例としては、プロミネンス（prominence）と呼ばれる骨の隆起、目印を結んだ線、ならびに靭帯および腱の差し込みおよび付着などが含まれる。
【０４９３】
各実施形態において、関節の関連解剖学的目印は、機能的参照、身体のアルゴリズム的な特定、および腕の動きのアルゴリズム的な特定などの処理を採用することにより、自動的に特定される。他の実施形態においては、関連解剖学的目印の半自動的な特定が、視覚的蛍光透視法（visual fluoroscopy）および内視鏡を含む機能的映像の様式として用いられる。
【０４９４】
図１３に示すように、患者ファイル７は第１のデータ１５および第２のデータ１６を含む。データ１５は１つ以上の動的特徴を示す情報レコードを含み、データ１６は１つ以上の静的特徴を示す情報レコードを含む。
≪動的特徴≫
関節の動的特徴は、インプラント後に患者が望む活動に関連した、仮想予測（すなわち関節運動学データに基づいたコンピュータモデル予測の形式のデータ）、負荷データ、特定の動作に対応する関節咬交挙動データ、患者固有の負荷、モーメントアーム、接触ストレス、外的負荷、および筋力などを含む。
【０４９５】
データ１５はレコードの配列に基づいており、各レコードは、データベース１０３０に格納されたライブラリ位置合わせ情報データ、ライブラリ位置合わせ形態データ、およびライブラリデザインデータを含む、利用可能な予め定められた理想的シミュレーションモデルの組のうち、選択された１組に対応している。
【０４９６】
上記モデルの組における各モデルは、特定の活動を行っている特定の関節に対応する。例えば、レコード２１は人間がテニスのゲームに参加しているとき一般的な膝関節で行われると予測される運動のモデルに対応するデータ１５を含む。すなわち、このモデルは、テニスをする人が行う固有の動作に基づいて、テニスをしているある人間の、膝関節の配置および関節の角度の理想形などの定量的要素を供する。レコード２２は人間が階段を昇降するときの一般化された膝関節の動作モデルに対応し、（種々の特定量における）複数の定量化の結果を含む。
【０４９７】
他の実施形態においては、データ１５は単一のレコードに基づく。
【０４９８】
ある１つの実施形態においては、データ１５を少なくとも２つのシミュレーションモデルを示す。さらに他の実施形態では、データ１５は２つ以上のシミュレーションモデルを示す。
【０４９９】
〔静的特徴〕
データ１６は、関節の静的特徴を示しており、患者固有の他の生理学的要素に関連する関節および／または関節の位置合わせについて行われた１つ以上の定位置測定を含む。利用可能な定位置測定としては、機械的な軸合わせ、インプラントの形状および患者の人体に基づいた動作シミュレーションの範囲など、当業者がここで示す利点を得ることになるようなものを含む。機械的な軸合わせデータの場合、そのデータは、その関節に関連する生体機械基準系における特定の機械的な耐荷重性軸に対応する。上記関節が膝関節または股関節である場合、上述の生体機械基準系は、寛骨の基準系、大腿骨の基準系、脛骨の基準系、および、背骨の基準系を含む。機械的一次耐荷重性軸合わせの結果と合わせられた機械的な耐荷重性軸は、関節の上記機械的な軸の位置合わせの全体に対応する。上記生体機械基準系は、上述した肘関節および股関節に係るものに限定されないが、肩、足首等他の人体の関節に係る座標基準計を同様に含んでいることが望ましい。
【０５００】
図１３に示す通り、データ１６は静的性質、または関節の特徴に対応したレコードの配列を含む。より具体的には、本実施形態においてデータ１６は関節の画像を複数含んでいる。当該複数の画像はレコード２５に示す核磁気共鳴画像法（ＭＲＩ）画像、レコード２６に示すコンピュータ断層撮影（ＣＴ）画像、レコード２７に示すＸ線画像を含む。すなわち、これらの画像は、当該画像に埋め込まれて、および本質的に内在していて、そして当該画像から抽出可能である関節についての多数の定位置の、および静的な測定基準を含む。
【０５０１】
レコード２５，２６、および２７は、以下に記載するように、関節の静的特徴の自動的な抽出を可能にするためにＤＩＣＯＭ（Digital Imaging and Communications in Medicine）形式である。他の実施形態では、レコード２５、２６、および２７は、要求された特徴を抽出することを可能にするためにデジタル化された、１つの画像である。他の形態では、レコード２５、２６、および２７は、やはり関節における多数の静的特徴を自動的に抽出することを可能にするため、ＤＩＣＯＭ以外の形式である。
【０５０２】
他の実施形態では、データ１６は画像以外の情報を示し、さらなる実施形態では種々の画像が代わりに、または上記で明示したものに追加で使用される。他の画像の例としては、超音波画像、レーザースキャン画像、ポイントマッチングからのスキャン画像、表層マッチングおよび／または表層認識の画像等が含まれる。そのような画像は、例えば、データ１５に含まれている１つ以上のレコードを得るために使用されるなどして、当業者がここで示す利点を得られるようにすることが望ましい。
【０５０３】
要約すると、患者ファイル７から篩い分けられ同定された情報が、データベース１０３０に格納されている患者データを定義している。
【０５０４】
工程３３０において、プロセッサ１０００はさらにコンピュータプログラムコードによって制御され、患者データに応じた関節に整形外科インプラントを位置合わせするための位置合わせ情報データを算出する。この工程では、データベース１０３０から患者データが検索され、物理エンジンを用いた患者データにおける、決定した患者固有の剛体力学シミュレーション、すなわち、マルチボディシミュレーションソフトウェアを用いた関節のシミュレーションが行われる。
【０５０５】
上記シミュレーションは、膝関節または股関節のシミュレーション結果を得るため、順および／または逆動力学を使用することを含み得る、マルチボディシミュレーションである。
【０５０６】
上記位置合わせ情報データは、データ１６に格納された種々の２Ｄおよび３Ｄ映像データから得られた、関節の実際の３Ｄモデルデータを含む。データ１５およびデータ１６から、シミュレーション中の整形外科インプラントに係る力ベクトル、負荷、せん断応力、およびモーメントの大きさおよび方向に対応したデータを生成することが可能である。上記位置合わせ情報データはこのように、関節に係る整形外科インプラントの位置決めおよび回転をそれぞれ行うため、位置情報データと回転情報データとの両方を考慮する。
【０５０７】
工程３４０において、プロセッサ１０００はコンピュータプログラムコードに制御され、データインタフェース（１８０、１４０）から、1つ以上の、所望のインプラント後の患者の活動を示す患者取得データ５８を受信する。上記１つ以上の移植後活動は、インプラント手術が施された後に、患者が手術の結果として実現するであろう活動の数および種類に関連する。この実施形態では、移植後活動は、日常活動（例えば、階段の昇降、車の乗り降り、孫を抱きあげるといった活動）、アウトドア活動（例えば、ガーデニングのため庭でひざまずく、軽いジョギングをするといった活動）、およびスポーツ活動（例えばテニス、ゴルフ、スキー、フットボールなど、すなわち定義されている運動目的全て）に分類される。他の実施形態では、移植後活動は上述した活動に限定されないが、患者が所望する活動を全て含むことが望ましい。このような患者取得データ５８は、クライアントコンピュータ装置２２０を介してコンピュータ装置１００と遠隔通信している患者によって取得される。クライアントコンピュータ装置２２０は、データリンクを通じコンピュータ装置１００とデジタルデータを送受信するためのインタフェースを１対備えている。患者は、患者取得データ５８を、電子質問表（図示せず）の形式で提供する。当該患者取得データ５８は、上記患者またはヘルスケアの専門家から、クライアントコンピュータ装置２２０を介してコンピュータ装置１００へと与えられる。患者取得データ５８は、データベース１０３０において、患者ファイル７のデータ１５内のレコードとして格納される。
【０５０８】
患者取得データ５８は移植後活動嗜好データを含む。移植後活動嗜好データは、移植後活動のうち、１つ以上の所望の活動についての患者の相対的な嗜好を示す嗜好比率である。ここで、患者は、個人固有の好みに基づいて、移植後活動のうち、より好みの活動を指定することができる。例えば、とある患者が、ガーデニングに参加するため庭でひざまずくことが可能になることを望んでおり、時折テニスをすることも望んでいるとすると、この場合の嗜好比率の順は、庭でひざまずくことがテニスをすることより上位になる。膝関節の場合、ひざまずくという活動は関節の高角度の屈曲が必要とするが、関節の内反／外反や関節の内側／外側への回転は最小限でよい。一方、テニスをするという活動は、関節の内反／外反および内側／外側への回転がより大きく必要である。
【０５０９】
上記質問表に現れる他の患者の測定基準は、インプラント手術前の関節における生化学的な能力についての、患者自身の見立てに関連する主観的測定基準、および、インプラント手術前に関節が実際にはどの程度の能力を有するかを知るために、外科医などの手術者によって患者が診断される客観的測定基準を含み得る。外科医は、そのような患者の測定基準を用いることにより、その患者の関節に現在かかっている制限を知ることができる。
【０５１０】
基本的に、上記質問表は、患者が個人的嗜好を評価した移植後活動についての、既定のリストの形で提供される。移植後活動嗜好データはこのように、マルチボディシミュレーションにおいて、オペレータが、患者が所望の移植後活動を達成するために最も適切な整形外科インプラントを特定することを助けるため、境界の状態を定義するために使用される患者の機能的スコアを形作る。
【０５１１】
他の実施形態においては、上記質問表は患者によって書き込まれた紙の調査表（図示せず）であり、例えば、１人のオペレータまたは外科医によって、データインタフェース（１８０、１４０）を介して、データベース１０３０に手入力される。
【０５１２】
他の実施形態においては、患者取得データ５８は、例えばiPhone（登録商標）および／またはiPhoneアプリケーション（図示せず）などのＰＤＡ（personal digital assistant）を介し、遠隔操作で上記質問表に入力される。
【０５１３】
工程３５０において、ユーザにより一旦患者取得データ５８が入力されると、プロセッサ１０００はコンピュータプログラムコードに制御され、患者データおよび患者取得データ５８に応じた１組の位置合わせ情報データ候補を算出する。この工程において、患者取得データ５８に対し、移植後活動に関する関節のシミュレーションがテストされる。これは、改良的試みとして知られている。基本的にこの工程では、移植後活動における所望の動きについてシミュレートされた関節を試験することにより、そのような特定の動作を行う患者の関節において、特にどこで最大の機能運動学的反応が起こり得るかを示す。ゆえに、位置合わせ情報データ候補は、実際の患者の関節の現在の状態に関係する位置合わせ情報データと、その患者が所望の移植後活動を行える位置合わせ情報データとを考慮する。
【０５１４】
工程３６０では、プロセッサ１０００はコンピュータプログラムコードに制御され、移植後活動嗜好データに応じた位置合わせ情報データ候補の組から、位置合わせ情報データを選択する。この工程では、機能運動学的反応が最大になるポイントが１つ以上特定され、変化が確定される。例えば、位置取りおよび整形外科インプラント咬交表面の形は、オペレータ、または１人以上の遠隔地にいるユーザが将来アクセスするためにデータベース１０３０に格納されているシミュレーションファイルを提供するために、所望の通りに変化する。選択された位置合わせ情報データはこれにより、患者の個人的嗜好に応じた所望の移植後活動を行うことが可能になる位置合わせ情報データと、関連付けられる。そして、上述の例では、選択された位置合わせ情報データは、患者が、庭でひざまずく、という優先的行動を行うことができるようにするため、膝関節の高角度の屈曲を可能にし、さらに時折テニスの試合をする能力を与える余裕がある程度の関節の妥当な内反／外反角度および関節の妥当な内側／外側への回転を有する。
【０５１５】
上記シミュレーションファイルは、２Ｄ断面画像を含むＤＩＣＯＭ（Digital Imaging and Communications in Medicine）ファイルである。２Ｄ断面画像は、画像プロセシングソフトウェアを用いてコンパイルすることにより、３Ｄで閲覧可能である。他の実施形態では、ＳＴＬ、ＪＰＥＧ，ＧＩＦ，およびＴＩＦなどの他ファイルタイプの画像が用いられる。
【０５１６】
他の実施形態では、オペレータは、所望の移植後活動において最良の生化学的能力をもたらすと予測される整形外科インプラントの、最適な配置および回転を特定するため、患者の関節内に、仮想的に整形外科インプラントを差し込むことができる。
【０５１７】
工程３７０では、プロセッサ１０００はコンピュータプログラムコードに制御され、データベース１０３０から、1つ以上の所望の移植後活動のうち少なくとも１つを行うために使用できる整形外科インプラントの一群に関連する位置合わせ情報データに対応するライブラリ位置合わせ情報データ、または、１つ以上の所望のインプラント活動のうち少なくとも１つを行うための整形外科インプラントに適合する患者の一群に関連した位置合わせ情報データを読み出す。この工程では、整形外科インプラントを患者の関節と位置合わせするための位置合わせ情報データは、マルチボディシュミレーションにより拡張された関節のシミュレーションから選択される位置合わせ情報データと、市販の利用可能な整形外科インプラントに係るライブラリ位置合わせ情報データ、または１つ以上の所望の患者
の移植後活動のうち少なくとも１つを行うことに適している整形外科インプラントに適合する患者に係るライブラリ位置合わせ情報データとを比較することにより、さらに改良することができる。
【０５１８】
データインタフェース（１８０、１４０）は、例えばシミュレーションファイルから得られる関節のグラフ表示を生成、増幅、および表示するためにデータベース１０３０のシミュレーションファイルにアクセスするようなリモートユーザ（例えば外科医などのユーザ）を許可するため、クライアントコンピュータ装置２２０からのユーザの入力に応じる。データインタフェース（１８０、１４０）はまた、例えば既定のユーザネームおよび／またはパスワード等を用い、インターネット２３０を介しウェブページ（図示せず）にログインしたリモートユーザによってアクセス可能である。
【０５１９】
データベース１０３０に格納された全てのデータがセキュリティレベルにより分類され、全てのリモートユーザは、割り当てられたセキュリティアクセス権限を持つクライアントコンピュータ装置２２０を介してデータにアクセスすることが望ましい。あらゆる特定のデータにアクセスすることはデータ自体のセキュリティレベルおよびアクセスするデータを要求しているリモートユーザのセキュリティアクセス権限だけでなく、そのデータが由来する患者と当該ユーザとの関係性にも基づいて制限される。このように、オペレータは、患者のＣＴスキャンおよびＭＲＩスキャンなどの少なくともいくつかの患者固有情報データを、移植後活動についての個人的嗜好と同様に患者が選択入力できるように補助する。他の実施形態においても、情報へのアクセスは同様に、選択された人毎に供される。
【０５２０】
〔インプラントの一群からのインプラントの選択〕
図４は、本発明の他の実施形態において利用可能な整形外科インプラントの一群から、患者の関節のため１つの整形外科インプラントを選択するための、コンピュータ実行方法４００を示している。コンピュータ実行方法４００は、プロセッサ１０００がコンピュータプログラムコードによって制御され、上述したコンピュータ実行方法３００に応じて導き出された整形外科インプラントの位置合わせについての位置合わせ情報データを、データインタフェース（１８０、１４０）を介しデータベース１０３０から受信する、工程４１０から開始する。そして、導き出されたこの位置合わせ情報データは、１つの整形外科インプラントを利用可能な整形外科インプラントの一群から選択するため工程４２０にて使用される。
【０５２１】
ある実施形態では、利用可能な整形外科インプラントの一群は、ある一定範囲の患者に適合するようなインプラントを提供することを目的として製造されている、一般に市販され利用可能なインプラントの一群に関係している。一般の整形外科インプラントの一群内の各インプラントは構造的パラメータを持つ。当該構造的パラメータは、コンピュータ実行方法４００において、外科医などの施術者が患者の関節に対し最も好適な整形外科インプラントを選択することを助けるため、患者の位置合わせ情報データと一般的な整形外科インプラントの既知の構造的パラメータデータとを比較できるようにするため使用され得る。
【０５２２】
最も好適な整形外科インプラントが選択されると、プロセッサ１０００はさらに、コンピュータプログラムコードにより制御され、工程４３０において、同じ患者または別の患者の整形外科インプラントの選択に係る将来のデータ要求において使用するため、患者の関節に係る対応位置合わせ情報データを、データインタフェース（１８０、１４０）を介しデータベース１０３０へと送信することにより、データベース１０３０をアップデートする。
【０５２３】
〔インプラントの位置合わせ〕
図５は、本発明の他の実施形態における、ある患者の関節における整形外科インプラントの位置合わせをするための、コンピュータ実行方法５００を示している。コンピュータ実行方法５００は工程５１０から開始し、工程５１０ではプロセッサ１０００が、データインタフェース（１８０、１４０）を介し、上述のコンピュータ実行方法に応じて導き出された位置合わせ情報データを受信するようにコンピュータプログラムコードによって制御される。工程５２０では、プロセッサ１０００は、位置合わせシステムを、外科的手順に則った患者の関節の整形外科インプラントの物理的位置合わせの制御に使用するために、当該導き出された位置合わせ情報データをデータインタフェース（１８０、１４０）を介して、ロボット位置合わせシステム、ハプティックフィードバック位置合わせシステム、コンピュータ補助位置合わせシステム、またはあらゆる標準的なもしくはカスタムのシステムなどの位置合わせシステム（図示せず）へと送信するように、コンピュータプログラムコードによって制御される。この位置合わせにおいて位置合わせシステムは、有線イーサネット（Ethernet、登録商標）ネットワークなどの有線ネットワーク、または、Ｂｌｕｅｔｏｏｔｈ（登録商標）ネットワーク、もしくはＩＥＥＥ  ８０２．１１ネットワークなどの無線ネットワークによりコンピュータ装置１００と接続される。
【０５２４】
ある実施形態では、導き出された位置合わせ情報データは、インターネット２３０またはプライベートＷＡＮなどの広域エリアネットワーク（ＷＡＮ）を超えた直接のネットワーク接続により、データインタフェース（１８０、１４０）を介し直接位置合わせシステムへと送られる。
【０５２５】
ある実施形態では、位置合わせ情報データは、位置合わせシステムが関節の整形外科インプラントの位置合わせを実行するように制御する指令として上記位置合わせ情報データを含むロボットファイル（robotics file、図示せず）の形式で、位置合わせシステムへ間接的に送信される。
【０５２６】
ある実施形態では、上記ロボットファイルは、例えばＣＤ−ＲＯＭディスク、フロッピーディスク、テープカセット、またはＵＳＢメモリスティックなどの、１つ以上のストレージメディア（図示せず）に読み出され、位置合わせシステムのオペレータが位置合わせシステムに直接入力するため、当該オペレータへと物理的に転送される。
【０５２７】
〔インプラントの位置合わせのモデル化〕
図６は、本発明の他の実施形態における、患者の関節のための整形外科インプラントの位置合わせをモデル化するためのコンピュータ実行方法６００を示している。コンピュータ実行方法６００は、工程６１０において、上述のコンピュータ実行方法３００に応じた患者固有情報データから患者データを得ることにより開始する。プロセッサ１０００はさらに、コンピュータプログラムコードによって制御され、工程６２０において、位置合わせ情報データに応じた関節の３Ｄモデルデータを算出する。表示装置１０２０上にグラフ表示として示された上記３Ｄモデルデータは、外科医などのオペレータによって望む通りに操作可能であり、オペレータが、整形外科インプラントを配置した際の効果および動きを視覚化するために利用可能である関節の概観動的３Ｄモデルを提供する。
【０５２８】
ある実施形態では、プロセッサ１０００はコンピュータプログラムコードによって制御され、工程６３０にて、位置合わせ情報データおよび患者取得データ５８に対応した１組の位置合わせ形態候補を算出する。導き出された１組の位置合わせ形態候補は、このように、３Ｄモデルと、患者が望む移植後活動を行うことを可能にするであろう位置合わせ形態を決めるために整形外科インプラントを装着した後患者がしたいと望む１つ以上の移植後活動とを考慮している。移植後活動を行うための患者の能力に係る移植後活動能力データを考慮することにより、プロセッサ１０００はさらにコンピュータプログラムコードにより制御され、工程６４０において、上記で移植後活動能力データから導き出された上記１組の位置合わせ形態候補から、位置合わせ形態を選択する。結果として、表示装置１０２０上にグラフ表示として示された際に選択された位置合わせ形態は、オペレータに対し、患者の関節を視覚化するとともに、所望の移植後活動を達成するために、関節に適した整形外科インプラントをどのように位置合わせできるかを視覚化することを可能にする。
【０５２９】
〔３Ｄモデルデータに応じたインプラントの一群からのインプラントの選択〕
図７は、本発明の他の実施形態における、患者の関節のための整形外科インプラントを整形外科インプラントの一群の中から選択するためのコンピュータ実行方法７００を示している。コンピュータ実行方法７００は、工程７２０において、工程３１０および３２０に対応する患者固有情報データから患者データを得ることにより開始し、そして工程７２０において、その患者データを、関節の実際の３Ｄモデルデータを算出するために使用する。
【０５３０】
プロセッサ１０００はさらに、コンピュータプログラムコードによって制御され、工程７３０において、患者データに対応する関節の３Ｄモデルデータのうち、より好ましい３Ｄモデルデータを算出する。オペレータにより上述のコンピュータ実行方法７００に則ってシミュレーションが実行されたときに、上述した動的特徴および静的特徴の両方を考慮した「好ましい」関節のシミュレーションモデルを供するため、この工程では、決定された関節のモデルは拡張される。プロセッサ１０００はさらにコンピュータプログラムコードによって制御され、工程７４０において、関節の実際の３Ｄモデルデータおよび好ましい３Ｄモデルデータに対応した整形外科インプラントの一群から、整形外科インプラントが選択される。この工程において、オペレータは、好ましい３Ｄモデルデータによって示された結果を最も良く再現する整形外科インプラントを選択するため、関節の好ましい３Ｄモデルデータを使用することができる。
【０５３１】
ある実施形態では、プロセッサ１０００はコンピュータプログラムコードによって制御され、工程７５０において、１つ以上の所望の移植後活動を示しており、移植後活動嗜好データを含んでいる患者取得データ５８が、データインタフェース（１８０、１４０）を介して受信される。移植後活動を行う際の患者の嗜好に関連する移植後活動嗜好データを考慮することにより、プロセッサ１０００はさらにコンピュータプログラムコードによって制御され、工程７６０において、移植後活動嗜好データに対応した、関節の好ましい３Ｄモデルデータが導き出される。つまり、好ましい３Ｄモデルデータは、所望する移植後活動を患者が行うことを可能にするような関節のシミュレーションモデルを提供するために、患者の所望の移植後活動を考慮する。
【０５３２】
ある実施形態において、コンピュータ実行方法７００は、1つ以上の所望の移植後活動のうち少なくとも１つを行うために利用可能な整形外科インプラントの一群に関連するライブラリ位置合わせ形態データ、または、1つ以上の所望の移植後活動のうち少なくとも１つを行うための整形外科インプラントが装着された患者の一群に関連するライブラリ位置合わせ形態データをさらに考慮する１つの工程を行う。この実施形態においては、プロセッサ１０００はコンピュータプログラムコードによって制御され、工程７７０においてデータベース１０３０からライブラリ位置合わせ形態データが読み出され、そしてライブラリ位置合わせ形態データに対応する整形外科インプラントが選択される。この工程において、関節の好ましい３Ｄモデルはさらに、既知のライブラリ位置合わせ形態データとの比較結果に応じて実際の３Ｄモデルデータを改良したものに基づいて算出される。
【０５３３】
上記実施形態の結果、表示装置１０２０上にグラフ表示として示された、関節の好ましい３Ｄモデルデータは、オペレータに対し、上記関節の好ましい３Ｄモデルが、ライブラリ位置合わせ形態データからから選択された整形外科インプラントの形とどの程度整合するか、および、上記整形外科インプラントが、特定の移植後活動において機能的にどの程度振る舞えるかについて、視覚化および比較を可能にする。オペレータはこれにより、利用可能な整形外科インプラントの一群の中から、患者が、彼らの望む嗜好に応じた所望の移植後活動を行えるようにするための、患者に最も良く適合する整形外科インプラントを選択することができる。
【０５３４】
使用において、上述のモデル化技術は、既定の位置合わせ形態における既定の整形外科インプラントのテストに適用される。上記シミュレーションファイルはここで、患者の関節における機能的運動反応が、既定の整形外科インプラントおよび既定の位置合わせ形態と適合するとみなして情報を抽出し得るオペレータによって、例えばグラフ表示などで閲覧され得る。そして、外科医は、例えば、最初のシミュレーション操作に基づいた、患者の関節にかかる負荷などの見立てに応じて、異なる既定の整形外科インプラントおよび／または異なる既定の位置合わせ形態に基づく他のシミュレーションを実行することを選択できる。そしてこの処理は、外科医が既定のインプラントおよび既定の位置合わせ形態で満足するまで、望むだけ繰り返される。
【０５３５】
グラフ表示は関節の概要３Ｄモデルに限らず、種々の実施形態において、上記グラフック表示は、既定の整形外科インプラントを用いる際の関節のモデル、既定の位置合わせ形態を用いる際の患者の関節のモデル、または、整形外科インプラントおよび配列構成の選択に対する関節の負荷などの情報を示すグラフのレスポンスカーブを含んでいてよい。図１２のグラフ４０は、関節のモデルにおける屈曲の強度を示すレスポンスカーブの一例である。
【０５３６】
〔製造パラメータ〕
整形外科インプラント
図８は、本発明の他の実施形態において、整形外科インプラントとの咬交表面を有するとある患者の関節のために製造された整形外科インプラントの、製造パラメータを拡張するコンピュータ実行システム８００を示している。コンピュータ実行システム８００は、工程３１０および３２０に応じて患者固有情報データから患者データが得られることにより工程８１０から開始する。工程８２０において、プロセッサ１０００は、患者データに応じた整形外科インプラントのデザインデータを算出するため、コンピュータプログラムコードによりさらに制御される。この工程において、デザインデータは、当該整形外科インプラント咬交表面を含む、整形外科インプラント全体の構造パラメータと関連付けられる。他の実施形態において、デザインデータは上記咬交表面の構造パラメータのみと関連づけられる。
【０５３７】
工程８３０において、プロセッサ１０００は、３Ｄ  ＣＡＤモデルなどの、デザインデータに応じた整形外科インプラントを製造するための製造パラメータを算出するため、コンピュータプログラムコードによりさらに制御される。拡張された製造パラメータは、１つ以上の適切な製造工程を用いて整形外科インプラントの製造に使用され得る。そのような製造プロセスは、ステレオリソグラフィー（stereolithography、ＳＬＡ）、選択的レーザ焼結（selective laser sintering、ＳＬＳ）、直接金属焼結（direct metal laser sintering、ＤＭＬＳ）、電子ビーム融解（electron beam melting、ＥＢＭ）、３Ｄ印刷（3D printing、３ＤＰ）などの付加製造法を含んでいてもよいし、または、バイオマシ
ニング、砥粒流動加工、アブレイシブジェット加工、ミリング、レーザ切断、および水ジェット切断などの減製造法を含んでいてもよい。
【０５３８】
ある実施形態では、コンピュータ実行方法８００はさらに、患者の所望の移植後活動のうち1つ以上を考慮するという１工程を踏む。この実施形態では、プロセッサ１０００は、工程８４０において、1つ以上の所望の移植後活動を示しており移植後活動嗜好データを構成している患者取得データ５８を、データインタフェース（１８０、１４０）を介して受信するため、コンピュータプログラムコードにより制御される。プロセッサ１０００はそして工程８５０において、移植後活動嗜好データに基づいた整形外科インプラントのインプラント後デザインデータを算出するため、コンピュータプログラムコードにより制御される。この工程において、上記インプラント後デザインデータは１つの整形外科インプラント、特に、当該整形外科インプラントが一度適合したことのある移植後活動の嗜好に応じた所望の移植後活動を患者が行うことを可能にするような整形外科インプラントの結合部位を定義している。プロセッサ１０００はさらに、工程８６０において、さらにインプラント後デザインデータに対応した整形外科インプラントの製造のための製造パラメータを算出するため、コンピュータプログラムコードにより制御される。
【０５３９】
ある実施形態では、コンピュータ実行方法８００はさらに、１つ以上の所望のインプラント活動のうち、少なくとも１つを行うために利用可能な整形外科インプラントの一群のデザインデータと関連付けられているライブラリデザインデータ、または、１つ以上の所望の移植後活動のうち少なくとも１つを行うための、ある整形外科インプラントに適合する患者の一群に関連付けられているデザインデータを考慮するという１工程を踏む。この実施形態では、プロセッサ１０００は、工程８７０において、データベース１０３０から上記ライブラリデザインデータを読み出し、そして、さらに既知の上記ライブラリデザインデータに対応する整形外科インプラントを製造するための製造パラメータを算出するため、コンピュータプログラムコードにより制御される。
【０５４０】
上述の実施形態の結果として、オペレータはこのように、患者の関節の構造的パラメータと、利用可能な整形外科インプラントの一群で、データベース１０３０内にある、患者が自己の望む嗜好に応じた所望の移植後活動を行うことを可能にするために患者に最も適合するであろう整形外科インプラントの一群における既知の機能的性能との比較に基づいて、製造パラメータを、患者の関節の整形外科インプラントの製造において用いるために拡張することができる。
【０５４１】
〔カスタム咬交〕
図９は、本発明の他の実施形態において、整形外科インプラントのアタッチメントのためのカスタム咬交（図示せず）を製造するための、製造パラメータを拡張するためのコンピュータ実行方法９００を示している。上記カスタム咬交は上述のように拡張された製造パラメータを有した整形外科インプラントの一部（一般的に、装着される、機械的に固定される、またはそれらに接着される部分）であり、関節が所望の機能的結果を最も良くあげることを可能にする。コンピュータ実行方法９００は、工程９１０にて、上述したコンピュータ実行方法８００に対応した整形外科インプラントのために導き出されたデザインデータを受信することにより開始される。そして工程９２０において、プロセッサ１０００はさらに、デザインデータに対応するカスタム咬交を製造するための製造パラメータを算出するため、コンピュータプログラムコードにより制御される。この工程において、カスタムされたインプラントのための製造パラメータは、整形外科インプラントのためのデザインデータ、特に、整形外科インプラント咬交表面に関連付けられたデザインデータで、当該データを、整形外科インプラントの結合部位を補う、カスタムされたインプラントの結合部位の拡張のために使用するデザインデータを考慮する。上記拡張された製造パラメータは、上で挙げた１つ以上の製造工程を用いているカスタム咬交を製造する際に利用可能である。
【０５４２】
上述の実施形態の結果として、オペレータはこのように、上述した大量生産の整形外科インプラント咬交表面に対し、相補的な咬交表面を有するカスタム咬交のインプラントの製造において使用されるように、製造パラメータを拡張することができる。この点において、整形外科インプラントおよびカスタム咬交は、対応するインプラント（例えば脛骨トレー）と装着、接着、または機械的に固定され、整形外科インプラントおよびカスタム咬交は、患者が望む嗜好に対応した所望の移植後活動を実行可能なように、患者の関節に適合することができる。
【０５４３】
図１０は、本発明の他の実施形態において、患者の関節に整形外科インプラントの位置合わせを行うための、当該関節の準備において使用するための患者固有の治具（jig、図示せず）を製造するために、製造パラメータを拡張するコンピュータ実行方法１２００を示している。この実施形態では、製造パラメータは、コンピュータナビゲーションソフトウェアシステムで使用するコンピュータファイル形式であるか、ロボット工学システムで使用するロボットファイル形式である。患者固有の治具は、関節の特定の骨に設置可能な切断ガイド装置であり、整形外科インプラントを、特定の移植後活動のため、全体的に最も良い能力を供する空間的方向と同じ空間的方向で位置合わせするために、再選択や関節の骨に孔を作成するためのカッティングを行う間の外科医のガイドを目的として設置可能な切断ガイド装置である。
【０５４４】
図１４から２０は、上述したコンピュータ実行方法３００を用いて導き出された位置合わせ情報データに基づいて予測された患者の膝関節のコンピュータシミュレーション結果を、種々のグラフィック描写で示している。
【０５４５】
図１４は、膝の湾曲または屈曲としての膝関節の内反角度（単位：度）の変化をシミュレーションした際の運動学的結果を示しており、患者が行う、一般的に起立している姿勢すなわち屈曲角度が０度（図１４の（ｉ）を参照）の姿勢から、一般的にひざまずいている姿勢すなわち屈曲角度が１００度（図１４の（ｉｉｉ）参照）の姿勢になるまでの変化の工程を示している。
【０５４６】
図１５は、膝の湾曲または屈曲としての膝関節の四頭筋の力（単位：ニュートン）の変化をシミュレーションした際の運動学的結果を示しており、患者が行う、一般的に起立している姿勢すなわち屈曲角度が０度（図１５の（ｉ）を参照）の姿勢から、一般的にひざまずいている姿勢すなわち屈曲角度が１００度（図１５の（ｉｉ）参照）の姿勢になるまでの変化の工程を示している。
【０５４７】
図１６は、膝の湾曲または屈曲としての膝関節の内側および外側への回転（単位：度）の変化をシミュレーションした際の運動学的結果を示しており、患者が行う、一般的に起立している姿勢すなわち屈曲角度が０度（図１６の（ｉ）を参照）の姿勢から、一般的にひざまずいている姿勢すなわち屈曲角度が１００度（図１６の（ｉｉ）参照）の姿勢になるまでの変化の工程を示している。
【０５４８】
図１７は、膝の湾曲または屈曲としての膝関節の膝蓋側面の力（単位：ニュートン）の変化をシミュレーションした際の運動学的結果を示しており、患者が行う、一般的に起立している姿勢すなわち屈曲角度が０度（図１７の（ｉ）を参照）の姿勢から、一般的にひざまずいている姿勢すなわち屈曲角度が１２０度（図１７の（ｉｉ）参照）の姿勢になるまでの変化の工程を示している。
【０５４９】
図１８は、膝の湾曲または屈曲としての膝関節の内側および外側への回転（単位：度）の変化をシミュレーションした際の運動学的結果を示しており、患者が行う、一般的に起立している姿勢すなわち屈曲角度が０度（図１８の（ｉ）を参照）の姿勢から、一般的にかがんでいる、またはうずくまる姿勢すなわち屈曲角度が１１２．５度（図１８の（ｉｉ）参照）の姿勢になるまでの変化の工程を示している。上記の結果は、３つの異なる内反／外反角度においての内側および外側への回転角度の変化は、膝関節の一次機能軸に関連していることを示している。
【０５５０】
図１９は、膝の湾曲または屈曲としての膝関節の種々のパラメータの変化をシミュレーションした際の運動学的結果を示しており、患者が行う、一般的に起立している姿勢すなわち屈曲角度が０度の姿勢から、一般的にひざまずいている姿勢すなわち屈曲角度が１４０度の姿勢になるまでの変化の工程を示している。この応用例では、例えば外科医などのオペレータは、内反角度（単位：度）、内側および外側への回転（単位：角度）、および傾斜（単位：角度）などの膝関節に係る種々のパラメータを調整することにより、患者の膝関節についてのシミュレーションされた運動学的結果を予測することができる。例えば、図１９（ｉ）において、内反角（単位：度）、および、大腿骨および脛骨の内側および外側への回転（単位：度）は、脛骨の傾斜と同様に全てゼロにセットされている。しかしながら、大腿骨の内反角が３．０度に調整されたとき（図１９（ｉｉ）参照）、中心軸（図１９（ｉｉ）のＡにおける屈曲面中心（flexion facet centre、ＦＦＣ）の結果を参照）、膝関節における内側および外側への回転角度（図１９（ｉｉ）のＢ参照）、外側側副靭帯（lateral collateral ligament、ＬＣＬ）における靭帯の伸張、前部内側側副靭帯
（anterior medial collateral ligament、anterior ＭＣＬ)および後部内側側副靭帯（posterior medial collateral ligament、posterior ＭＣＬ)(図１９（ｉｉ）のＤ参照）
、および膝蓋の中間／側面のせん断応力（単位：ニュートン）（図１９（ｉｉ）のＥ参照）において明確な違いが存在する。この点において、膝関節に係る種々のパラメータを調整することにより、外科医は、患者の関節と関連する整形外科インプラントの位置合わせの最適解を予測することができる。
【０５５１】
図２０（ｉ）は、ライブラリ位置合わせ情報データおよびライブラリ位置合わせ形態データとしてデータベース１０３０に格納されている、それぞれ整形外科インプラントを装着した８人の患者の一群から得られた患者の測定を示している。上記測定結果は、膝の湾曲または屈曲としての、患者それぞれの左右の膝関節の内側および外側への回転（単位：度）の変化を示しており、患者が、一般的に起立している姿勢から一般的にかがんだ、またはうずくまった姿勢になるまでの変化の工程を示している。左の膝関節の測定結果によると、全ての結果は概して、装着された整形外科インプラントに対して同じ内側および外側への回転を示した。右膝の測定結果によると、他の患者と比べ、１名の患者（pat004）が異なる内側および外側への回転を示した。
【０５５２】
図２０（ｉｉ）は、一般的に立っている姿勢から一般的に屈んだりあぐらをかいたりする姿勢に移行する工程を実行する患者を代表するために、それぞれの膝を曲げるかまたは屈折したときの、８人の患者の左と右の膝接合の膝蓋骨剪断力（ニュートンで）における変化を示す、８人の患者の同じグループから得られた対応する一組の結果を示す。研究された左膝の結果を基に、左膝のほとんど１つ（pat2ERyanLeftTECHSIM）は、取り付けられた整形外科インプラントに関する一般的に同じ膝蓋骨剪断力を示す。研究された右膝の結果については、患者の右膝（pat008)は、他人と比べた時異常な膝蓋骨剪断力を示す。
【０５５３】
図２０（ｉ）および図２０（ｉｉ）の結果を基に、外科医などのオペレータは、８人の患者のそれぞれに取り付けられるときの特定の整形外科インプラントの効果を観察し、かつ、対応する患者の生体機械的行動に対してそれがどのように影響するかを観察できる。外科医は、それから、位置合わせ情報データと、データベース１０３０に記憶された対応するライブラリデータで患者の位置合わせ形態との比較を通じて、患者に組み込むときに同じ整形外科インプラントがそれらの生体機械的行動にどのように影響するか予測するためにこれらの結果を使用できる。
【０５５４】
図２１から図２３は、上述のコンピュータ−実行方法３００を用いて算出された位置合わせ情報データに基づく、患者の股関節の予測されたコンピュータシミュレーション結果のさまざまなグラフィカル表現を示す。
【０５５５】
図２１は、患者が、一般的に立っている姿勢（図２１の（ｉ））から、一般的にしゃがむ姿勢（図２１の（ｉｉ））に、および一般的に立っている姿勢（図２２の（ｉｉｉ））に移行する工程を実行するときの、患者の左股関節および右の股関節の股関節負荷（大きさと方向）における変化のシミュレートされた運動学的結果を示す。この例では、左股関節にシミュレートされた整形外科インプラントは、大腿部の軸と、これに対応する、大腿部の軸を受け入れる寛骨臼カップとを含む。
【０５５６】
図２２は、寛骨臼カップ７０と大腿部の軸７５を有する大腿骨７５との形態におけるシミュレートされた整形外科インプラントの配置（度）のためのシミュレートされた運動学的結果を示す。膝関節の寛骨臼カップ７０は、４５度の傾き角度と、前方骨盤面に対する２５度の前傾を有する。股関節負荷の方向は、図２２の（ｉ）および図２２の（ｉｉ）の４つの画像（Ａ、Ｂ、Ｃ、Ｄ）のそれぞれの矢印８０によって示される。
【０５５７】
図２２の（ｉ）は、一般的に立っている姿勢におけるシミュレートされた整形外科インプラントが取り付けられた患者に対応し、図２２の（ｉｉ）は、一般的な座る姿勢に対応する。図２２の（ｉ）および図２２の（ｉｉ）の４つの画像（Ａ、Ｂ、Ｃ、Ｄ）は、立つ姿勢と座る姿勢との間を変遷する際の、同じ股関節の異なる視点に対応する。
【０５５８】
図２２の（ｉｉｉ）は、カップ７０の内側咬交表面および合成された股関節負荷８０の代表である対応する２Ｄプロットを示し、これは、患者が、一般的に立っている姿勢（図２２の（ｉ））から、一般的に座っている姿勢（図２２の（ｉｉ））に移行する工程を実行するときに、カップ７０の咬交表面に作用する大腿部軸７５Ａによって生成されるトレース線８５として示される。トレース線８５は、股関節負荷（股関節負荷の大きさおよび方向を含む）に対応する。２Ｄプロットの中央は、カップ７０の咬交表面の中央に対応し、一方、２Ｄプロットの外側表面は、カップ７０の大腿部表面の端部に対応する。
【０５５９】
図２３は、寛骨臼カップ７０と、大腿部軸７５を有する大腿骨７５との形態でシミュレートされた整形外科インプラント配置のシミュレートされた運動学の結果（度）を示す。股関節の寛骨臼カップ７０が、−３５度の傾斜角度と、前方の骨盤面に対する１５度の前傾（図２３の（ｉ）を参照）を有する。股関節負荷の方向は、図２３の（ｉ）および２３の（ｉｉ）の両方において４画像（Ａ、Ｂ、ＣとＤ）のそれぞれにおける矢印８０によって示される。
【０５６０】
図２３の（ｉｉｉ）は、カップ７０の内側咬交表面と、結果として生ずる股関節負荷８０の代表である対応する２Ｄプロットを示し、これは、患者が、一般的に立っている姿勢（図２３の（ｉ））から、一般的に座っている姿勢（図２３の（ｉｉ））に移行する工程を実行するときに、カップ７０の咬交表面に作用する大腿部軸７５Ａによって生成されるトレース線９０として示される。トレース線９０は、股関節負荷（股関節負荷の大きさおよび方向を含む）に対応する。２Ｄプロットの中央は、一方２Ｄプロットの外側表面は、カップ７０の咬交表面の端に対応する。
【０５６１】
図２２の（ｉｉｉ）および図２３の（ｉｉｉ）のシミュレーション結果は、図２２の（ｉｉｉ）のトレース線８５が、一般的に、トレース線９０（図２３の（ｉｉｉ）参照）よりも２Ｄプロット（咬交表面の中央部）の中央に近いことを示す。さらに、トレース線９０もまた、トレース線８５よりも、２Ｄプロットの外側周辺にわずかにさらに広がる。
【０５６２】
図１４から２３のシミュレートされた運動学的結果は、示されたものに限定されないが、他の動的な測定基準を含んでもよいということが賛同される。
【０５６３】
〔インプラントデザインデータ〕
図１１は、本発明の別の実施形態に基づく一群の整形外科インプラントのためのインプラントデザインデータを算出するためのコンピュータ実行方法１３００を示す。コンピュータ実行方法１３００は、プロセッサ１０００が、データインターフェース（１８０，１４０）を介して、上述のコンピュータ実行方法３００によって提供された多様な患者の多様な整形外科インプラントの位置合わせ情報データに対応する、患者ライブラリデータを受信するためのコンピュータプログラムコードによって制御される工程１３１０で開始する。工程１３２０では、プロセッサ１０００は、データインターフェース（１８０，１４０）を介して、ユーザ入力要求に基づき選択された患者ライブラリデータの１つまたはそれ以上のサブセットを表すインプラント範囲データを受信するためのコンピュータプログラムコードによって、さらに制御される。工程１３３０では、プロセッサ１０００は、患者ライブラリデータおよびインプラント範囲データに基づき一群の整形外科インプラントのためのインプラントデザインデータを算出するためのコンピュータプログラムコードによって、さらに制御される。改変された患者ライブラリデータは、インプラント範囲データに基づく患者ライブラリデータの篩い分けを基礎として算出される。グループまたは整形外科インプラントのためのインプラントデザインデータは、適切な統計分析方法を用いた、改変された患者ライブラリデータの統計学上の分析に基づき算出される。回帰分析および最小二乗分析などを含むがこれに限られない多くの統計分析手法は、そのような目的に利用可能である。
【０５６４】
一実施形態において、オペレータは、ある移植後活動を行うため整形外科インプラントが取り付けられた患者グループから選ばれる多くの満足した患者に関する患者満足データによって、患者ライブラリデータを篩い分けることを選択できる。患者満足データは、移植後活動を行うときの生体機械性能に対する、特定の整形外科インプラントの全体的な性能、特定の移植後活動を行うときの患者によって経験された快適度、および、特定の移植後活動を行うときの動きの自由度に関しても良い。それゆえ、もし多くの患者が特定の整形外科インプラントと生体機械的性能で満足するのなら、この整形外科インプラントは患者が期待する整形外科インプラントである可能性があることをオペレータに警告するために、この結果は図表に線図で示されることができる。
【０５６５】
一実施形態において、オペレータは、１つまたはそれ以上の患者の移植後活動の少なくとも１つを行うための一群の整形外科インプラントから選ばれる整形外科インプラントの数に基づき患者のライブラリデータを篩い分けることを、選択できる。
【０５６６】
一実施形態において、オペレータは、１つまたはそれ以上の移植後活動の少なくとも１つを患者が行うことを可能にするための特定のサイズの利用可能な整形外科インプラントの数に基づき患者のライブラリデータを篩い分けることを、選択できる。
【０５６７】
図２４は、外科医などのオペレータが、患者が１つまたはそれ以上の所望の移植後活動を実行することを可能にする患者の関節に最も適切に取り付けられる整形外科インプラントを特定するため用いることができる模範的なグラフィカル図を示す。第一に、患者の関節のサイズが、関節の前方−後方（Ａ−Ｐ）および中央−外側（Ｍ−Ｌ）の寸法に基づき決定される。関節の寸法はそれから整形外科インプラントの範囲（たとえばＸ、Ｙ、およびＺ）に対して描かれ、患者用の最も適切なサイズの整形外科インプラントを特定するために、データベース１０３０に記憶された対応するライブラリデータから得られる。この例では、図２４の（ｉ）に示すように、関節のＡ−ＰおよびＭ−Ｌの寸法は、それぞれサイズ３および３であり、最も適切にサイズの整形外科インプラントはＺである。整形外科インプラントＺ、ＺＡ、ＺＢ、およびＺＣは、関節として、全て同じＡ−ＰとＭ−Ｌ寸法を有するが、それらの咬交表面は、変化する程度によって異なる。この例では、整形外科インプラントＺのため滑車の深さは、一度移植された関節が安定するよう、整形外科インプラントＺＡ、ＺＢ、およびＺＣよりも大きくてもよい。
【０５６８】
図２４の（ｉ）に示すように、関連する咬交表面における違いによって、選択された整形外科インプラント（Ｚ，ＺＡ、ＺＢとＺＣ）は、関連する移植後活動（たとえば、テニス、ゴルフ、スキーまたは、あらゆる定義された運動学上の提案）に対応する。たとえば、整形外科インプラントＺＡは変形が制限される咬交表面を備えているので、テニスなどの活動に適している。一方、整形外科インプラントＺＢは、回転に融通が利く咬交表面を備えているので、ゴルフなどの活動に適している。患者が、他の２つの移植後活動（ゴルフとスキー）よりもテニスをすることをより望むと仮定すると、図２４の（ｉｉ）に示すように、外科医は整形外科インプラントＺＡを選ぶ。
【０５６９】
図２５は、外科医などのオペレータが、あるサイズの範囲内でライブラリデータとしてデータベース１０３０に記憶された左と右の膝関節両方の整形外科インプラントの範囲を特定するため用いることができる、別の模範的なグラフィカル図を示す。第一に、所望の左および右の整形外科インプラントのサイズ範囲は、各整形外科インプラントの前方−後方（Ａ−Ｐ）および中央−外側（Ｍ−Ｌ）の寸法の両方によってインプラント範囲として入力される。この例では、選択されたサイズ範囲は、それぞれ左（Ｌ）および右（Ｒ）のインプラントの両方の１〜６のサイズを含む。対応するプロットは、図２５に示すように鐘状の曲線を提供する。
【０５７０】
プロットに示すように、そのような結果を生じ、３Ｄ鐘曲線を生成するとき、移植後活動（テニス、ゴルフ、スキー、サッカー、または、任意の定義された運動学的提案）もまた考慮される。この例において、図２５に示すように、サイズ３の右（Ｒ）の整形外科インプラントのＡ−ＰおよびＭ−Ｌ寸法は、対応する右（Ｒ）の整形外科インプラント３Ａ、３Ｂ、３Ｃ、３ＤのＡ−ＰおよびＭ−Ｌ寸法と同じであるが、各インプラントの咬交表面は異なり、上の例（図２４参照）で記述されているように、３Ａはテニス、３Ｂはゴルフ、３Ｃはスキー、３Ｄはサッカーをするのに適する咬交表面を有する。
【０５７１】
特定サイズ範囲の整形外科インプラントを特定できることによって、たとえば顧客が１つまたはそれ以上の公衆分野の整形外科インプラントの目録を生成することを可能にする。
【０５７２】
患者ライブラリデータおよびインプラント範囲データは上述したものに限られず、かつ、患者ライブラリデータまたはインプラント範囲データは後の参照のためにデータベース１０３０に記憶されてもよいということが、賛同される。
【０５７３】
〔利点〕
上述した様々な実施形態によって、以下を含む一定範囲の利点が提供される：
インプラント手術の前に、一定範囲の可能な位置合わせ形態を考慮することによって、改良された患者固有の位置合わせを提供すること。改良された患者固有の位置合わせがいったん特定されたら、外科は、要求された精度でこの位置合わせを伝えるために、切断ガイドまたは外科手術のナビゲーションなどの、現代的かつ正確なコンピュータ補助外科技術を選択できる。
【０５７４】
患者が１つまたはそれ以上の所望の移植後活動を行うのに適した位置合わせ形態としてオペレータによって定義された、名目の位置合わせ形態の範囲を考慮することによって、改良された患者固有の位置合わせを提供すること。
【０５７５】
利用可能な整形外科インプラントの選択の患者固有の改良を提供すること。当業者は、各インプラントがわずかな差を有する商業上利用可能な予め決められた整形外科インプラントの数を知っている。上述した実施形態に基づき算出された位置合わせ情報データと位置合わせ形態データは、様々な形態、たとえば、外科が患者の関節と彼らの所望の移植後活動に関して、最も適切な整形外科インプラントを選択できるようなグラフィカル図で現わされてもよい。
【０５７６】
膝関節に対する患者固有の関節挿入物の位置合わせ／配置と、患者固有の改良から得られる形状を有する咬交表面を有するカスタマイズされたインプラントを備える特定の関節挿入物（たとえば、膝の脛骨挿入物）の基準とを可能にすること。
【０５７７】
１つまたはそれ以上のデータファイルの型におけるシミュレーション結果の供給によって、たとえば、物的生産物の製造が可能になる：
カスタムメイドされた患者固有の治具、すなわち、手術中に外科医を物理的に導く患者の関節に配置できる切断ガイド。
【０５７８】
カスタムメイドされたコンピュータナビゲーションファイル、本質的には、患者の関節に対して整形外科インプラントの位置を定めることおよび配置に対してインプラント手術に特化した相互作用デモストレーション。
【０５７９】
患者の関節に対して整形外科インプラントを位置合わせする位置合わせシステムによって用いられうる、カスタムメイドされたロボット学ファイル。
【０５８０】
患者固有の改良過程から得られた形状を有する咬交部を有するカスタマイズされたインプラント。カスタム関節は、次に、関節挿入物のインプラント（脛骨挿入物用の脛骨トレイなど）に取り付けられ、付着され、または機械的に固定されうる。
【０５８１】
患者固有のカスタム咬交表面を有するカスタムメイド整形外科インプラント。
【０５８２】
〔使用〕
本発明の好ましい実施形態の段階的な一般例は、以下に説明されており、仮想的な運動学的シミュレータを提供する。
【０５８３】
一般的な方法によって、ＣＴまたはＭＲＩ画像の形態の膝関節の骨構造の３Ｄ画像が取得され、かつオペレータによってＤＩＣＯＭファイルに変換される。
【０５８４】
ＤＩＣＯＭファイルは、たとえば、インターネット２３０またはプライベートＷＡＮを介してコンピュータ１００に接続されるクライアントコンピュータ２２０を用いてコンピュータ１００に伝送される。
【０５８５】
ＤＩＣＯＭファイルは、不要データを取り除くため、篩い分けられ、かつ、分画される。
【０５８６】
解剖学的目印は、ＤＩＣＯＭファイルから識別される。
【０５８７】
手術は、膝用の機能軸位置合わせなおよび選択されたインプラントデザインなどの一般的な標準位置のために計画する。これは、改良がされないならそのような標準位置が達成されるようなインプラントの位置合わせを本質的に含む。
【０５８８】
決定論的な患者固有の厳密な身体力学シミュレーションは、コンピュータ１００によってなされる。
【０５８９】
決定論的なモデルは、シミュレーション結果を生成するために特定のインプラント位置においてシミュレーションが実行されるとき、生成される。
【０５９０】
オペレータは、インターネット２３０を介してコンピュータ１００に接続されるクライアントコンピュータ２２０を用いて、たとえばグラフィカル図の形態において選択された整形外科インプラントの標準位置のシミュレーション結果を視認することができる。
【０５９１】
オペレータは、従来の標準から位置を修正し、および／または、選択された整形外科インプラントを修正し、かつ、新しいシミュレーション結果を見ることができる。修正を左右する要因は、オペレータのスキルおよび経験に基づきオペレータによって理解されるものである。これらは、患者固有のまたはより一般的であることでありえ、たとえば、大腿骨の要素のより外側の回転のための特定の患者の要求に関連することができ、または、末端の大腿骨の切除を増加することによって全ての伸張が達成されるというより単純な認識も可能である。
【０５９２】
外科医などのオペレータがいったんシミュレーションに満足したら、外科医は、インターネット２３０を介してコンピュータ１００に接続されるクライアントコンピュータ２２０を用いて、患者固有の外科施術実行計画を注文できる。
【０５９３】
外科手術計画実行ツールが生成される：これは、実際の患者の特定の治具、すなわち、骨にピンで留められ深く切るのに用いられ、かつ、外科医がフォローできるようなビジュアルナビゲーション指示も提供する切断ガイドを含む。
【０５９４】
本発明の好ましい段階的一般的な実施例は、下記に説明されており、たとえば、インプラントデザイン、位置、および関節を含む、グラフィカル表現の形態でのシミュレーションの結果を提供する目標駆動的改良に注目する：
一般的な方法によって、ＣＴまたはＭＲＩ画像の形態の膝関節の３Ｄ画像が取得され、かつ外科医によってＤＩＣＯＭファイルに変換される。
【０５９５】
ＤＩＣＯＭファイルは、たとえば、インターネット２３０またはプライベートＷＡＮを介してコンピュータ１００に接続されたクライアントコンピュータ２２０を用いてコンピュータ１００に伝送される。
【０５９６】
ＤＩＣＯＭファイルは、不要データを取り除くため、篩い分けられ、かつ、分画される。
【０５９７】
解剖学的目印は、ＤＩＣＯＭファイルから識別される。
【０５９８】
咬交表面の損傷は、仮想的に訂正された自然モデルを生成するため、形状の改変によって、損傷していない咬交表面から識別されかつ訂正される。
【０５９９】
決定論的な患者固有の厳密な身体力学シミュレーションは、コンピュータ１００、特にプロセッサ１０００によってなされる。
【０６００】
整形外科インプラントのデザイン、形、および咬交は、
Ａ.既存のデザイン
Ｂ.既存のデザインとカスタムメイド要素との組み合せ
Ｃ.完全にカスタムメイドされた整形外科インプラント
であってもよい。
【０６０１】
たとえば、外科および／またはインプラント製造業者などのオペレータは、六段階の自由度内でインプラント位置の許容できる幅を定義できる（抹消大腿骨オフセットおよび後部顆オフセットを維持している間、抹消大腿骨切断−３度外反から３度内反、末端大腿骨切断−０から５度の抹消大腿骨の屈曲、回転−トランス上顆軸に対する３度内部から３度外部）。
【０６０２】
たとえば、インターネット２３０またはプライベートＷＡＮを介してコンピュータ１００に接続されるクライアントコンピュータ２２０を用いて、外科医は、たとえばグラフィカル表現の形態において、選択された整形外科インプラントの標準位置のシミュレーション結果を視認することができる。
【０６０３】
外科医は、それから、従来の標準から位置を修正し、かつ／または、選択されたインプラントを修正し、かつ、新しいシミュレーション結果を視認することができる。修正を左右する要因は、外科医のスキルおよび経験に基づき外科医によって理解されるものである。これらは、患者固有またはより一般的でありえ、たとえば、大腿骨の要素のより外側の回転のための特定の患者の要求に関連することができ、または、末端の大腿骨の切除を増加することによって全ての伸張が達成されるというより単純な認識も可能である。
【０６０４】
外科医がいったんシミュレーションに満足したら、外科医は次に、患者に、インターネット２３０またはプライベートＷＡＮを介してコンピュータ１００に接続されるクライアントコンピュータ２２０を用いて、特定の外科手術実行計画を注文できる。
【０６０５】
外科手術実行計画ツールは生成される：これは、実際の患者固有の治具、すなわち、骨にピンで留められ深く切るのに用いられ、外科医がフォローできるようなビジュアルナビゲーション指示も提供することを含む。
【０６０６】
本発明の好ましい実施形態の段階的な一般例は、以下に説明されており、患者固有の機能性目標に向けられた複数の客観的な目標による改良に注目する。
【０６０７】
患者の機能性目的、すなわち、所望の移植後活動と、移植後活動のための患者の好みは、アンケートによって一般の用語で得られる。
【０６０８】
機能性目標は、それから、関節が移植後活動を実行する際の好みに基づき、患者によって、そして外科医によって、階層的に分類される：たとえば（ひざを曲げる能力がもっとも重要で、階段を上る能力が二番目にもっとも重要で、ローンボールズをプレイする能力が三番目にもっとも重要であり、およびその他）。
【０６０９】
一般的な方法によって、たとえばＣＴまたはＭＲＩ画像の形態の膝関節の３Ｄ画像が取得され、かつ外科医によってＤＩＣＯＭファイルに変換される。
【０６１０】
ＤＩＣＯＭファイルは、たとえば、インターネット２３０またはプライベートＷＡＮを介して、クライアントコンピュータ２２０を用いてコンピュータ１００に伝送される。
【０６１１】
ＤＩＣＯＭファイルは、不要データを取り除くため、篩い分けられ、かつ、分画される。
【０６１２】
解剖学的目印は、ＤＩＣＯＭファイルから識別される。
【０６１３】
決定論的な患者固有の厳密な身体力学シミュレーションは、コンピュータ１００、特にプロセッサ１０００によってなされ、適切な整形外科インプラントはオペレータによって選択される。整形外科インプラントのデザイン、形、および咬交は、
Ａ.既存のデザイン
Ｂ.既存のデザインとカスタムメイド要素との組み合せ
Ｃ.完全にカスタムメイドされた整形外科インプラント
であってもよい。
【０６１４】
複数目標駆動型改良は、次のように実行される。
【０６１５】
ｉ．外科および／またはインプラント製造業者は、六段階の自由度内でインプラント位置の許容できる幅を定義できる（抹消大腿骨オフセットおよび後部顆オフセットを維持している間、抹消大腿骨切断−３度外反から３度内反、末端大腿骨切断−０から５度の抹消大腿骨の屈曲、回転−トランス上顆軸に対する３度内部から３度外部）。
【０６１６】
ｉｉ．患者の機能性目的、すなわち、所望の移植後活動と、移植後活動のための患者の好みは、コンピュータ１００によって数値目標に転換される：たとえば（「私はテニスをしたい」は、「伸長時における、脛骨に対する大腿骨の最大可能な外側の回転」になる)
ｉｉｉ．外科医および製造業者によって生成される、パラメータの外側に存在する患者固有の数値目標は、除外される。
【０６１７】
ｉｖ．外科医および製造業者によって生成される、パラメータの内側に存在する患者固有の数値目標は、包含される。
【０６１８】
改良された位置は、多数の目標を最もよく満たすシミュレーション結果に基づき生成される。
【０６１９】
外科医は、それから、インターネット２３０またはプライベートＷＡＮを介してコンピュータ１００に接続されるクライアントコンピュータ２２０を用いて、たとえばグラフィカル表現の形態において、選択された整形外科インプラントの標準位置のシミュレーション結果を視認することができる。
【０６２０】
外科医は、それから、従来の標準から位置を修正し、かつ／または、選択されたインプラントを修正し、かつ、新しいシミュレーション結果を視認することができる。修正を左右する要因は、外科医のスキルおよび経験に基づき外科医によって理解されるものである。これらは、患者固有またはより一般的でありえる。
【０６２１】
外科医がいったんシミュレーションに満足したら、外科医は次に、患者に、インターネット２３０またはプライベートＷＡＮを介してコンピュータ１００に接続されるクライアントコンピュータ２２０を用いて、特定の外科手術実行計画を注文できる。
【０６２２】
外科手術実行計画ツールは生成される：これは、実際の患者固有の治具、すなわち、骨にピンで留められ深く切るのに用いられ、外科医がフォローできるようなビジュアルナビゲーション指示も提供することを含む。
【０６２３】
理想のシミュレーションモデルは、車の乗り降り、階段の昇り降りなどの簡単な毎日の動作からネットボールおよびスキーなどのより厳しい活動までの、様々な異なる移植後活動および行動に対応するということが強調される。
【０６２４】
患者の特有の位置合わせが、かなり改良された機能的な結果を患者に提供するということは、当業者によって称賛される。これは一般的に、上述したコンピュータ−実行方法によってなされる：
手術前に、個々の患者の正確な患者固有モデルを生成する。
【０６２５】
個々の機能的要求を満たすために、各患者への位置合わせを改良する。
【０６２６】
ダイナミックモデリング技術は、関節運動学、負荷、および咬交行動の仮想予測のための価値のあるツールであることが示されている。関節交換に適用されるとき、動的モデリングは、これらのデザインを患者にテストする必要がある前に、デザインバリエーションが関節運動学、関節負荷、および関節咬交行動を有する一般化された効果を識別するのに用いられる。これは、異なるデザインの一般的特徴および利点を比較するときに価値がある。
【０６２７】
一般化された「平均」パラメータよりもむしろ、患者固有のパラメータを入力することによる患者固有のシナリオのシミュレーションは、特有の「実生活」シナリオにおける特定の患者に適切な予測を与える。
【０６２８】
これは、たとえば、インターネット２３０またはプライベートＷＡＮを介してコンピュータ装置１００に接続されたクライアントコンピュータ装置２２０を用いた外科医の場面から直接にアクセスされる外科手術の実行計画を作るという、特別な利点である。
【０６２９】
発明の他の利点は以下を含む：
手術後の運動範囲、関節運動学、関節負荷、関節行動、摩擦と機能を予測するための固定体の力学シミュレーションで逆動学を使用した完全な生体機械的シミュレーションを提供することは、結果的に、ある状況を生ずる。たとえば：ある整形外科インプラントＸが、特定の患者Ｙに、特定の方向Ｚで配置されたなら、その結果は正確に予測できる。さらに、全ての位置および形の望ましい範囲はテストされ／サンプルを採られる。
【０６３０】
動作、運動学、負荷、摩擦、および機能的な結果の非病理学上の平常の範囲を予測するための、堅い本体メカニクスシミュレーションで逆の力学を用いることによって患者固有の平常の運動学の予測を提供すること。外科手術の目的としてこれを設定すること、それから、インプラントデザイン、形、サイズ、咬交、および位置の選択を経て、もっとも近い可能な表現に達するための目標駆動型改良を用いること。
【０６３１】
患者固有の機能的目的を満たすこと、すなわち、強固体機械学シミュレーションで逆動力学を用いた複数の客観的な改良のための数値目標に、アンケートからの患者一般用語を翻訳することによる移植後活動。インプラントデザイン、形、サイズ、咬交、および位置の選択を経て、最も近い可能な方法で、改良された姿勢に達すること。
【０６３２】
外科医にシミュレーション環境にアクセスさせることと、パラメータおよび境界を予め機能的かつ固有的に変化させ、かつ、結果として生じる衝撃を観察する機会を提供すること。
【０６３３】
上記の例および実施形態は膝関節交換に対するものであるが、同様の一般的技術は、同様の方法で股関節交換に提供されてもよいことが強調される。したがって、上記の一般的な原則は、関節が股関節である実施形態に適用されてもよいことが、当業者には分かる。
【０６３４】
他の実施形態において、ＳＴＬ、ＪＰＥＧ、ＧＩＦ、およびＴＩＦ画像ファイルなど他の画像ファイルタイプが用いられる。
【０６３５】
他の実施形態において、上記の一般的な原則は、肩交換、背骨のディスク交換と足首の交換などの、これらに制限されないが、全ての関節のある移植可能な装置に適用可能である。
【０６３６】
他の実施形態において、上記の一般的な原則は、咬交関節において用いられる全ての移植可能な装置に適用されうる。しかし、移植可能な装置自体は咬交交換ではなく、膝前方の十字形の靭帯の再建および肩回転カフ修復を含むが、これらに制限されない。
【０６３７】
〔解釈〕
〔無線：〕
発明は、たとえば他のＷＬＡＮ規格および他の無線規格を含む他のネットワーク規格に従う装置を用いて、かつ、他の用途のために、具体化されてもよい。適用されうる用途は、ＩＥＥＥ８０２．１１無線ＬＡＮ、およびリンクと無線イーサネットを含む。
【０６３８】
本文書の文脈において、「無線」という用語およびその派生語は、非固体の媒体を通じた変調電磁放射の使用を通じてデータを通信する回路、装置、システム、方法、技術、通信チャネル等を説明するのに用いてもよい。用語は、ある実施形態では有線を含まないかもしれないが、関連する装置がいかなる有線をも含まないこと、を意味するものではない。この文書の文脈において、「有線」という用語およびその派生語は、固体の媒体を通じた使用を通じた変調電磁放射のデータを通信する回路、装置、システム、方法、技術、通信チャネル等を説明するのに用いてもよい。用語は、関連する装置が、導電配線によって結合されたことは意味しない。
【０６３９】
〔処理〕
他に特に言及されない限り、次の議論から明白なように、明細書を通じて、「処理する」、「計算する」、「算出する」、「決定する」、「分析する」等などの用語を用いる議論は、電気的などの物理的な量として表わされたデータを、物理的な量として同様に表される他のデータに操作および／または転送するコンピュータ、またはコンピュータシステム、あるいは類似の電気的コンピュータ装置の行為および／または処理を意味することが分かる。
【０６４０】
〔プロセッサ：〕
同様に、「プロセッサ」という用語は、たとえば、レジスタおよび／またはメモリからの電子データを、たとえばレジスタおよび／またはメモリに記憶されてもよい他の電子データに変換するために処理する装置または装置の一部を意味してもよい。「コンピュータ」または「コンピュータ装置」または「コンピュータ機械」または「コンピュータプラットフォーム」は、１つまたはそれ以上のプロセッサを含んでもよい。
【０６４１】
一実施形態において、ここに記載された方法論は、１つまたはそれ以上のプロセッサによって実行されるときに、ここに記載された方法の少なくとも１つを実施する命令を含むコンピュータ読み取り可能（機械読み取り可能とも呼ばれる）なコードを受け入れる１つまたはそれ以上のプロセッサによって実行可能である。実行される行為を特定する一組の命令（順次的なまたは他の）を実行できるいかなるプロセッサも含まれる。このように、一例は、１つまたはそれ以上のプロセッサを含む典型的な処理システムである。処理システムは、さらに主ＲＡＭおよび／またはスタティックＲＡＭおよび／またはＲＯＭを含むメモリサブシステムを含んでもよい。
【０６４２】
〔コンピュータ読み取り可能な媒体：〕
さらに、コンピュータ読み取り可能なキャリア媒体は、コンピュータプログラム製品を形成するか、またはこれを含んでいてもよい。ここで説明された方法をプロセッサに実施させるためのコンピュータ読み取り可能な可能プログラム手段を備えているコンピュータプログラム製品は、コンピュータが使用できるキャリア媒体に記憶されればよい。
【０６４３】
〔ネットワーク化されたまたは複数のプロセッサ：〕
他の実施例において、１つまたはそれ以上のプロセッサはスタンドアロン装置として動作するか、または、ネットワーク化された配置において他のプロセッサに接続たとえばネットワーク化されてもよく、１つまたはそれ以上のプロセッサは、クライアントサーバ通信環境におけるサーバまたはクライアントマシンの容量において、またはピアツーピアまたは分散ネットワーク環境のピアマシンとして、動作する。１つまたはそれ以上のプロセッサは、ウェブ機器、ネットワークルータ、スイッチまたはブリッジ、または、マシンによってなされる動作を明記する一連の命令（順次的なまたは他の）を実行することができるマシンを形成してもよい。
【０６４４】
なお、いくつかの図が、コンピュータ読み取り可能なコードを実行する単一のプロセッサおよび単一のメモリのみを示すとはいえ、当業者は、上記で説明された部材の多くは、発明の様相を不明確にすることがないよう記述され、または明示的に示されないが、含まれることを理解する。たとえば、単一のマシンのみが図示されているとはいえ、「機械」という用語は、ここで論じられている１つまたはそれ以上のどの方法論を実行するための一連の（または複数の）命令を独立してまたは共同で実行する機械の集合を含むように、取り扱われる。
【０６４５】
〔追加の実施形態：〕
それゆえ、ここに記述されたそれぞれの方法の一実施形態は、たとえば、１つまたはそれ以上のプロセッサの実行のためコンピュータプログラムの一連の指示を伝えるコンピュータ読み込み可能なキャリア媒体の形をとる。それゆえ、当業者には分かるように、本発明の実施形態は、方法、特別な目的の装置などの装置、データ処理システムなどの装置、またはコンピュータ読み取り可能なキャリア媒体などの装置として、具体化される。コンピュータ読み取り可能なキャリア媒体は、１つまたはそれ以上のプロセッサにおいて実行されるときにプロセッサまたはプロセッサ群に方法を実行させる一組の指示を含むコンピュータ読み取り可能なコードを保持する。従って、本発明の態様は、方法、完全にハードウェアの実施形態、完全にソフトウェアの実施形態、または、ソフトウェアおよびハードウェアの様相を組み合わせた実施形態を取ってもよい。さらに、本発明は、媒体において実体化されるコンピュータ読み取り可能なプログラムコードを保持するキャリア媒体（たとえば、コンピュータ読み取り可能な記憶媒体上のコンピュータプログラム製品）の形をとってもよい。
【０６４６】
〔キャリア媒体〕
ソフトウェアはさらに、ネットワークインタフェース装置を介して、ネットワーク上を送受信されてもよい。キャリア媒体が、実施例において単一の媒体であることを示すとはいえ、「キャリア媒体」という用語は、１つまたはそれ以上の指示を記憶する単一媒体または複数媒体（たとえば、集中化または分散化されたデータベース、および／または結合されたキャッシュおよびサーバ）を含むべきである。「キャリア媒体」という用語はまた、１つまたはそれ以上のプロセッサによる実行のための一連の命令を格納し、符号化し、または実行でき、かつ、１つまたはそれ以上のプロセッサが、本発明の１つまたはそれ以上の方法論のいずれか１つまたはそれ以上を実行させる、いかなる媒体も含むよう取り扱われる。キャリア媒体は、非揮発性媒体、揮発性媒体、そして伝送媒体に制限されない多くの形態を有する。
【０６４７】
〔実行：〕
議論された方法の工程は、記憶部に記憶された命令（コンピュータ読み取り可能なコード）を実行する処理システム（たとえばコンピュータ）の適切なプロセッサ（またはプロセッサ群）によって、一実施形態において実行されることが、理解される。発明は、いかなる特定の実行またはプログラミング技術に制限されないこと、および、発明は、ここに記述されている機能を実行するための適切な技術を用いて実行されてもよいことが理解される。発明は、特定のプログラム言語またはオペレーティングシステムに制限されない。
【０６４８】
〔方法または機能の実行のための方法〕
さらに、実施形態のいくつかは、プロセッサ装置、コンピュータシステムのプロセッサによってまたは、機能を実行する他の方法によって実行され得る方法または方法の要素の組み合わせとしてここに記載されている。したがって、そのような方法または方法の要素を実行する必要な指示と共にあるプロセッサは、方法または方法の要素を実行する手段を形成する。さらに、装置実施形態のここに記載された要素は、発明を実施する目的のための要素によって実行される機能を実行するための方法の例である。
【０６４９】
〔接続〕
同様に、接続されるという用語がクレームで使用される時、直接の接続のみに解釈されるべきではないということが注意されるべきである。したがって、装置Ｂに接続される装置Ａという表現の範囲は、装置Ａの出力が装置Ｂの入力に直接接続する装置またはシステムに制限されるべきでない。Ａの出力とＢの入力との間に、他の装置または手段を含んでもよい経路があることを意味する。「接続された」は、２つ以上の要素が物理的または電気的に直接接続すること、または、２つ以上の要素が互いに直接には接続しないが互いに相互に作用しまたは共同で動作することを意味する。
【０６５０】
〔実施形態：〕
この明細書を通じての「一実施形態」または「実施形態」への参照は、実施形態に関して記載された特定の特徴、構造、または特性が、本発明の少なくとも一実施形態に含まれることを意味する。このように、この明細書を通じて様々な箇所における「一実施形態において」または「実施形態において」の句の出現は、必ずしも全ての`同じ実施形態を参照しておらず、しかし参照してもよいのである。さらに、当業者にとっては自明であるように、特定の特徴、構造、または特性は、１つまたはそれ以上の実施形態において、いかなる適当な様式で組み合わせてもよい。
【０６５１】
同様に、発明の実施形態例の上記記載において、発明の様々な特徴は、開示を簡素化しかつ１つまたはそれ以上の様々な発明の態様の理解を手助けする目的で、単一の実施形態、図、または、記載において、時に共にグループ化されることが理解されるべきである。この開示の方法は、しかしながら、クレーム化された発明が、各クレームに明白に列挙されたことよりも多くの特徴を要するという意図が反映されたものとして解釈されることはない。むしろ、以下のクレームが示すように、発明の態様は、前に開示された単一の実施形態の全ての特徴よりも少ない点にある。したがって、特定の実施形態の詳細な記載に続くクレームは、各クレームのみがこの発明の別の実施形態としてあるように、この特定の実施形態の詳細な記載にここに明白に組み込まれる。
【０６５２】
さらに、ここに記載されたいくつかの実施形態が、他の実施形態において含まれた他の特徴ではないいくつかの特徴を含んでいるとはいえ、当業者によって理解されるように、異なる実施形態の特徴の組み合わせは、発明の範囲内であることを意味し、かつ、異なる実施形態を形成する。たとえば、次のクレームにおいて、クレーム化された任意の実施形態は、任意の組み合わせで用いられうる。
【０６５３】
〔オブジェクトの異なるインスタンス〕
ここで使用されているように、他に特定されない限り、共通のオブジェクトを記載するための「第一の」「第二の」「第三の」等の順序の形容詞を用いることは、同じオブジェクトの異なるインスタンスを言及していることを単に示すに過ぎず、そのように記載されたオブジェクトが時間的に、空間的に、順序的において、またはいかなる他の様式において、所定の順序でなければならないことを意味する意図ではない。
【０６５４】
〔特定の詳細〕
ここに提供される記載において、非常に多くの特定の詳細が示される。しかしながら、発明の実施形態が、これらの特定の詳細なく実行されてもよいことが理解される。他の事例において、周知の手法、構造、技術は、この記載の理解をわかり難くしないために、詳細には示されない。
【０６５５】
〔専門用語〕
図に示される発明の好ましい実施形態の記載において、特定の用語は、明瞭さのために用いられる。しかしながら、発明は、そのように選択される特定の用語に制限されることを意図せず、それぞれの特定の用語は、同様の技術目的を果たすために同様の様式で動作する全ての技術的に同等なものを含むことが理解される。「前方に」、「後方に」、「放射状に」、「周辺に」、「上に」、「下に」などの用語は、制限する用語であると解釈されるのではなく、参照部分を提供するのに便利な語として用いられる。
【０６５６】
〔備えているおよび含んでいる〕
後に続くクレームにおいて、そして前述の発明の記載において、言語および必要な意味を説明するために文脈が他を要求する場合を除き、「備えている」という語または「備える」などの変形は、包括的な意味で、すなわち、発明のさまざまな実施形態におけるさらなる特徴の存在または追加を除外するものではなく、言及される特徴の存在を特定するために使用される。
【０６５７】
用語のいずれか１つ：ここで用いられている、含んでいるまたは含むもまた、他を除外するのではなく、用語の後に続く要素／特徴を少なくとも包含することを意味するオープン用語である。このように、含んでいるは、備えているに類義し、かつ、備えているを意味する。
【０６５８】
〔発明の範囲〕
したがって、発明の好ましい実施形態であると信じられる記載があるとはいえ、当業者は、他のさらなる変更修正が、発明の思想から離れることなくなされてもよく、かつ、全てのそのような変更および修正が発明の範囲内にあるようにクレームすることを意図することを認識する。たとえば、前に与えられた製法は、使用されてよい工程を表すに過ぎない。機能性はブロック図から追加または削除されてもよく、動作は機能ブロック間で置き換えられてもよい。工程は、本発明の範囲内で記載された方法に対して追加または削除してもよい。
【０６５９】
発明は、特定の例を参照して記載されているが、発明が、多くの他の形態で具体化されてもよいことが当業者には分かる。
【産業上の利用可能性】
【０６６０】
記載された仕組みがヘルスケアメディカル装置およびメディカルＳａａＳ産業に適用できることは、上記から明らかである。
【図面の簡単な説明】
【０６６１】
いかなる他の形態も本発明の権利範囲に含まれるが、一例として、本発明の好ましい実施形態について、添付の図面を参照して以下で説明する。
【図１】図１は、種々の実施形態にて実現され得るコンピュータ装置を好適な実施形態において示した図である。
【図２】図２は、種々の実施形態にて実現され得るコンピュータ装置のネットワークを好適な実施形態において示した図である。
【図３】図３は、本発明の一実施形態におけるコンピュータ実行方法を示す。
【図４】図４は、本発明の一実施形態におけるコンピュータ実行方法を示す。
【図５】図５は、本発明の一実施形態におけるコンピュータ実行方法を示す。
【図６】図６は、本発明の一実施形態におけるコンピュータ実行方法を示す。
【図７】図７は、本発明の一実施形態におけるコンピュータ実行方法を示す。
【図８】図８は、本発明の一実施形態におけるコンピュータ実行方法を示す。
【図９】図９は、本発明の一実施形態におけるコンピュータ実行方法を示す。
【図１０】図１０は、本発明の一実施形態におけるコンピュータ実行方法を示す。
【図１１】図１１は、本発明の一実施形態におけるコンピュータ実行方法を示す。
【図１２】図１２は、膝関節の機能運動学的反応を示すレスポンスカーブをグラフで示した図である。
【図１３】図１３は、図１に示すコンピュータ装置のデータベースに格納されたファイルの概要を示した図である。
【図１４】図１４は、本発明の一実施形態におけるコンピュータ実行方法を用いて計算された位置合わせ情報データに基づいて、患者の膝関節の内反の角（単位：度）の変化をコンピュータシミュレーションにより予測した結果をグラフで示した図である。
【図１５】図１５は、本発明の一実施形態におけるコンピュータ実行方法を用いて計算された位置合わせ情報データに基づいて、患者の膝関節の四頭筋の力（単位：ニュートン）の変化をコンピュータシミュレーションにより予測した結果をグラフで示した図である。
【図１６】図１６は、本発明の一実施形態におけるコンピュータ実行方法を用いて計算された位置合わせ情報データに基づいて、患者の膝関節の内側および外側への回転（単位：度）の変化をコンピュータシミュレーションにより予測した結果をグラフで示した図である。
【図１７】図１７は、本発明の一実施形態におけるコンピュータ実行方法を用いて計算された位置合わせ情報データに基づいて、患者の膝関節の膝蓋側面の力（単位：ニュートン）の変化をコンピュータシミュレーションにより予測した結果をグラフで示した図である。
【図１８】図１８は、本発明の一実施形態におけるコンピュータ実行方法を用いて計算された位置合わせ情報データに基づいて、３つの異なる内反および外反角度における、患者の膝関節の内側および外側への回転（単位：度）の変化をコンピュータシミュレーションにより予測した結果をグラフで示した図である。
【図１９】図１９は、本発明の一実施形態におけるコンピュータ実行方法を用いて計算された位置合わせ情報データに基づいて、患者の膝関節に係る様々なパラメータの変化をコンピュータシミュレーションにより予測した結果をグラフで示した図である。
【図２０】図２０は、本発明の一実施形態における患者の関節の整形外科インプラントの位置合わせのための位置合わせ情報データの選択において使用するために、整形外科インプラントをそれぞれ装着した８人の患者の一群から得たライブラリ位置合わせ情報データを、グラフで示した図である。
【図２１】図２１は、本発明の一実施形態におけるコ１ンピュータ実行方法を用いて計算された位置合わせ情報データに基づいて、患者の左右の股関節にかかる負荷（単位：ニュートン）の変化をコンピュータシミュレーションにより予測した結果をグラフで表示したものである。
【図２２】図２２は、本発明の一実施形態におけるコンピュータ実行方法を用いて計算された位置合わせ情報データに基づいて、患者の股関節の臼がいの配置（単位：度）の変化をコンピュータシミュレーションにより予測した結果をグラフで表示したものである。
【図２３】図２３は、本発明の一実施形態におけるコンピュータ実行方法を用いて計算された位置合わせ情報データに基づいて、患者の股関節の臼がいの配置（単位：度）の変化をコンピュータシミュレーションにより予測した結果をグラフで表示したものである。
【図２４】図２４は、本発明の一実施形態において、整形外科インプラントの一群から計算されたインプラントの形状データをプロットした図である。
【図２５】図２５は、本発明の一実施形態において、整形外科インプラントの一群から計算されたインプラントの形状データをプロットした図である。
【０６６２】
〔本発明の別の表現〕
（態様１）
インプラントパラメータデータを提供するために、各工程がコンピュータによって実行される方法であって、
１つまたはそれ以上の動的特徴を示しかつ患者のインプラントまたはインプラント領域を映像化することによって得られる患者固有情報データに応じて、上記患者のインプラントまたはインプラント領域に関する患者生体機械データを得る工程と、
上記患者生体機械データと、移植後活動嗜好データから決定されかつ１つまたはそれ以上の所望の移植後活動を示す患者取得データとに応じて、それぞれが上記インプラントのための製造インプラントパラメータデータと上記インプラントの位置合わせ情報データとに少なくとも関係する一組のインプラントパラメータデータ候補を決定する工程と、
上記一組のインプラントパラメータデータ候補から、上記患者が自己の望む嗜好に応じた上記１つまたはそれ以上の所望の移植後活動を行うことを可能にするために上記患者に最も適合するであろうインプラントパラメータデータを選択する工程とを含むコンピュータによって実行される方法。
【０６６３】
（態様２）
上記位置合わせ情報データは、整形外科インプラントの位置合わせに関係する態様１に記載のコンピュータによって実行される方法。
【０６６４】
（態様３）
上記インプラントパラメータデータは、１つまたはそれ以上の、上記整形外科インプラントのための位置情報データ、および、上記整形外科インプラントのための回転情報データを備えている態様２に記載のコンピュータによって実行される方法。
【０６６５】
（態様４）
上記インプラントパラメータデータは、患者関節の実際の３Ｄモデルデータを備えている態様２に記載のコンピュータによって実行される方法。
【０６６６】
（態様５）
上記インプラントパラメータデータは、整形外科インプラントの位置合わせのモデル化データを含む態様１に記載のコンピュータによって実行される方法。
【０６６７】
（態様６）
上記製造インプラントパラメータデータは、整形外科インプラントの製造に関係する請求項１に記載のコンピュータによって実行される方法。
【０６６８】
（態様７）
上記インプラントパラメータデータは、患者固有の治具を製造するための製造パラメータを含む態様１に記載のコンピュータによって実行される方法。
【０６６９】
（態様８）
上記１つまたはそれ以上の動的特徴は、１つまたはそれ以上の、関節運動学データ、関節負荷データ、および、所望の移植後活動間の関節咬交挙動データ、に基づく仮想予測を備えている態様１に記載のコンピュータによって実行される方法。
【０６７０】
（態様９）
上記仮想予測は、コンピュータモデル予測を備えている態様８に記載のコンピュータによって実行される方法。
【０６７１】
（態様１０）
上記患者固有情報データは、１つまたはそれ以上の静的特徴を示す態様１に記載のコンピュータによって実行される方法。
【０６７２】
（態様１１）
上記１つまたはそれ以上の静的特徴は、１つまたはそれ以上の、生体機械基準系の耐荷重性軸である態様１０に記載のコンピュータによって実行される方法。
【０６７３】
（態様１２）
上記生体機械基準系の耐荷重性は、一次耐荷重性軸を備えている態様１１に記載のコンピュータによって実行される方法。
【０６７４】
（態様１３）
上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている態様１０に記載のコンピュータによって実行される方法。
【０６７５】
（態様１４）
上記患者固有情報データは、２Ｄ映像データを備えている態様１に記載のコンピュータによって実行される方法。
【０６７６】
（態様１５）
上記２Ｄ映像データは、１つまたはそれ以上の、Ｘ線データおよび視覚的透視撮影データを備えている態様１４に記載のコンピュータによって実行される方法。
【０６７７】
（態様１６）
上記患者固有情報データは、３Ｄ映像データを備えている態様１に記載のコンピュータによって実行される方法。
【０６７８】
（態様１７）
上記３Ｄ映像データは、１つまたはそれ以上の、核磁気共鳴画像法（ＭＲＩ）データ、コンピュータ断層撮影（ＣＴ）データ、超音波データ、放射線学データ、およびモーションキャプチャーデータを備えている態様１６に記載のコンピュータによって実行される方法。
【０６７９】
（態様１８）
上記患者固有情報データは、４Ｄ映像データを備えている態様１に記載のコンピュータによって実行される方法。
【０６８０】
（態様１９）
上記４Ｄ映像データは、モーションキャプチャーデータを備えている態様１８に記載のコンピュータによって実行される方法。
【０６８１】
（態様２０）
上記患者固有情報データは、２Ｄおよび３Ｄ映像データを備えている態様１に記載のコンピュータによって実行される方法。
【０６８２】
（態様２１）
上記患者固有情報データは、上記患者の１つまたはそれ以上の身体特徴を示すデータを備えている態様１に記載のコンピュータによって実行される方法。
【０６８３】
（態様２２）
上記１つまたはそれ以上の身体特徴は、１つまたはそれ以上の、年齢データ、性別データ、身長データ、体重データ、活動レベルデータ、ＢＭＩデータ、体調データ、および体型データを備えている態様２１に記載のコンピュータによって実行される方法。
【０６８４】
（態様２３）
上記移植後活動嗜好データは、上記１つまたはそれ以上の所望の移植後活動への相対的な患者の嗜好を示す嗜好比率である態様１に記載のコンピュータによって実行される方法。
【０６８５】
（態様２４）
ライブラリインプラントパラメータデータのデータベースにアクセスする工程をさらに備えており、上記インプラントパラメータデータは、上記ライブラリインプラントパラメータデータに応じてさらに選択される態様１に記載のコンピュータによって実行される方法。
【０６８６】
（態様２５）
上記ライブラリインプラントパラメータデータは、上記１つまたはそれ以上の所望の移植後活動のうち少なくとも１つを実行するための利用可能な一群の整形外科インプラントに関するデータを備えている態様２４に記載のコンピュータによって実行される方法。
【０６８７】
（態様２６）
上記ライブラリインプラントパラメータデータは、上記１つまたはそれ以上の所望の移植後活動を行うための整形外科インプラントが取り付けられた一群の患者に関するデータを備えている態様２４に記載のコンピュータによって実行される方法。
【０６８８】
（態様２７）
態様１から２６のいずれか１項に記載のコンピュータによって実行される方法によって生成されたインプラントパラメータデータに応じて整形外科インプラントを位置合わせする位置合わせシステムを制御する方法。
【０６８９】
（態様２８）
上記位置合わせシステムは、ロボット位置合わせシステム、ハプティックフィードバック位置合わせシステム、およびコンピュータ補助位置合わせシステムを備えている一群の位置合わせシステムから選択される態様２７に記載の方法。
【０６９０】
（態様２９）
一群の整形外科インプラントのためのインプラントデザインデータを算出するために、各工程がコンピュータによって実行される方法であって、
患者ライブラリデータを受信する工程と、
インプラント範囲データを受信する工程と、
上記患者ライブラリデータおよび上記インプラント範囲データに基づき、上記一群の整形外科インプラントのためのインプラントデザインデータを算出する工程とを含み、
上記患者ライブラリデータは、態様１から２６のいずれか１項に記載のコンピュータによって実行される方法によって提供される複数の患者の複数の整形外科インプラントのインプラントパラメータデータを備えているコンピュータによって実行される方法。
【０６９１】
（態様３０）
上記インプラント範囲データは、ユーザ入力要求に基づき選択される上記患者ライブラリデータの、１つまたはそれ以上のサブセットを示す態様２９に記載のコンピュータによって実行される方法。
【０６９２】
（態様３１）
上記１つまたはそれ以上のサブセットの少なくとも１つは、１つまたはそれ以上の移植後活動を実行するための整形外科インプラントが取り付けられた一群の患者から選択される満足した患者の数に関する患者満足データを備えている態様３０に記載のコンピュータによって実行される方法。
【０６９３】
（態様３２）
上記１つまたはそれ以上のサブセットの少なくとも１つは、１つまたはそれ以上の移植後活動のための一群の整形外科インプラントから選択される整形外科インプラントの数に関するインプラント活動データを備えている態様３０に記載のコンピュータによって実行される方法。
【０６９４】
（態様３３）
上記１つまたはそれ以上のサブセットの少なくとも１つは、１つまたはそれ以上の移植後活動のための一群の整形外科インプラントから選択される整形外科インプラントの特定のサイズ範囲に関するインプラントサイズデータを備えている態様３０に記載のコンピュータによって実行される方法。
【０６９５】
（態様３４）
上記インプラント範囲データに基づく上記患者ライブラリデータの篩い分けに基づき、改定された患者ライブラリデータが算出される態様２９に記載のコンピュータによって実行される方法。
【０６９６】
（態様３５）
上記インプラントデザインデータは、上記改定された患者ライブラリデータの統計的分析に基づき算出される態様３４に記載のコンピュータによって実行される方法。
【０６９７】
（態様３６）
上記統計的分析は、回帰分析および最小二乗分析を備えている一群の統計的分析から選択される態様３５に記載のコンピュータによって実行される方法。
【０６９８】
〔本発明の別の表現２〕
（態様１）
患者の関節用の整形外科インプラントの位置合わせをモデル化するために、各工程がコンピュータによって実行される方法であって、
１つまたはそれ以上の動的および／または運動学的な特徴を示す、患者データを得るための患者固有情報データに応答する工程と、
上記患者固有情報データに基づき上記整形外科インプラントを位置合わせ形態において示すような上記関節の３Ｄモデルデータを提供する上記患者データに応答する工程とを含むコンピュータによって実行される方法。
【０６９９】
（態様２）
上記１つまたはそれ以上の動的および／または運動学的な特徴は、１つまたはそれ以上の、関節運動学データ、関節負荷データ、および、所望の移植後活動間の関節咬交挙動データ、に基づく仮想予測を備えている態様１に記載のコンピュータによって実行される方法。
【０７００】
（態様３）
上記仮想予測は、コンピュータモデル予測を備えている態様２に記載のコンピュータによって実行される方法。
【０７０１】
（態様４）
上記患者固有情報データは、１つまたはそれ以上の静的特徴を示す態様１に記載のコンピュータによって実行される方法。
【０７０２】
（態様５）
上記１つまたはそれ以上の静的特徴は、１つまたはそれ以上の、生体機械基準系の耐荷重性軸である態様４に記載のコンピュータによって実行される方法。
【０７０３】
（態様６）
上記生体機械基準系の耐荷重性は、一次耐荷重性軸を備えている態様５に記載のコンピュータによって実行される方法。
【０７０４】
（態様７）
上記１つまたはそれ以上の静的特徴は、寛骨基準系、大腿骨基準系、脛骨基準系、および背骨基準系を備えている一群の生体機械基準系のうち少なくとも１つの基準系の１つまたはそれ以上の耐荷重性軸を備えている態様４に記載のコンピュータによって実行される方法。
【０７０５】
（態様８）
上記患者固有情報データは、上記患者の１つまたはそれ以上の身体特徴を示すデータを備えている態様１に記載のコンピュータによって実行される方法。
【０７０６】
（態様９）
上記１つまたはそれ以上の身体特徴は、１つまたはそれ以上の、年齢データ、性別データ、身長データ、体重データ、活動レベルデータ、ＢＭＩデータ、体調データ、および体型データを備えている態様８に記載のコンピュータによって実行される方法。
【０７０７】
（態様１０）
患者の関節用の整形外科インプラントの位置合わせをモデル化するコンピュータ装置であって、
デジタルデータを処理するプロセッサと、
コンピュータプログラムコードを含んでいるデジタルデータを格納し、かつバスを介して上記プロセッサに接続されている記憶装置と、
デジタルデータを送受信し、かつ上記バスを介して上記プロセッサに接続されているデータインタフェースとを備え、
上記プロセッサは、
上記データインタフェースを介して、１つまたはそれ以上の動的および／または運動学的な特徴を示す患者固有情報データを受信し、
上記患者固有情報データに基づき、患者データを算出し、かつ、
上記患者固有情報データに基づき上記整形外科インプラントを位置合わせ形態において示すような上記関節の３Ｄモデルデータを上記患者データに基づき算出するように、上記コンピュータプログラムコードによって制御されるコンピュータ装置。
【０７０８】
（態様１１）
上記プロセッサは、
１つまたはそれ以上の所望の移植後活動を示し、かつ、移植後活動嗜好データを備えている患者取得データを、上記データインタフェースを介して受信し、
上記患者データおよび上記患者取得データに基づき、一組の位置合わせ形態候補を算出し、かつ、
上記移植後活動嗜好データに基づき上記一組の位置合わせ形態候補から上記位置合わせ形態を選択するように、上記コンピュータプログラムコードによってさらに制御される態様１０に記載のコンピュータ装置。
【０７０９】
（態様１２）
上記移植後活動嗜好データは、上記１つまたはそれ以上の所望の移植後活動への相対的な患者の嗜好を示す嗜好比率である態様１１に記載のコンピュータ装置。
【０７１０】
（態様１３）
ライブラリ位置合わせ形態データを含んでいるデジタルデータを格納するための、上記プロセッサに接続されているデータベースをさらに備えており、
上記プロセッサは、上記データベースから、上記ライブラリ位置合わせ形態データを読み出すように、上記コンピュータプログラムコードによってさらに制御され、
上記位置合わせ形態は、上記ライブラリ位置合わせ形態データに基づきさらに選択される態様１１に記載のコンピュータ装置。
【０７１１】
（態様１４）
上記ライブラリ位置合わせ形態データは、上記１つまたはそれ以上の所望の移植後活動のうち少なくとも１つを実行するための利用可能な一群の整形外科インプラントに関するデータを備えている態様１３に記載のコンピュータ装置。
【０７１２】
（態様１５）
上記ライブラリ位置合わせ形態データは、上記１つまたはそれ以上の所望の移植後活動を行うための整形外科インプラントが取り付けられた一群の患者に関するデータを備えている態様１３に記載のコンピュータ装置。
【図１】
2020058820.tif 000003
【図２】
2020058820.tif 000004
【図３】
2020058820.tif 000005
【図４】
2020058820.tif 000006
【図５】
2020058820.tif 000007
【図６】
2020058820.tif 000008
【図７】
2020058820.tif 000009
【図８】
2020058820.tif 000010
【図９】
2020058820.tif 000011
【図１０】
2020058820.tif 000012
【図１１】
2020058820.tif 000013
【図１２】
2020058820.tif 000014
【図１３】
2020058820.tif 000015
【図１４】
2020058820.tif 000016
【図１５】
2020058820.tif 000017
【図１６】
2020058820.tif 000018
【図１７】
2020058820.tif 000019
【図１８】
2020058820.tif 000020
【図１９（ｉ）】
2020058820.tif 000021
【図１９（ｉｉ）】
2020058820.tif 000022
【図２０（ｉ）】
2020058820.tif 000023
【図２０（ｉｉ）】
2020058820.tif 000024
【図２１】
2020058820.tif 000025
【図２２】
2020058820.tif 000026
【図２３】
2020058820.tif 000027
【図２４】
2020058820.tif 000028
【図２５】
2020058820.tif 000029